(57)【要約】  本発明は複数の中央キーと複数のスペースキーを利用した文字入力装置及びその入力方法に関する。  本発明は、中央に配置された中央キーと、上記中央キーの周辺に配置された複數の周辺キーを備えた文字入力装置で成り立ち、周辺キーが一度押されることによって作成される基本キーの基本値、周辺キーが二度押されることによって作成される基本キーの重複値、周辺キーが押された後中央キーが一度押されることによって作成される中央キーの基本値、周辺キーが押された後中央キーが二度押されることによって作成される中央キーの重複値、を備えている。
2009545024.tif 000002
【特許請求の範囲】
【請求項１】
中央に配置された中央キーと上記中央キーの周辺に配置された複数の周辺キーを備えた文字入力装置の文字入力方法において、
周辺キーが一度押されることによって作成される基本キーの基本値;
周辺キーが二度押されることによって作成される基本キーの重複値;
周辺キーが押された後中央キーが一度押されることによって作成される中央キーの基本値;
周辺キーが押された後中央キーが二度押されることによって作成される中央キーの重複値;
を備えていることを特徴とする文字入力方法。
【請求項２】
請求項１において、
周辺キーが押された後、中央キーが三度押されることによって作成される中央キーの三重値をも備えていることを特徴とする文字入力方法。
【請求項３】
請求項１において、
周辺キーが三度押されることによって作成される基本キーの三重複値をも備えていることを特徴とする文字入力方法。
【請求項４】
請求項１において、
中央の上記中央キー周りに配置され上記中央キーとともに周辺キーに取り囲まれた遠い中央キーをも備えていることを特徴とする文字入力方法。
【請求項５】
請求項４において、
周辺キー、中央キー、遠い中央キーが順に押されることによって作成される中央キーの連続値;
周辺キー、中央キーが順に押された後、遠い中央キーが2回押されることによって作成される中央キー連続重複値;
周辺キー、中央キーが順に押された後、遠い中央キーが3回押されることによって作成される中央キー連続三重値;
をも備えていることを特徴とする文字入力方法。
【請求項６】
請求項４において、
周辺キーが押された後、中央キーが2回押され、更に遠い中央キーが一度押されることによって作成される中央キー重複連続値;
周辺キーが押された後、中央キーが2回押され、更に遠い中央キーが2回押されることによって作成される中央キー重複連続重複値;
をも備えていることを特徴とする文字入力方法。
【請求項７】
請求項４において、
周辺キーが押された後、遠い中央キーが一度押されることによって作成される遠い中央キー基本値;
周辺キーが押された後、遠い中央キーが二度押されることによって作成される遠い中央キー重複値;
周辺キー、遠い中央キー、中央キーが順に押されることによって作成される遠い中央キーの連続値;
をも備えていることを特徴とする文字入力方法。
【請求項８】
請求項７において、
周辺キー、遠い中央キーが順に押された後、中央キーが2回押されることによって作成される遠い中央キー連続重複値;
周辺キー、遠い中央キーが順に押された後、中央キーが3回押されることによって作成される遠い中央キー連続三重値;
周辺キーが押された後、遠い中央キーが3回押されることによって作成される遠い中央キー三重値;
周辺キーが押され、遠い中央キーが2回押された後、中央キーが一度押されることによって作成される遠い中央キー重複連続値;
周辺キーが押され、遠い中央キーが2回押された後、中央キーが2回押されることによって作成される中央キー重複連続重複値;
をも備えていることを特徴とする文字入力方法。
【請求項９】
請求項１において、
上記中央キーは少なくとも第1中央キー、第2中央キー、第3中央キー、第4中央キーを含んで成り立つことを特徴とする文字入力方法。
【請求項１０】
請求項９において、
周辺キー、第1中央キーが順に押されることによって作成される中央キー1値;
周辺キー、第2中央キーが順に押されることによって作成される中央キー2値;
周辺キー、第3中央キーが順に押されることによって作成される中央キー3値;
周辺キー、第4中央キーが順に押されることによって作成される中央キー4値;
を備えていることを特徴とする文字入力方法。
【請求項１１】
請求項１０において、
周辺キーが押された後、第1中央キーが2回押されることによって作成される中央キー11値;
周辺キー、第1中央キー、第2中央キーが順に押されることによって作成される中央キー12値;
周辺キー、第1中央キー、第2中央キー、第3中央キーが順に押されることによって作成される中央キー123値;
周辺キー、第1中央キー、第2中央キー、第3中央キー、第4中央キーが順に押されることによって作成される中央キー1234値;
周辺キー、第1中央キー、第3中央キーが順に押されることによって作成される中央キー13値;
周辺キー、第1中央キーが順に押された後、第3中央キーが2回押されることによって作成される中央キー133値;
周辺キーが押された後、第2中央キーが2回押されることによって作成される中央キー22値;
周辺キー、第2中央キー、第4中央キーが順に押されることによって作成される中央キー24値;
周辺キー、第2中央キーが順に押された後、第4中央キーが2回押されることによって作成される中央キー244値;
周辺キーが押された後、第4中央キーが2回押されることによって作成される中央キー44値;
をも備えていることを特徴とする文字入力方法。
【請求項１２】
請求項１１において、
周辺キー、第2中央キー、第1中央キーが順に押されることによって作成される中央キー21値;
周辺キー、第2中央キーが順に押された後、第1中央キーが2回押されることによって作成される中央キー211値;
をも備えていることを特徴とする文字入力方法。
【請求項１３】
請求項１１又は請求項１２において、
上記中央キーは第5中央キーをも含んで成り立つことを特徴とする文字入力方法。
【請求項１４】
請求項１３において、
周辺キー、第5中央キーが順に押されることによって作成される中央キー5値;
周辺キー、第1中央キー、第2中央キー、第3中央キー、第4中央キー、第5中央キーが順に押されることによって作成される中央キー12345値;
周辺キー、第2中央キー、第3中央キーが順に押されることによって作成される中央キー23値;
周辺キー、第3中央キー、第2中央キーが順に押されることによって作成される中央キー32値;
周辺キーが押された後、第3中央キーが2回押されることによって作成される中央キー33値;
周辺キー、第4中央キー、第5中央キーが順に押されることによって作成される中央キー45値;
周辺キーが押されて第4中央キーが2回押された後、第5中央キーが一度押されることによって作成される中央キー445値;
周辺キー、第4中央キーが順に押された後、第5中央キーが2回押されることによって作成される中央キー455値;
周辺キーが押されて第4中央キーが2回押された後、第5中央キーが2回押されることによって作成される中央キー4455値;
周辺キー、第5中央キー、第4中央キーが順に押されることによって作成される中央キー54値;
をも備えていることを特徴とする文字入力方法。
【請求項１５】
請求項１において、
上記文字入力装置で上2個のキーと下2個のキーから成る4個のキーの中心に位置し、上記4個のキー全てに連接されるスペースキーをも備えていることを特徴とする文字入力方法。
【請求項１６】
請求項１５において、
上記スペースキーを中心に対角線上にある2つのキーのうち一つのキーが刺激された後、上記スペースキーが刺激されれば、上記刺激されたキーとその対角線上にあるキーも順に刺激されたことに成ることを特徴とする文字入力方法。
【請求項１７】
請求項１において
上記文字入力装置は3×3配列で成り立ち、
上記3×3配列の中で1行1列に位置する第1キー;
上記3×3配列の中で1行2列に位置する第2キー;
上記3×3配列の中で1行3列に位置する第3キー;
上記3×3配列の中で2行1列に位置する第4キー;
中央キーであり、上記3×3配列の中で2行2列に配置される第5キー;
上記3×3配列の中で2行3列に位置する第6キー;
上記3×3配列の中で3行1列に位置する第7キー;
上記3×3配列の中で3行2列に位置する第8キー;
上記3×3配列の中で3行3列に位置する第9キー;
を備えていることを特徴とする文字入力方法。
【請求項１８】
請求項１７において、
上記第2キーでの基本キーの基本値は、カーソルを下方へ移動させる"↓"で、中央キー基本値はページの一番下端へカーソルを移動させる"PgDn"であり、
上記第4キーでの基本キーの基本値は、カーソルを右側に移動させる"→"で、中央キー基本値は、カーソルを現在ある列の右端に移動させる"End"であり、
上記第6キーでの基本キーの基本値は、カーソルを左側に移動させる"←"で、中央キー基本値はカーソルを現在ある列の左端に移動させる"Home"であり、
上記第8キーでの基本キーの基本値は、カーソルを上方へ移動させる"↑"で、中央キー基本値は、ページの一番上端へカーソルを移動させる"PgUp"であるのを特徴とする文字入力方法。
【請求項１９】
請求項１７において、
上記第2キーでの基本キーの基本値は、レコードプレーヤーの停止機能である"■"で、中央キー基本値は、取り出し機能である"
2009545024.tif 000447
"であり、
上記第4キーでの基本キーの基本値は、レコードプレーヤーを再生させる"
2009545024.tif 000448
"で、中央キー基本値は早送りをする"
2009545024.tif 000449
"で、中央キー重複値は次にスキップさせる"
2009545024.tif 000450
"であり、
上記第6キーでの基本キーの基本値は、一時停止機能である"
2009545024.tif 000451
"で、中央キー基本値は巻き戻しをする"
2009545024.tif 000452
"で、中央キー重複値は後ろにスキップさせる"
2009545024.tif 000453
"であり、
上記第8キーでの基本キーの基本値は、録音機能である"●"であるのを特徴とする文字入力方法。
【請求項２０】
請求項１又は請求項１７において、
上記文字入力方法は、カーソル移動文字入力装置またはレコードプレーヤー文字入力装置に適用されることを特徴とする文字入力方法。
【請求項２１】
請求項１７において、
上記第4キーは第4aキーと第4bキーより成り立ち、
上記第4aキーは上記第4キーで上部に位置するキーで、
上記第4bキーは上記第4aキーの下部に位置するキーあり、
上記第6キーは第6aキーと第6bキーより成り立ち、
上記第6aキーは上記第6キーで上部に位置するキーで、
上記第6bキーは上記第6aキーの下部に位置するキーであり、これらのキーを備えていることを特徴とする文字入力方法。
【請求項２２】
請求項２１において、
上記第1キーでの基本キーの基本値は"1"で、中央キー基本値は"("であり、
上記第2キーでの基本キーの基本値は"0"で、中央キー基本値は演算結果値を表示する"="で、中央キー重複値はすべての値を消して新たに計算を始める"AC"であり、
上記第3キーでの基本キーの基本値は"9"で、中央キー基本値は")"であり、
上記第4aキーでの基本キーの基本値は"2"で、中央キー基本値は"+"であり、
上記第4bキーでの基本キーの基本値は"3"で、中央キー基本値は"-"であり、
上記第5キーでの基本キーの基本値は電源を入れる"on"であり、
上記第6aキーでの基本キーの基本値は"8"で、中央キー基本値は"*"であり、
上記第6bキーでの基本キーの基本値は"7"で、中央キー基本値は"/"であり、
上記第7キーでの基本キーの基本値は"4"で、中央キー基本値は電源を消す"off"であり、
上記第8キーでの基本キーの基本値は"5"で、中央キー基本値は"."であり、
上記第9キーでの基本キーの基本値は"6"で、中央キー基本値はすぐ前の文字を削除する"
2009545024.tif 000454
"であるのを特徴とする演算用文字入力装置での文字入力方法。
【請求項２３】
請求項２１において、
上記第1キーでの基本キーの基本値は"1"で、中央キー基本値は年月日設定モードである"Day"であり、
上記第2キーでの基本キーの基本値は"0"で、中央キー基本値は入力した値を確認するOK"で、中央キー重複値は設定値を消して新たに入力を始める"AC"であり、
上記第3キーでの基本キーの基本値は"9"で、中央キー基本値は時分秒を表示する"Time"であり、
上記第4aキーでの基本キーの基本値は"2"で、中央キー基本値はストップ・ウオッチを開始する"
2009545024.tif 000455
"で、中央キー重複値はストップ・ウオッチを終了する"■"であり、
上記第4bキーでの基本キーの基本値は"3"で、中央キー基本値はカウントダウンのために時間を設定する"C.D"で、中央キー重複値はカウントダウン設定を取り消す"off"であり、
上記第5キーでの基本キーの基本値は電源を入れる"on"であり、
上記第6aキーでの基本キーの基本値は"8"で、中央キー基本値は音を上げる"▲"であり、
上記第6bキーでの基本キーの基本値は"7"で、中央キー基本値は音を下げる"▼"であり、
上記第7キーでの基本キーの基本値は"4"で、中央キー基本値は演算モードと時計モードを切り替える"N/W"であり、
上記第8キーでの基本キーの基本値は"5"で、中央キー基本値はアラーム時間を設定する"alarm"で、中央キー重複値はアラーム設定を取り消す"off"であり、
上記第9キーの基本値は"6"で、中央キー基本値はすぐ前の入力状態に戻る"
2009545024.tif 000456
"であるのを特徴とする演算/時計文字入力装置での文字入力方法。
【請求項２４】
請求項１乃至８の何れか１項において、
上記文字入力装置は3×4配列で成り立ち、
上記3×4配列の中で1行1列に位置する第11キー;
上記3×4配列の中で2行1列に位置する第12キー;
上記3×4配列の中で3行1列に位置する第13キー;
上記3×4配列の中で4行1列に位置する第14キー;
上記3×4配列の中で4行2列に位置する第15キー;
上記3×4配列の中で4行3列に位置する第16キー;
上記3×4配列の中で3行3列に位置する第17キー;
上記3×4配列の中で2行3列に位置する第18キー;
上記3×4配列の中で1行3列に位置する第19キー;
上記3×4配列の中で1行2列に位置する第20キー;
上記3×4配列の中で2行2列に位置する第1中央キー;
上記3×4配列の中で3行2列に位置する第2中央キー;
を備えていることを特徴とする文字入力方法。
【請求項２５】
請求項２４において、
上記第11キーでの基本キーの基本値は"1"で、中央キー基本値は"("で、遠い中央キー基本値は"<"であり、
上記第12キーでの基本キーの基本値は"2"で、中央キー基本値は"+"で、遠い中央キー基本値は"&"であり、
上記第13キーでの基本キーの基本値は"3"で、中央キー基本値は"-"で、遠い中央キー基本値は"%"であり、
上記第14キーでの基本キーの基本値は"4"で、中央キー基本値は言語入力モードと演算モードを変換する"W/N"で、遠い中央キー基本値は間隔をあける"Space"であり、
上記第15キーでの基本キーの基本値は"5"で、中央キー基本値は"."で、遠い中央キー基本値は"、"で、遠い中央キー重複値は"$"であり、
上記第16キーでの基本キーの基本値は"6"で、中央キー基本値は各言語と英語モードを変換させる"K/E"で、遠い中央キー基本値は"Enter"であり、
上記第17キーでの基本キーの基本値は"7"で、中央キー基本値は"/"で、遠い中央キー基本値は"÷"であり、
上記第18キーでの基本キーの基本値は"8"で、中央キー基本値は"*"で遠い中央キー基本値は"#"であり、
上記第19キーでの基本キーの基本値は"9"で、中央キー基本値は")"で、遠い中央キー基本値は">"であり、
上記第20キーでの基本キーの基本値は"0"で、中央キー基本値は"="で、遠い中央キー基本値は"^"であるのを特徴とする演算用文字入力装置での文字入力方法。
【請求項２６】
請求項２４において、
上記第11キーでの基本キーの基本値は"
2009545024.tif 000457
"で、中央キー基本値は"
2009545024.tif 000458
"で、中央キー重複値は"
2009545024.tif 000459
"であり、
上記第12キーでの基本キーの基本値は"
2009545024.tif 000460
"で、中央キー基本値は"
2009545024.tif 000461
"で、中央キー重複値は"
2009545024.tif 000462
"で、中央キー連続値は"
2009545024.tif 000463
"で、中央キー連続重複値は"
2009545024.tif 000464
"で、遠い中央キー基本値は"ロ"であり、
上記第13キーでの基本キーの基本値は"
2009545024.tif 000465
"で、中央キー基本値は"
2009545024.tif 000466
"で、中央キー重複値は"
2009545024.tif 000467
"で、中央キー連続値は"
2009545024.tif 000468
"で、中央キー連続重複値は"
2009545024.tif 000469
"で、遠い中央キー基本値は"
2009545024.tif 000470
"であり、
上記第14キーでの基本キーの基本値は"SPACE"で、中央キー基本値は"W/N"で、遠い中央キー基本値は"、"で、遠い中央キー重複値は";"で、遠い中央キー連続値は"'"で遠い中央キー連続重複値は"""であり、
上記第15キーでの基本キーの基本値は"ー"で、基本キー重複値は"
2009545024.tif 000471
"で、中央キー基本値は"
2009545024.tif 000472
"で、遠い中央キー基本値は"@"で、遠い中央キー重複値は"/"で、遠い中央キー連続値は"~"で、遠い中央キー連続重複値は"・"であり、
上記第16キーでの基本キーの基本値は"ENTER"で、中央キー基本値は"K/E"で、遠い中央キー基本値は"."で、遠い中央キー重複値は":"で、遠い中央キー連続値は"?"で遠い中央キー連続重複値は"!"であり、
上記制17キーでの基本キーの基本値は"
2009545024.tif 000473
"で、中央キー基本値は"
2009545024.tif 000474
"で、中央キー重複値は"
2009545024.tif 000475
"で中央キー連続値は"
2009545024.tif 000476
"で、中央キー連続重複値は"
2009545024.tif 000477
"で、遠い中央キー基本値は"
2009545024.tif 000478
"で、遠い中央キー重複値は"
2009545024.tif 000479
"であり、
上記第18キーでの基本キーの基本値は"
2009545024.tif 000480
"で、中央キー基本値は"
2009545024.tif 000481
"で、中央キー重複値は"
2009545024.tif 000482
"で、中央キー連続値は"
2009545024.tif 000483
"で、中央キー連続重複値は"
2009545024.tif 000484
"で、遠い中央キー基本値は"
2009545024.tif 000485
"で、遠い中央キー重複値は"
2009545024.tif 000486
"であり、
上記第19キーでの基本キーの基本値は"
2009545024.tif 000487
"で、中央キー基本値は"
2009545024.tif 000488
"で中央キー重複値は"
2009545024.tif 000489
"であり、
上記第20キーでの基本キーの基本値は"
2009545024.tif 000490
"で、中央キー基本値は"
2009545024.tif 000491
"で、中央キー重複値は"
2009545024.tif 000492
"であるのを特徴とする韓国語文字入力装置での文字入力方法。
【請求項２７】
請求項２４において、
上記第11キーでの基本キーの基本値は"G"で、中央キー基本値は"K"で、中央キー重複値は"X"で遠い中央キー基本値は"_"であり、
上記第12キーでの基本キーの基本値は"N"で、中央キー基本値は"a"で、中央キー重複値は"ya"で、中央キー連続値は"wa"で、中央キー三重値は"ay"で、中央キー連続重複値は"aw"で、遠い中央キー基本値は"M"で、遠い中央キー重複値は"
2009545024.tif 000493
"であり、
上記第13キーでの基本キーの基本値は"R"で、中央キー基本値は"o"で、中央キー重複値は"yo"で、中央キー連続値は"wo"で、中央キー三重値は"oy"で、中央キー連続重複値"ow"で、遠い中央キー基本値は"L"で、遠い中央キー重複値は"Q"であり、
上記第14キーでの基本キーの基本値は"SPACE"で、中央キー基本値は"W/N"で、遠い中央キー基本値は"、"で、遠い中央キー重複値は";"で、遠い中央キー連続値は"'"で遠い中央キー連続重複値は"""であり、
上記第15キーでの基本キーの基本値は"CAP"で、中央キー基本値は"I"で、中央キー重複値は"yi"で、中央キー連続値は"wi"で、中央キー三重値は"iy"で、中央キー連続重複値は"iw"で、遠い中央キー基本値は"@"で、遠い中央キー重複値は"/"で、遠い中央キー連続値は"・"で、遠い中央キー連続重複値は"~"であり、
上記第16キーでの基本キーの基本値は"ENTER"で、中央キー基本値は"K/E"で、遠い中央キー基本値は"."で、遠い中央キー重複値は":"で、遠い中央キー連続値は"?"で、遠い中央キー連続重複値は"!"で、遠い中央キー重複連続値は"
2009545024.tif 000494
"で、遠い中央キー重複連続重複値は"
2009545024.tif 000495
"であり、
上記第17キーでの基本キーの基本値は"H"で、中央キー基本値は"u"で、中央キー重複値は"yu"で、中央キー連続値は"wu"で、中央キー三重値は"uy"で、中央キー連続重複値は"uw"で、遠い中央キー基本値は"J"で、遠い中央キー重複値は"Z"で、遠い中央キー連続値は"
2009545024.tif 000496
"であり、
上記第18キーでの基本キーの基本値は"S"で、中央キー基本値は"e"で、中央キー重複値は"ye"で、中央キー連続値は"we"で、中央キー三重値は"ey"で、中央キー連続重複値は"ew"で、遠い中央キー基本値は"C"で、遠い中央キー重複値は"Y"で、遠い中央キー連続値は"β"であり、
上記第19キーでの基本キーの基本値は"B"で、中央キー基本値は"P"で、中央キー重複値は"V"で、遠い中央キー基本値は"F"であり、
上記第20キーでの基本キーの基本値は"D"で、中央キー基本値は"T"で、中央キー重複値は"W"で、中央キー連続値は"WH"で、遠い中央キー基本値は"-"であるのを特徴とするローマ字文字入力装置での文字入力方法。
【請求項２８】
請求項２４において、
上記第11キーでの基本キーの基本値は"1"で、中央キー基本値は"("で、中央キー重複値は"<"で、遠い中央キー基本値は年月日設定モードである"Day"であり、
上記第12キーでの基本キーの基本値は"2"で、中央キー基本値は"+"で、中央キー重複値は"&"で、遠い中央キー基本値はストップ・ウオッチを始める"
2009545024.tif 000497
"で、遠い中央キー重複値はストップ・ウオッチを終わらせる"■"であり、
上記第13キーでの基本キーの基本値は"3"で、中央キー基本値は"-"で、中央キー重複値は"%"で、遠い中央キー基本値はカウントダウンのために時間を設定する"C.D"で遠い中央キー重複値はカウントダウン設定を取り消す"off"であり、
上記第14キーでの基本キーの基本値は"4"で、中央キー基本値は言語入力モードと演算モードを変換する"W/N"で、遠い中央キー基本値は間隔をあける"Space"であり、
上記第15キーでの基本キーの基本値は"5"で、中央キー基本値は"."で中央キー重複値は"、"で、遠い中央キー基本値はアラーム時間を設定する"alarm"で、遠い中央キー重複値はアラーム設定を取り消す"off"であり、
上記第16キーでの基本キーの基本値は"6"で、中央キー基本値はウォン貨表示である"
2009545024.tif 000498
"で中央キー重複値は、米貨表示である"$"で、遠い中央キー基本値は"Enter"であり、
上記第17キーでの基本キーの基本値は"7"で、中央キー基本値は"/"で中央キー重複値は"÷"で、遠い中央キー基本値は音を下げる"▼"であり
上記第18キーでの基本キーの基本値は"8"で、中央キー基本値は"*"で、中央キー重複値は"#"で、遠い中央キー基本値は音を上げる"▲"であり、
上記第19キーでの基本キーの基本値は"9"で、中央キー基本値は")"で、中央キー重複値は">"で、遠い中央キー基本値は時分秒を表示する"Time"であり、
上記第20キーでの基本キーの基本値は"0"で、中央キー基本値は"="で、中央キー重複値は"^"で、遠い中央キー基本値は設定のために入力した値を確認する"OK"で、遠い中央キー重複値は設定値を消して新たに入力を始める"AC"であるのを特徴とする韓国語-ローマ字統合型文字入力装置での文字入力方法。
【請求項２９】
請求項２４において、
上記文字入力装置は、演算用文字入力装置または韓国語文字入力装置またはローマ字文字入力装置に適用されることを特徴とする文字入力方法。
【請求項３０】
請求項１乃至８の何れか１項において、
上記文字入力装置は3×3配列の第1文字入力装置と3×4配列の第2文字入力装置で成り立ち、
上記第1文字入力装置は上記3×3配列で1行1列に位置する第1キー、1行2列に位置する第2キー、1行3列に位置する第3キー、2行1列に位置する第4キー、2行2列に位置する第5キー、2行3列に位置する第6キー、3行1列に位置する第7キー、3行2列に位置する第8キー、3行3列に位置する第9キーを備え、
上記第2文字入力装置は上記3×4配列の中で1行1列に位置する第11キー、2行1列に位置する第12キー、3行1列に位置する第13キー、4行1列に位置する第14キー、4行2列に位置する第15キー、4行3列に位置する第16キー、3行3列に位置するキーは第17キー、2行3列に位置するキーは第18キー、1行3列に位置する第19キー、1行2列に位置する第20キー、2行2列に位置する第1中央キー、3行2列に位置する第2中央キーを備えていることを特徴とする文字入力方法。
【請求項３１】
請求項３０において、
上記第1文字入力装置は母音のための文字入力装置であり、上記第2文字入力装置は子音のための文字入力装置であることを特徴とする文字入力方法。
【請求項３２】
請求項３１において、上記第1文字入力装置は、
上記第2キーでの基本キーの基本値は"
2009545024.tif 000499
"で、基本キー重複値は"
2009545024.tif 000500
"で、中央キー基本値は"
2009545024.tif 000501
"であり、
上記第4キーでの基本キーの基本値は"
2009545024.tif 000502
"で、基本キー重複値は"
2009545024.tif 000503
"で、中央キー基本値は"
2009545024.tif 000504
"で中央キー重複値は"
2009545024.tif 000505
"であり、
上記第5キーでの基本キーの基本値は"
2009545024.tif 000506
"で、基本キー重複値は"ー"で、三重複値は"
2009545024.tif 000507
"であり、
上記第6キーでの基本キーの基本値は"
2009545024.tif 000508
"で、基本キー重複値は"
2009545024.tif 000509
"で、中央キー基本値は"
2009545024.tif 000510
"で、中央キー重複値は"
2009545024.tif 000511
"であり、
上記第8キーでの基本キーの基本値は"
2009545024.tif 000512
"で、基本キー重複値は"
2009545024.tif 000513
"で、中央キー基本値は"
2009545024.tif 000514
"であり、
上記第8キーが押した後、上記第4キーを押すと"
2009545024.tif 000515
"が作成され、引き続き上記第5キーを押すと"
2009545024.tif 000516
"が作成され、
上記第2キーを押した後、上記第6キーを押すと"
2009545024.tif 000517
"が作成され、引き続き上記第5キーを押すと"
2009545024.tif 000518
"が作成されられることを特徴とする韓国語文字入力装置での文字入力方法。
【請求項３３】
請求項３２において、上記第2文字入力装置は、
上記第11キーでの基本キーの基本値は"
2009545024.tif 000519
"で、中央キー基本値は"ロ"であり、
上記第12キーでの基本キーの基本値は"
2009545024.tif 000520
"で、中央キー基本値は"
2009545024.tif 000521
"で、中央キー重複値は"
2009545024.tif 000522
"であり、
上記第13キーでの基本キーの基本値は"
2009545024.tif 000523
"で、中央キー基本値は"
2009545024.tif 000524
"で、中央キー重複値は"
2009545024.tif 000525
"であり、
上記第15キーでの基本キーの基本値は"
2009545024.tif 000526
"で、中央キー基本値は"
2009545024.tif 000527
"で、遠い中央キー基本値は"@"で、遠い中央キー重複値は"/"であり、
上記第17キーでの基本キーの基本値は"
2009545024.tif 000528
"で、中央キー基本値は"
2009545024.tif 000529
"で、遠い中央キー基本値は"
2009545024.tif 000530
"であり、
上記第18キーでの基本キーの基本値は"
2009545024.tif 000531
"で、中央キー基本値は"
2009545024.tif 000532
"で、遠い中央キー基本値は"
2009545024.tif 000533
"であり、
上記第19キーでの基本キーの基本値は"
2009545024.tif 000534
"で、中央キー基本値は"ー"であり、
上記第20キーでの基本キーの基本値は"
2009545024.tif 000535
"で、中央キー基本値は"
2009545024.tif 000536
"であるのを特徴とする韓国語文字入力装置での文字入力方法。
【請求項３４】
請求項３１において、
上記第1文字入力装置は、母音中
2009545024.tif 000537
を基本キーの基本値とし、残りの母音は基本キー重複値、中央キー基本値、中央キー重複値を利用して表わされ、
上記第2文字入力装置は、
2009545024.tif 000538
を基本値とし、残りの子音は中央キー基本値、中央キー重複値、遠い中央キー基本値を利用して表わされることを特徴とする韓国語文字入力装置での文字入力方法。
【請求項３５】
請求項３１において、上記第1文字入力装置は、
上記第2キーでの基本キーの基本値は"U"であり、
上記第4キーでの基本キーの基本値は"A"であり、
上記第5キーでの基本キーの基本値は"I"であり、
上記第6キーでの基本キーの基本値は"E"であり、
上記第8キーでの基本キーの基本値は"O"であるのを特徴とするローマ字分離型文字入力装置での文字入力方法。
【請求項３６】
請求項３５において、上記第2文字入力装置は、
上記第12キーでの基本キーの基本値は"N"で、中央キー基本値は"M"で、遠い中央キー基本値は"W"で、遠い中央キー連続値は"
2009545024.tif 000539
"であり、
上記第13キーでの基本キーの基本値は"R"で、中央キー基本値は"L"で、遠い中央キー基本値は"Q"であり、
上記第15キーでの基本キーの基本値は"CAP"で、中央キー基本値は"@"で、中央キー重複値は"/"で、中央キー連続値は"・"であり、
上記第17キーでの基本キーの基本値は"H"で、中央キー基本値は"J"で、遠い中央キー基本値は"Z"で、遠い中央キー連続値は"
2009545024.tif 000540
"であり、
上記第18キーでの基本キーの基本値は"S"で、中央キー基本値は"C"で、遠い中央キー基本値は"Y"で、遠い中央キー連続値は"β"であるのを特徴とするローマ字分離型文字入力装置での文字入力方法。
【請求項３７】
請求項３１において、
上記第1文字入力装置は"U"、"A"、"I"、"E"、"O"を基本キーの基本値とし、
上記第2文字入力装置は"N、"R"、"H"、"S"、"G"、"B"、"D"を基本キーの基本値とし、これらの中央キー基本値、中央キー重複値、中央キー連続値、遠い中央キー基本値、遠い中央キー連続値を利用し残りのアルファベットを表わすことを特徴とするローマ字分離型文字入力装置での文字入力方法。
【請求項３８】
請求項２４において、
上記第11キーでの基本キーの基本値は"や"で、中央キー基本値は"あ"で、中央キー重複値は"い"で、中央キー三重値は"う"で、中央キー連続値は"え"で、中央キー連続重複値は"お"であり、
上記第12キーでの基本キーの基本値は"わ"で、中央キー基本値は"た"で、中央キー重複値は"ち"で、中央キー三重値は"つ"で、中央キー連続値は"て"で、中央キー連続重複値は"と"で、遠い中央キー基本値は"だ"で、遠い中央キー重複値は"ぢ"で、遠い中央キー三重値は"づ"で、遠い中央キー連続値は"で"で、遠い中央キー連続重複値は"ど"であり、
上記第13キーでの基本キーの基本値は"ん"で、中央キー基本値は"は"で、中央キー重複値は"ひ"で、中央キー三重値は"ふ"で、中央キー連続値は"へ"で、中央キー連続重複値は"ほ"で、遠い中央キー基本値は"ば"で、遠い中央キー重複値は"び"で、遠い中央キー三重値は"ぶ"で、遠い中央キー連続値は"べ"で、遠い中央キー連続重複値は"ぼ"であり、
上記第14キーでの基本キーの基本値は"SPACE"で、中央キー基本値は"W/N"で、遠い中央キー基本値は"、"で、遠い中央キー重複値は";"で、遠い中央キー連続値は"'"で遠い中央キー連続重複値は"""であり、
上記第15キーでの基本キーの基本値は平仮名と片仮名の変換をする"ひ/カ"で、中央キー基本値は片仮名の長音符号である"―"で、中央キー重複値は"_"で、遠い中央キー基本値は"@"で、遠い中央キー重複値は"/"であり、
上記第16キーでの基本キーの基本値は"ENTER"で、中央キー基本値は"J/E"で、遠い中央キー基本値は"。"で、遠い中央キー重複値は":"で、遠い中央キー連続値は"?"で遠い中央キー連続重複値は"!"であり、
上記第17キーでの基本キーの基本値は"っ"で、中央キー基本値は"ま"で、中央キー重複値は"み"で、中央キー三重値は"む"で、中央キー連続値は"め"で、中央キー連続重複値は"も"で、遠い中央キー基本値は"ぱ"で、遠い中央キー重複値は"ぴ"で、遠い中央キー三重値は"ぷ"で、遠い中央キー連続値は"ぺ"で、遠い中央キー連続重複値は"ぽ"であり、
上記第18キーでの基本キーの基本値は"を"で、中央キー基本値は"な"で、中央キー重複値は"に"で、中央キー三重値は"ぬ"で、中央キー連続値は"ね"で、中央キー連続重複値は"の"で、遠い中央キー基本値は"ら"で、遠い中央キー重複値は"り"で、遠い中央キー三重値は"る"で、遠い中央キー連続値は"れ"で、遠い中央キー連続重複値は"ろ"であり、
上記第19キーでの基本キーの基本値は"よ"で、中央キー基本値は"さ"で、中央キー重複値は"し"で、中央キー三重値は"す"で、中央キー連続値は"せ"で、中央キー連続重複値は"そ"で、遠い中央キー基本値は"ざ"で、遠い中央キー重複値は"じ"で、遠い中央キー三重値は"ず"で、遠い中央キー連続値は"ぜ"で、遠い中央キー連続重複値は"ぞ"であり、
上記第20キーでの基本キーの基本値は"ゆ"で、中央キー基本値は"か"で、中央キー重複値は"き"で、中央キー三重値は"く"で、中央キー連続値は"け"で、中央キー連続重複値は"こ"で、遠い中央キー基本値は"が"で、遠い中央キー重複値は"ぎ"で、遠い中央キー三重値は"ぐ"で、遠い中央キー連続値は"げ"で、遠い中央キー連続重複値は"ご"であるのを特徴とする日本語文字入力装置での文字入力方法。
【請求項３９】
請求項２４において、
上記文字入力装置での"や"、"わ"、"ん"、"つ"、"を"、"よ"、"ゆ"を基本キーの基本値にして、
"あ、か、た"を含むあ列は中央キー基本値または遠い中央キー基本値で表わし、
"い、き、ち"を含むい列は中央キー重複値または遠い中央キー重複値で表わし、
"う、く、つ"を含むう列は中央キー三重値または遠い中央キー三重値で表わし、
"え、け、て"を含むえ列は中央キー連続値または遠い中央キー連続値で表わし、
"お、こ、と"を含むお列は中央キー連続重複値または遠い中央キー連続重複値で表わすことを特徴とする日本語文字入力装置での文字入力方法。
【請求項４０】
請求項２４において、
上記第11キーでの基本キーの基本値は"K"で、中央キー基本値は"G"で、中央キー重複値は"X"で、遠い中央キー基本値は"_"であり、
上記第12キーでの基本キーの基本値は"N"で、基本キー重複値は"ん"で、中央キー基本値は"a"で、中央キー重複値は"ya"で、中央キー連続値は"wa"で、遠い中央キー基本値は"M"で、遠い中央キー重複値は"
2009545024.tif 000541
"であり、
上記第13キーでの基本キーの基本値は"R"で、中央キー基本値は"o"で、中央キー重複値は"yo"で、中央キー連続値は"wo"で、遠い中央キー基本値は"L"で、遠い中央キー重複値は"Q"であり、
上記第15キーでの基本キーの基本値は平仮名と片仮名変換をする"h/k"で、中央キー基本値は"I"で、中央キー重複値は"yi"で中央キー連続値は"wi"で、遠い中央キー基本値は"@"で、遠い中央キー重複値は"/"で、遠い中央キー連続値は"・"であり、
上記第17キーでの基本キーの基本値は"H"で、中央キー基本値は"u"で、中央キー重複値は"yu"で、中央キー連続値は"wu"で、遠い中央キー基本値は"C"で、遠い中央キー重複値は"Y"で、遠い中央キー連続値は"
2009545024.tif 000542
"であり、
上記第18キーでの基本キーの基本値は"S"で、中央キー基本値は"e"で、中央キー重複値は"ye"で、中央キー連続値は"we"で、遠い中央キー基本値は"J"で、遠い中央キー重複値は"Z"で、遠い中央キー連続値は"β"であり、
上記第19キーでの基本キーの基本値は"P"で、中央キー基本値は"B"で、中央キー重複値は"V"で、遠い中央キー基本値は"F"であり、
上記第20キーでの基本キーの基本値は"T"で、中央キー基本値は"D"で、中央キー重複値は"W"で中央キー連続値は"WH"で遠い中央キー基本値は"-"であるのを特徴とするローマ字-日本語文字入力装置での文字入力方法。
【請求項４１】
請求項２４において、
上記第11キーでの基本キーの基本値は"
2009545024.tif 000543
"で、基本キー重複値は"
2009545024.tif 000544
"で、中央キー基本値は"
2009545024.tif 000545
"で、中央キー重複値は"
2009545024.tif 000546
"で、遠い中央キー基本値は"
2009545024.tif 000547
"で、遠い中央キー重複値は"
2009545024.tif 000548
"であり、
上記第12キーでの基本キーの基本値は"
2009545024.tif 000549
"で、基本キー重複値は"
2009545024.tif 000550
"で、中央キー基本値は"
2009545024.tif 000551
"で、中央キー重複値は"
2009545024.tif 000552
"で、遠い中央キー基本値は"
2009545024.tif 000553
"で、遠い中央キー重複値は"
2009545024.tif 000554
"であり、
上記第13キーでの基本キーの基本値は"
2009545024.tif 000555
"で、基本キー重複値は"
2009545024.tif 000556
"で、中央キー基本値は"
2009545024.tif 000557
"で、中央キー重複値は"
2009545024.tif 000558
"で、遠い中央キー基本値は"
2009545024.tif 000559
"で遠い中央キー重複値は"_"であり、
上記第14キーでの基本キーの基本値は間隔をあける"SPACE"で、中央キー基本値は中国語入力モードと演算モードを変換する"W/N"で、遠い中央キー基本値は"、"で、遠い中央キー重複値は";"で、遠い中央キー連続値は"'"で遠い中央キー連続重複値は"""であり、
上記第15キーでの基本キーの基本値は"
2009545024.tif 000560
"で、中央キー基本値は"
2009545024.tif 000561
"で、遠い中央キー基本値は"@"で、遠い中央キー重複値は"/"で、遠い中央キー連続値は"・"であり、
上記第16キーでの基本キーの基本値は列を変える"ENTER"で、中央キー基本値はローマ字入力モードと中国語入力モードを変換する"C/E"で、遠い中央キー基本値は"."で、遠い中央キー重複値は":"で、遠い中央キー連続値は"?"で、遠い中央キー連続重複値は"!"で、遠い中央キー重複連続値は"
2009545024.tif 000562
"で、遠い中央キー重複連続重複値は"
2009545024.tif 000563
"であり、
上記第17キーでの基本キーの基本値は"
2009545024.tif 000564
"で、中央キー基本値は"
2009545024.tif 000565
"で、中央キー重複値は"
2009545024.tif 000566
"で、遠い中央キー基本値は"
2009545024.tif 000567
"で、遠い中央キー重複値は"-"であり、
上記第18キーでの基本キーの基本値は"
2009545024.tif 000568
"で、基本キー重複値は"
2009545024.tif 000569
"で、中央キー基本値は"
2009545024.tif 000570
"で、中央キー重複値は"
2009545024.tif 000571
"で、遠い中央キー基本値は"
2009545024.tif 000572
"で、遠い中央キー重複値は"
2009545024.tif 000573
"であり、
上記第19キーでの基本キーの基本値は"
2009545024.tif 000574
"で、基本キー重複値は"
2009545024.tif 000575
"で、中央キー基本値は"
2009545024.tif 000576
"で、中央キー重複値は"
2009545024.tif 000577
"で、遠い中央キー基本値は"
2009545024.tif 000578
"で、遠い中央キー重複値は"
2009545024.tif 000579
"であり、
上記第20キーでの基本キーの基本値は"
2009545024.tif 000580
"で、基本キー重複値は"
2009545024.tif 000581
"で、中央キー基本値は"
2009545024.tif 000582
"で、中央キー重複値は"
2009545024.tif 000583
"で、遠い中央キー基本値は"
2009545024.tif 000584
"で、遠い中央キー重複値は"
2009545024.tif 000585
"であるのを特徴とする発音記号を利用した中国語文字入力装置での文字入力方法。
【請求項４２】
請求項２４において、
上記文字入力装置で"
2009545024.tif 000586
"、"
2009545024.tif 000587
"、"
2009545024.tif 000588
"、"
2009545024.tif 000589
"、"
2009545024.tif 000590
"、"
2009545024.tif 000591
"、"
2009545024.tif 000592
"、"
2009545024.tif 000593
"を基本キーの基本値とし、残りの文字を基本キー重複値、基本キー重複値、中央キー基本値、中央キー重複値、遠い中央キー基本値、遠い中央キー重複値、遠い中央キー連続値を利用して入力することを特徴とする中国語文字入力装置での文字入力方法。
【請求項４３】
請求項２４において、
上記第11キーでの基本キーの基本値は"G"で、中央キー基本値は"K"で、中央キー重複値は"F"で、中央キー連続値は"_"で、遠い中央キー基本値は"J"であり、
上記第12キーでの基本キーの基本値は"N"で、中央キー基本値は"a"で、中央キー重複値は"ya"で、中央キー連続値は"wa"で中央キー三重値は"ay"で、中央キー連続重複値は"aw"で、遠い中央キー基本値は"M"で、遠い中央キー重複値は"
2009545024.tif 000594
"であり、
上記第13キーでの基本キーの基本値は"R"で、中央キー基本値は"o"で、中央キー重複値は"yo"で、中央キー連続値は"wo"で中央キー三重値は"oy"で、中央キー連続重複値は"ow"で、遠い中央キー基本値は"L"で、遠い中央キー重複値は"Y"であり、
上記第15キーでの基本キーの基本値は"I"で、中央キー基本値は"yi"で、中央キー重複値は"yu"で、中央キー連続値は"wi"で、中央キー三重値は"iy"で、中央キー連続重複値は"iw"で、遠い中央キー基本値は"@"で、遠い中央キー重複値は"/"で遠い中央キー連続値は"・"であり、
上記第17キーでの基本キーの基本値は"H"で、中央キー基本値は"u"で、中央キー重複値は"yu"で、中央キー連続値は"wu"で、中央キー三重値は"uy"で、中央キー連続重複値は"uw"で、遠い中央キー基本値は"Z"で、遠い中央キー重複値は"β"であり、
上記第18キーでの基本キーの基本値は"S"で、中央キー基本値は"e"で、中央キー重複値は"ye"で、中央キー連続値は"we"で、中央キー三重値は"ey"で、中央キー連続重複値は"ew"で、遠い中央キー基本値は"C"で、遠い中央キー重複値は"
2009545024.tif 000595
"であり、
上記第19キーでの基本キーの基本値は"B"で、中央キー基本値は"P"で、中央キー重複値は"V"で、中央キー連続値は"-"で、遠い中央キー基本値は"X"であり、
上記第20キーでの基本キーの基本値は"D"で、中央キー基本値は"T"で、中央キー重複値は"W"で、中央キー連続値は"WH"で、遠い中央キー基本値は"Q"であるのを特徴とするローマ字-中国語文字入力装置での文字入力方法。
【請求項４４】
請求項２４において、
上記第11キーでの基本キーの基本値は"G"で、中央キー基本値は"K"で、中央キー重複値は"X"で、遠い中央キー基本値は"_"であり、
上記第12キーでの基本キーの基本値は"N"で、中央キー基本値は"a"で、中央キー重複値は"
2009545024.tif 000596
"で、遠い中央キー基本値は"M"で、遠い中央キー重複値は"
2009545024.tif 000597
"であり、
上記第13キーでの基本キーの基本値は"R"で、中央キー基本値は"o"で、中央キー重複値は"
2009545024.tif 000598
"で、遠い中央キー基本値は"L"で、遠い中央キー重複値は"Q"であり、
上記第15キーでの基本キーの基本値は大小文字の変換をしてくれる"CAP"で、中央キー基本値は"I"で、中央キー重複値は"
2009545024.tif 000599
"で、遠い中央キー基本値は"@"で、遠い中央キー重複値は"/"であり、
上記第17キーでの基本キーの基本値は"H"で、中央キー基本値は"u"で、中央キー重複値は"
2009545024.tif 000600
"で遠い中央キー基本値は"J"で、遠い中央キー重複値は"Z"で遠い中央キー連続値は"
2009545024.tif 000601
"であり、
上記第18キーでの基本キーの基本値は"S"で、中央キー基本値は"e"で、遠い中央キー基本値は"C"で、遠い中央キー重複値は"Y"で、遠い中央キー連続値は"β"であり、
上記第19キーでの基本キーの基本値は"B"で、中央キー基本値は"P"で、中央キー重複値は"V"で、遠い中央キー基本値は"F"であり、
上記第20キーでの基本キーの基本値は"D"で、中央キー基本値は"T"で、中央キー重複値は"W"で、中央キー連続値は"WH"で、遠い中央キー基本値は"-"であるのを特徴とするローマ字-ドイツ語文字入力装置での文字入力方法。
【請求項４５】
請求項２４において、
上記第11キーでの基本キーの基本値は"G"で、中央キー基本値は"K"で、中央キー重複値は"X"で、遠い中央キー基本値は"_"であり、
上記第12キーでの基本キーの基本値は"N"で、中央キー基本値は"a"で、中央キー重複値は"
2009545024.tif 000602
"で、中央キー連続値は"
2009545024.tif 000603
"で、中央キー連続重複値は"
2009545024.tif 000604
"で、遠い中央キー基本値は"M"で、遠い中央キー重複値は"
2009545024.tif 000605
"であり、
上記第13キーでの基本キーの基本値は"R"で、中央キー基本値は"o"で、中央キー重複値は"
2009545024.tif 000606
"で中央キー連続値は"
2009545024.tif 000607
"で、中央キー連続重複値は"
2009545024.tif 000608
"で、遠い中央キー基本値は"L"で、遠い中央キー重複値は"Q"であり、
上記第15キーでの基本キーの基本値は"CAP"で、中央キー基本値は"I"で、中央キー重複値は"
2009545024.tif 000609
"で、中央キー連続値は"
2009545024.tif 000610
"で、中央キー連続重複値は"
2009545024.tif 000611
"で、遠い中央キー基本値は"@"で、遠い中央キー重複値は"/"で、遠い中央キー連続値は"・"で、遠い中央キー連続重複値は"~"であり、
上記第17キーでの基本キーの基本値は"H"で、中央キー基本値は"u"で、中央キー重複値は"
2009545024.tif 000612
"で、中央キー連続値は"
2009545024.tif 000613
"で、中央キー連続重複値は"
2009545024.tif 000614
"で、遠い中央キー基本値は"J"で、遠い中央キー重複値は"Z"で、遠い中央キー連続値は"
2009545024.tif 000615
"であり、
上記第18キーでの基本キーの基本値は"S"で、中央キー基本値は"e"で、中央キー重複値は"
2009545024.tif 000616
"で、中央キー連続値は"
2009545024.tif 000617
"で、中央キー連続重複値は"
2009545024.tif 000618
"で、中央キー三重値は"
2009545024.tif 000619
"で、遠い中央キー基本値は"C"で、遠い中央キー重複値は"Y"で、遠い中央キー連続値は"β"であり、
上記第19キーでの基本キーの基本値は"B"で、中央キー基本値は"P"で、中央キー重複値は"V"で、遠い中央キー基本値は"F"であり、
上記第20キーでの基本キーの基本値は"D"で、中央キー基本値は"T"で、中央キー重複値は"W"で、中央キー連続値は"WH"で、遠い中央キー基本値は"-"であるのを特徴とするローマ字-フランス語文字入力装置での文字入力方法。
【請求項４６】
請求項２４において、
上記第11キーでの基本キーの基本値は"G"、中央キー基本値は"K"で、中央キー重複値は"X"で、中央キー連続値は"_"で、遠い中央キー基本値は"GI"であり、
上記第12キーでの基本キーの基本値は"N"で、中央キー基本値は"A"で、中央キー重複値は"
2009545024.tif 000620
"で、中央キー連続値は"
2009545024.tif 000621
"で、遠い中央キー基本値は"M"で、遠い中央キー重複値は"
2009545024.tif 000622
"であり、
上記第13キーでの基本キーの基本値は"R"で、中央キー基本値は"O"で、中央キー重複値は"
2009545024.tif 000623
"で、中央キー連続値は"O'"で、遠い中央キー基本値は"L"で、遠い中央キー重複値は"Q"であり、
上記第15キーでの基本キーの基本値は"CAP"で、中央キー基本値は"I"で、遠い中央キー基本値は"@"で、遠い中央キー重複値は"/"であり、
上記第17キーでの基本キーの基本値は"H"で、中央キー基本値は"U"で、中央キー重複値は"U'"で、遠い中央キー基本値は"J"で、遠い中央キー重複値は"Z"で、遠い中央キー連続値は"
2009545024.tif 000624
"であり、
上記第18キーでの基本キーの基本値は"S"で、中央キー基本値は"E"で、中央キー重複値は"
2009545024.tif 000625
"で、遠い中央キー基本値は"C"で、遠い中央キー重複値は"Y"で、遠い中央キー重複値は"β"であり、
上記第19キーでの基本キーの基本値は"B"で、中央キー基本値は"P"で、中央キー重複値は"V"で、中央キー連続値は"-"で、遠い中央キー基本値は"F"であり、
上記第20キーでの基本キーの基本値は"D"で、中央キー基本値は"T"で、中央キー重複値は"W"で、中央キー連続値は"WH"で、遠い中央キー基本値は"
2009545024.tif 000626
"であるのを特徴とするローマ字-ベトナム語文字入力装置での文字入力方法。
【請求項４７】
請求項２４において、
上記第11キーでの基本キーの基本値は"
2009545024.tif 000627
"で、中央キー基本値は"
2009545024.tif 000628
"で、中央キー重複値は"ｘ"で、遠い中央キー基本値は"_"であり、
上記第12キーでの基本キーの基本値は"H"で、中央キー基本値は"a"で、中央キー重複値は"
2009545024.tif 000629
"で、中央キー連続値は"
2009545024.tif 000630
"で、遠い中央キー基本値は"M"であり、
上記第13キーでの基本キーの基本値は"ｐ"で、中央キー基本値は"o"で、中央キー重複値は"
2009545024.tif 000631
"で、中央キー連続値は"b"で、遠い中央キー基本値は"JI"であり、
上記第15キーでの基本キーの基本値は"CAP"で、中央キー基本値は"
2009545024.tif 000632
"で、中央キー重複値は"
2009545024.tif 000633
"で、中央キー連続値は"bI"で、遠い中央キー基本値は"@"で、遠い中央キー重複値は"/"で、遠い中央キー連続値は"~"で、遠い中央キー連続重複値は"・"であり、
上記第17キーでの基本キーの基本値は"３"で、中央キー基本値は"
2009545024.tif 000634
"で、中央キー重複値は"y"で、遠い中央キー基本値は"
2009545024.tif 000635
"で、遠い中央キー重複値は"
2009545024.tif 000636
"であり、
上記第18キーでの基本キーの基本値は"c"で、中央キー基本値は"３"で、中央キー重複値は"e"で、遠い中央キー基本値は"
2009545024.tif 000637
"で、遠い中央キー重複値は"
2009545024.tif 000638
"であり、
上記第19キーでの基本キーの基本値は"
2009545024.tif 000639
"で、中央キー基本値は"
2009545024.tif 000640
"で、中央キー重複値は"B"で、遠い中央キー基本値は"
2009545024.tif 000641
"であり、
上記第20キーでの基本キーの基本値は"
2009545024.tif 000642
"で、中央キー基本値は"T"で、中央キー重複値は"
2009545024.tif 000643
"で、遠い中央キー基本値は"-"であるのを特徴とするロシア語文字入力装置での文字入力方法。
【請求項４８】
請求項２４において、
上記第11キーでの基本キーの基本値は"
2009545024.tif 000644
"で、中央キー基本値は"
2009545024.tif 000645
"で、中央キー重複値は"x"で、中央キー連続値は"
2009545024.tif 000646
"で、遠い中央キー重複値は"
2009545024.tif 000647
"で、遠い中央キー重複値は"
2009545024.tif 000648
"であり、
上記第12キーでの基本キーの基本値は"
2009545024.tif 000649
"で中、央キー基本値は"
2009545024.tif 000650
"で、中央キー重複値は"
2009545024.tif 000651
"で、中央キー連続値は"
2009545024.tif 000652
"で、遠い中央キー基本値は"
2009545024.tif 000653
"で、遠い中央キー重複値は"
2009545024.tif 000654
"で、遠い中央キー連続値は"
2009545024.tif 000655
"で、遠い中央キー連続重複値は"
2009545024.tif 000656
"であり、
上記第13で基本キーの基本値は"
2009545024.tif 000657
"で、中央キー基本値は"
2009545024.tif 000658
"で、中央キー重複値は"
2009545024.tif 000659
"で、中央キー連続値は"
2009545024.tif 000660
"で、中央キー連続重複値は"
2009545024.tif 000661
"で、遠い中央キー基本値は"
2009545024.tif 000662
"で、遠い中央キー重複値は"
2009545024.tif 000663
"で、遠い中央キー連続値は"
2009545024.tif 000664
"であり、
上記第15キーでの基本キーの基本値はすでに作成されている文字をもう一度変換させる時に使う"hCap"で、中央キー基本値は"
2009545024.tif 000665
"で、中央キー重複値は"
2009545024.tif 000666
"で、中央キー連続値は"
2009545024.tif 000667
"で、遠い中央キー基本値は"@"で、遠い中央キー重複値は"/"で、遠い中央キー連続値は"・"であり、
上記第17キーでの基本キーの基本値は"
2009545024.tif 000668
"で、中央キー基本値は"
2009545024.tif 000669
"で、中央キー重複値は"
2009545024.tif 000670
"で、遠い中央キー基本値は"
2009545024.tif 000671
"で、遠い中央キー重複値は"
2009545024.tif 000672
"で、遠い中央キー連続値は"-"であり、
上記第18キーでの基本キーの基本値は"
2009545024.tif 000673
"で、央キー基本値は"
2009545024.tif 000674
"で、中央キー重複値は"
2009545024.tif 000675
"で、中央キー連続値は"
2009545024.tif 000676
"で、中央キー連続重複値は"
2009545024.tif 000677
"で、遠い中央キー基本値は"
2009545024.tif 000678
"で、遠い中央キー重複値は"
2009545024.tif 000679
"で、遠い中央キー連続値は"
2009545024.tif 000680
"であり、
上記第19キーでの基本キーの基本値は"
2009545024.tif 000681
"で、中央キー基本値は"
2009545024.tif 000682
"で、中央キー重複値は"
2009545024.tif 000683
"で、中央キー連続値は"
2009545024.tif 000684
"で、遠い中央キー基本値は"
2009545024.tif 000685
"で、遠い中央キー重複値は"_"であり、
上記第20キーでの基本キーの基本値は"
2009545024.tif 000686
"で、中央キー基本値は"
2009545024.tif 000687
"で、中央キー重複値は"w"で、中央キー連続値は"
2009545024.tif 000688
"で、遠い中央キー基本値は"
2009545024.tif 000689
"で、遠い中央キー重複値は"
2009545024.tif 000690
"であるのを特徴とするヒンズー語文字入力装置での文字入力方法。
【請求項４９】
請求項２４において、
上記第11キーでの基本キーの基本値は"g"で、中央キー基本値は"k"で、中央キー重複値は"x"で、中央キー連続値は"gyn"で、遠い中央キー基本値は"gh"で、遠い中央キー重複値は"kh"であり、
上記第12キーでの基本キーの基本値は"n"で、中央キー基本値は"a"で、中央キー重複値は"aa"で、中央キー連続値は"am"で、遠い中央キー基本値は"m"で、遠い中央キー重複値は"N"で、遠い中央キー連続値は"ni"で、遠い中央キー連続重複値は"
2009545024.tif 000691
"であり、
上記第13キーでの基本キーの基本値は"r"で、中央キー基本値は"o"で、中央キー重複値は"oi"で、中央キー連続値は"oii"で、中央キー連続重複値は"ou"で、遠い中央キー基本値は"l"で、遠い中央キー重複値は"li"で、遠い中央キー連続値は"ri"であり、
上記第15キーでの基本キーの基本値はすでに作成されている文字をもう一度変換させる時に使う"hCap"で、中央キー基本値は"I"で、中央キー重複値は"ii"で、中央キー連続値は"yi"で、遠い中央キー基本値は"@"で、遠い中央キー重複値は"/"で、遠い中央キー連続値は"・"であり、
上記第17キーでの基本キーの基本値は"h"で、中央キー基本値は"u"で、中央キー重複値は"uu"で、遠い中央キー基本値は"j"で、遠い中央キー重複値は"z"で、遠い中央キー重複値は"-"であり、
上記第18キーでの基本キーの基本値は"s"で、中央キー基本値は"e"で、中央キー重複値は"ei"で、中央キー連続値は"eii"で、中央キー連続重複値は"ai"で、遠い中央キー基本値は"c"で、遠い中央キー重複値は"y"で、遠い中央キー連続値は"
2009545024.tif 000692
"であり、
上記第19キーでの基本キーの基本値は"b"で、中央キー基本値は"p"で、中央キー重複値は"v"で、中央キー連続値は"ksh"で、遠い中央キー基本値は"fi"で、遠い中央キー重複値は"_"であり、
上記第20キーでの基本キーの基本値は"d"で、中央キー基本値は"D"で、中央キー重複値は"w"で、遠い中央キー基本値は"t"で、遠い中央キー重複値は"T"であるのを特徴とするローマ字-ヒンズー語文字入力装置での文字入力方法。
【請求項５０】
請求項２４において、
上記第11キーでの基本キーの基本値は"
2009545024.tif 000693
"で、中央キー基本値は"
2009545024.tif 000694
"で、中央キー重複値は"
2009545024.tif 000695
"で、中央キー連続値は"
2009545024.tif 000696
"で、遠い中央キー基本値は"_"であり、
上記第12キーでの基本キーの基本値は"
2009545024.tif 000697
"で、中央キー基本値は"
2009545024.tif 000698
"で、中央キー重複値は"
2009545024.tif 000699
"で、中央キー連続値は"
2009545024.tif 000700
"で、遠い中央キー基本値は"
2009545024.tif 000701
"で、遠い中央キー重複値は"
2009545024.tif 000702
"で、遠い中央キー連続値は"
2009545024.tif 000703
"であり、
上記第13キーでの基本キーの基本値は"
2009545024.tif 000704
"で、中央キー基本値は"
2009545024.tif 000705
"で、中央キー重複値は"
2009545024.tif 000706
"で、遠い中央キー基本値は"
2009545024.tif 000707
"で、遠い中央キー重複値は"
2009545024.tif 000708
"であり、
上記第15キーでの基本キーの基本値はスクン記号である"。"で、中央キー基本値は"
2009545024.tif 000709
"で、中央キー重複値は"
2009545024.tif 000710
"で、中央キー連続値は"
2009545024.tif 000711
"と"
2009545024.tif 000712
"が一緒にある"
2009545024.tif 000713
"で、遠い中央キー基本値は"@"で、遠い中央キー重複値は"/"で、遠い中央キー連続値は"~"で、遠い中央キー連続重複値は"・"であり、
上記第17キーでの基本キーの基本値は"
2009545024.tif 000714
"で、中央キー基本値は"
2009545024.tif 000715
"で、中央キー重複値は"
2009545024.tif 000716
"で、中央キー連続値は"
2009545024.tif 000717
"で、遠い中央キー基本値は"
2009545024.tif 000718
"で、遠い中央キー重複値は"
2009545024.tif 000719
"であり、
上記第18キーでの基本キーの基本値は"
2009545024.tif 000720
"で、中央キー基本値は"
2009545024.tif 000721
"で、中央キー重複値は"
2009545024.tif 000722
"で、中央キー連続値は"
2009545024.tif 000723
"で、遠い中央キー基本値は"
2009545024.tif 000724
"で、遠い中央キー重複値は"
2009545024.tif 000725
"で、遠い中央キー連続値は"
2009545024.tif 000726
"であり、
上記第19キーでの基本キーの基本値は"
2009545024.tif 000727
"で、中央キー基本値は"
2009545024.tif 000728
"で、中央キー重複値は"
2009545024.tif 000729
"で、中央キー連続値は"
2009545024.tif 000730
"であり、
上記第20キーでの基本キーの基本値は"
2009545024.tif 000731
"で、中央キー基本値は"
2009545024.tif 000732
"で、中央キー重複値は"
2009545024.tif 000733
"で、中央キー連続値は"
2009545024.tif 000734
"で、遠い中央キー基本値は"-"であるのを特徴とするアラビア語文字入力装置での文字入力方法。
【請求項５１】
請求項２４において、
第11キー(110)での基本キー基本値は、メニュー機能である"Menu"で、中央キー基本値は、言語変換機能である"Language"で、中央キー重複値は、時間調節機能である"Timer"で、中央キー連続値は、多重音声機能である"sound"で、中央キー連続重複値は、画面状態調節機能である"Screen"で、遠い中央キー基本値は電話機能である"Tel"であり;
第12キー(120)での基本キー基本値は、音量を低くする"vol▼"で、中央キー基本値は、音量を高くする"▲"で、遠い中央キー基本値は、消音機能である"Mute"であり;
第13キー(130)での基本キー基本値は、再生機能である"
2009545024.tif 000735
"で、中央キー基本値は、早送り機能である"
2009545024.tif 000736
"で、中央キー重複値は、次へスキップさせる"
2009545024.tif 000737
"で、遠い中央キー基本値は、録音機能である"Rec"であり;
第14キー(140)での基本キー基本値は、カーソルを左側へ移動させる"←"で、中央キー基本値は、カーソルの左側の枠を削除する"clear"で、遠い中央キー基本値は、カーソルを現在ある列の左端に移動させる"Home"であり;
第15キー(150)での基本キー基本値は、カーソルを下へ移動させる"↓"で、中央キー基本値は、挿入機能である"Ins"で、遠い中央キー基本値は、下のページへ移動させる"PgDn"であり;
第16キー(160)での基本キー基本値は、カーソルを右側へ移動させる"→"で、中央キー基本値は、カーソルの右側の枠を削除する"del"で、中央キー重複値は、カーソルを現在ある列の右端に移動させる"End"であり;
第17キー(170)での基本キー基本値は、一時停止機能である"
2009545024.tif 000738
"で、中央キー基本値は巻き戻し機能である"
2009545024.tif 000739
"で、中央キー重複値は、後ろへスキップさせる"
2009545024.tif 000740
"で、遠い中央キー基本値は、停止機能である"■"で、遠い中央キー重複値は、取り出し機能である"
2009545024.tif 000741
"であり;
第18キー(180)での基本キー基本値は、チャンネル番号を下げる"-Ch"で、中央キー基本値は、チャンネル番号を上げる"+"で、遠い中央キー基本値は、チャンネル自動調節機能である"Auto"であり;
第19キー(190)での基本キー基本値は、画面展開と選択確認機能である"OK"で、中央キー基本値は、テレビ変換機能である"TV"で、中央キー重複値は、コンピューター変換機能である"PC"で、中央キー連続値は、DVD変換機能である"DVD"で、中央キー連続重複値は、テープ型ビデオ変換機能である"VHS"で、遠い中央キー基本値は、電源を消す機能である"Off"であり;
第20キー(200)での基本キー基本値は。上方へ移動させる"↑"で、中央キー基本値は、前の画面に戻す"
2009545024.tif 000742
"で、遠い中央キー基本値は、上のページに移動させる"PgUp"であるのを特徴とする調整用文字入力装置での文字入力方法。
【請求項５２】
請求項２４において、
第11キー(110)での基本キー基本値は、自動露出制御方式である"Auto"で、中央キー基本値は、プログラム露出制御方式である"P"で、中央キー重複値は、しぼり優先モードである"Av"で、中央キー三重値は、シャッター速度優先モードである"Tv"で、中央キー連続値は、静画しぼり方式である"AF-S"で、中央キー連続重複値は、動画しぼり方式である'AF-C"で、中央キー連続三重値は、混合型被写体しぼり方式である"AF-A"で、遠い中央キー基本値は、露出制御手動操作機能である"Me"で、遠い中央キー重複値は、以前の画面や設定に戻す"←"であり;
第12キー(120)での基本キー基本値は、シャッター速度自動機能である"A"で、中央キー基本値は、シャッター速度が1/125秒になるようにする"1/125"で、中央キー重複値は、シャッター速度が1/250秒になるようにする"1/250"で、中央キー三重値は、シャッター速度が1/500秒になるようにする"1/500"で、中央キー連続値は、シャッター速度が1/60秒になるようにする"1/60"で、中央キー連続重複値は、シャッター速度が1/30秒になるようにする"1/30"で、中央キー連続三重値は、シャッター速度が1/4秒になるようにする"1/4"で、遠い中央キー基本値は、シャッター速度手動調節方式にする"Ms"であり;
第13キー(130)での基本キー基本値は、原本同時保存方式画質機能である"Raw"で、中央キー基本値は、最高画質保存方式である"Hi"で、中央キー重複値は、"Raw"と"Hi"より低い画質保存方式である"Extra"で、中央キー三重値は、"Extra"より低い画質保存方式である"Fine"で、中央キー連続基本値は、"Fine"より低い画質保存方式である"Normal"で、中央キー連続重複値は、"Normal"より低い画質保存方式である"Basic"で、遠い中央キー基本値は、マルチパターン測光方式である"
2009545024.tif 000743
"で、遠い中央キー重複値は、中央重点測光方式である"
2009545024.tif 000744
"で、遠い中央キー三重値は、スポット測光方式である"
2009545024.tif 000745
"であり;
第14キー(140)での基本キー基本値は、セルフタイマー10秒機能である"
2009545024.tif 000746
"で、中央キー基本値は、セルフタイマー2秒機能である"2s"で、中央キー重複値は、セルフタイマー5秒機能である"5s"で、中央キー三重値は、セルフタイマー20秒機能である"20s"で、中央キー連続値は、連続撮影機能である"
2009545024.tif 000747
"で、中央キー連続重複値は、高速連続撮影機能である"
2009545024.tif 000748
"で、遠い中央キー基本値は、編集のためのメニュー機能である"Menu"であり;
第15キー(150)での基本キー基本値は、フラッシュ自動発光機能である"
2009545024.tif 000749
"で、中央キー基本値は、フラッシュ自動発光機能に赤目軽減機能が加えられた"
2009545024.tif 000750
"で、中央キー重複値は、スロー発光機能である"
2009545024.tif 000751
"で、中央キー連続値は、フラッシュ強制発光機能である"
2009545024.tif 000752
"で、中央キー連続重複値は、フラッシュ発光禁止機能である"
2009545024.tif 000753
"で、遠い中央キー基本値は、撮影の結果を画面に表示する機能である"Disp"であり;
第16キー(160)での基本キー基本値は、画面展開と選択確認機能である"OK"で、中央キー基本値は、削除機能である"del"で、中央キー重複値は、"del"を作成した後、削除確認のメッセージに対し実行を選択をする"Y"で、中央キー連続値は、"del"を作成した後、削除確認のメッセージに対し不実行の選択をする"N"で、遠い中央キー基本値は、ファイル形態写真保存機能である"
2009545024.tif 000754
"で、遠い中央キー重複値は、動画保存機能である"
2009545024.tif 000755
"で、遠い中央キー三重値は、動画に音声録音する"
2009545024.tif 000756
"で、遠い中央キー連続値は、画面終了機能である"off"であり;
第17キー(170)で基本キー基本値は、自動的にホワイトバランスを調節する機能である"AWB"で、中央キー基本値は、屋外での撮影時、晴天下でホワイトバランスを調節する太陽光機能である"
2009545024.tif 000757
"で、中央キー重複値は、曇り時にホワイトバランスを調節する雲り機能である"
2009545024.tif 000758
"で、中央キー三重複値は、日陰で青みがかる状況でホワイトバランスを調節する日陰機能である"
2009545024.tif 000759
"で、中央キー連続値は、電球下で赤みがかる状況でホワイトバランスを調節する電球機能である"
2009545024.tif 000760
"で、中央キー連続重複値は、蛍光灯下で緑がかる状況下でホワイトバランスを調節する蛍光燈機能である"
2009545024.tif 000761
"で、中央キー連続三重複値は、フラッシュ使用時にホワイトバランスを調節するフラッシュ機能である"
2009545024.tif 000762
"で、遠い中央キー基本値は、ホワイトバランスを手動で設定する"Preset"であり;
第18キー(180)で基本キー基本値は、自動感度機能である"
2009545024.tif 000763
"で、中央キー基本値は、感度を100で指定する"
2009545024.tif 000764
"で、中央キー重複値は、感度を200で指定する"
2009545024.tif 000765
"で、中央キー三重複値は、感度を400で指定する"
2009545024.tif 000766
"で、中央キー連続値は、感度を640で指定する"
2009545024.tif 000767
"で、中央キー連続重複値は、感度を800で指定する"
2009545024.tif 000768
"で、中央キー連続三重複値は、感度を1600で指定する"
2009545024.tif 000769
"で、遠い中央キー基本値は、感度を手動で設定する"
2009545024.tif 000770
"であり;
第19キー(190)で基本キー基本値は、画角が望遠になるようにする"Tele"で、中央キー基本値は、画角が広角になるようにする"Wide"で、遠い中央キー基本値は、露出をプラス方向に補正する"Ev+"で、遠い中央キー連続値は、露出をマイナス方向に補正する"-"であり;
第20キー(200)で基本キー基本値は、接写モードである"
2009545024.tif 000771
"で、中央キー基本値は、人物撮影モードである"
2009545024.tif 000772
"で、中央キー重複値は、風景撮影モードである"
2009545024.tif 000773
"で、中央キー三重値は、運動撮影モードである"
2009545024.tif 000774
"で、中央キー連続値は、日の出撮影モードである"
2009545024.tif 000775
"で、中央キー連続重複値は、日の入り撮影モードである"
2009545024.tif 000776
"で、中央キー連続三重値は、浜辺撮影モードである"
2009545024.tif 000777
"で、遠い中央キー基本値は、夜間人物撮影モードである"
2009545024.tif 000778
"で、遠い中央キー重複値は、パーティー撮影モードである"
2009545024.tif 000779
"で、遠い中央キー三重値は、博物館撮影モードである"
2009545024.tif 000780
"で、遠い中央キー連続値は、夜間風景撮影モードである"
2009545024.tif 000781
"で、遠い中央キー連続重複値は、雪景色撮影モードである"
2009545024.tif 000782
"であるのを特徴とするカメラ調節用文字入力装置での文字入力方法。
【請求項５３】
請求項２４において、
第12キー(120)での基本キー基本値は、ダイアリー機能である"Dia"で、中央キー基本値は、メモ作成機能である"M"で、中央キー重複値は、文書編集機能であるワードの略字"W"で、中央キー連続値は、文書検索機能である"F"で、遠い中央キー基本値は、月間スケジュール機能である"M"で、遠い中央キー重複値は、週間スケジュール機能である"W"で、遠い中央キー連続値は、日程スケジュール機能である"D"であり;、
第13キー(130)での基本キー基本値は、電話帳機能である"Tel"で、中央キー基本値は、受信番号機能である"R"で、中央キー重複値は、発信番号機能である"S"で、中央キー連続値は、番号検索機能である"F"で、中央キー連続重複値は、電話番号登録機能である"
2009545024.tif 000783
"で、遠い中央キー基本値は、受信されたメッセージ記録である"R"で、遠い中央キー重複値は、発信したメッセージ記録である"S"で、遠い中央キー連続値は、メッセージ検索機能である"F"で、遠い中央キー連続重複値は、メッセージ作成機能である"
2009545024.tif 000784
"であり;
第14キー(140)での基本キー基本値は、カーソルを左側に移動させる"←"で、中央キー基本値は、カーソルの左側枠を削除する"back"で、遠い中央キー基本値は、カーソルを左端に移動させる"Home"であり;
第15キー(150)での基本キー基本値は、カーソルを下方に移動させる"↓"で、中央キー基本値は、挿入機能である"Ins"で、遠い中央キー基本値は、下のページに移動させる"PgDn"であり;
第16キー(160)での基本キー基本値は、カーソルを右側に移動させる"→"で、中央キー基本値は、カーソルの右側枠を削除する"del"で、中央キー重複値は、カーソルを右端に移動させる"End"であり;
第17キー(170)での基本キー基本値は、インターネット機能である"Net"で、中央キー基本値は、基本設定されているメインページである"M"で、中央キー重複値は、コントロールパネル機能である"C"で、中央キー連続値は、ファイルとフォルダ検索機能である"F"で、中央キー連続重複値は、インターネットアドレス作成機能である"
2009545024.tif 000785
"で、遠い中央キー基本値は、電子メール受信機能である"R"で、遠い中央キー重複値は、電子メール発信機能である"S"で、遠い中央キー連続値は、電子メール住所検索機能である"F"で、遠い中央キー連続重複値は、電子メールメッセージ作成機能である"
2009545024.tif 000786
"であり;
第18キー(180)での基本キー基本値は、映像撮影機能である"Pic"で、中央キー基本値は写真撮影機能である"P"で、中央キー重複値は、写真を撮影するシャッターボタン機能である"Q"で、中央キー連続値は、写真アルバム機能である"F"で、中央キー連続重複値は写真編集機能である"e"で、遠い中央キー基本値は、動画撮影機能である"M"で、遠い中央キー重複値は、動画撮影作動ボタン機能である"Q"で、遠い中央キー連続値は、動画アルバム検索機能である"F"で、遠い中央キー連続重複値は、動画編集機能である"e"であり;
第19キー(190)での基本キー基本値は、全体メニュー表示機能である"Menu"で、中央キー基本値は、映像物機能である"V"で、中央キー重複値は、音量調節機能である"Vol"で、中央キー連続値は、チャンネル選択機能である"Ch"で、中央キー連続重複値は、個人コンピューター環境調節機能である"My"で、遠い中央キー基本値は、聴覚物機能である"A"で、遠い中央キー重複値は、音量調節機能である"Vol"で、遠い中央キー連続値は、チャンネル選択機能である"Ch"で、遠い中央キー連続重複値は、録音機能である"Rec"であり;
第20キー(200)での基本キー基本値は、カーソルを上方に移動させる"↑"で、中央キー基本値は、以前の画面に戻す"Esc"で、遠い中央キー基本値は、上のページに移動させる"PgUp"であるのを特徴とする固有機能文字入力装置での文字入力方法。
【請求項５４】
請求項１１において、
第41キー(410)での基本キーの基本値は"G"で、中央キー基本値は"K"であり;
第42キー(420)での基本キーの基本値は"N"で、中央キー1値は"A"で、中央キー11値は"ya"で、中央キー2値は"wa"で、中央キー3値は"M"で、中央キー4値は"
2009545024.tif 000787
"であり;
第43キー(430)での基本キーの基本値は"R"で、中央キー1値は"L"で、中央キー3値は"O"で、中央キー33値は"yo"で、中央キー4値は"wo"であり;
第44キー(440)での基本キーの基本値は、間隔をあける"SPACE"で、中央キー3値はローマ字入力モードと演算モード変換をする"N/W"で、中央キー1値は"、"で、中央キー11値は";"で、中央キー13値は"'"で、中央キー133値は"""であり;
第451キー(452)での基本キーの基本値は"W"で、中央キー3値は"V"で、中央キー4値は"@"であり;
第452キー(455)での基本キーの基本値は"Y"で、中央キー4値は"X"で、中央キー2値は"Z"で、中央キー3値は"/"であり;
第46キー(460)での基本キーの基本値は列を変える時に使う"ENTER"で、中央キー4値はローマ字と韓国語入力モードを変換する"K/E"で、中央キー2値は"."で、中央キー22値は":"で、中央キー24値は"?"で、中央キー244値は"!"であり;
第47キー(470)での基本キーの基本値は"H"で、中央キー4値は"U"で、中央キー44値は"yu"で、中央キー3値は"wu"で、中央キー2値は"J"で、中央キー1値は"
2009545024.tif 000788
"であり;
第48キー(480)での基本キーの基本値は"S"で、中央キー2値は"E"で、中央キー22値は"ye"で、中央キー4値は"C"で、中央キー3値は"β"であり;
第49キー(490)での基本キーの基本値は大小文字の変換をする"Cap"で、中央キー2値は"I"で、中央キー4値は"Q"であり;
第401キー(502)での基本キーの基本値は"D"で、中央キー1値は"T"で、中央キー2値は"_"であり;
第402キー(505)での基本キーの基本値は"B"で、中央キー2値は"P"で、中央キー1値は"-"であるのを特徴とするローマ字-中央4面型文字入力装置での文字入力方法。
【請求項５５】
請求項１４において、
上記文字入力装置は3×7配列で成り立ち、
上記3×7配列の中で1行2列に位置する第51キー(610)、1行3列に位置する第52キー(620)、1行4列に位置する第53キー(630)、1行5列に位置する第54キー(640)、1行6列に位置する第55キー(650)、3行2列に位置する第56キー(660)、3行3列に位置する第57キー(670)、3行4列に位置する第58キー(680)、3行5列に位置する第59キー(690)、3行6列に位置する第60キー(700)、1行1列に位置する第501キー(710)、1行7列に位置する第502キー(720)、2行1列に位置する第503キー(730)、2行7列に位置する第504キー(740)、3行1列に位置する第505キー(750)、3行7列に位置する第506キー(760)、2行2列に位置する第51中央キー(810)、2行3列に位置する第52中央キー(820)、2行4列に位置する第53中央キー(830)、2行5列に位置する第54中央キー(840)、2行6列に位置する第55中央キー(850)を備えていることを特徴で文字入力方法。
【請求項５６】
請求項５５において、
第51キー(610)での基本キーの基本値は"G"で、中央キー1値は"X"で、中央キー2値は"K"であり;
第52キー(620)での基本キーの基本値は"N"で、中央キー2値は"wa"で、中央キー3値は"A"で、中央キー33値は"ya"で、中央キー1値は"F"で、中央キー11値は"
2009545024.tif 000789
"であり;
第53キー(630)での基本キーの基本値は"R"で、中央キー3値は"we"で、中央キー2値は"E"で、中央キー22値は"ye"で、中央キー4値は"@"であり;
第54キー(640)での基本キーの基本値は"D"で、中央キー4値は"W"で、中央キー3値は"/"で、中央キー5値は"T"であり;
第55キー(650)での基本キーの基本値は"B"で、中央キー5値は"V"で、中央キー4値は"P"であり;
第56キー(650)での基本キーの基本値は大小文字の変換をする"Cap"で、中央キー1値は"Y"で、中央キー2値は"I"で、中央キー22値は"yi"で、中央キー33値は"wi"であり;
第57キー(670)での基本キーの基本値は"M"で、中央キー2値は"wo"で、中央キー3値は"O"で、中央キー33値は"yo"であり;
第58キー(680)での基本キーの基本値は"L"で、中央キー3値は"wu"で、中央キー2値は"U"で、中央キー22値は"yu"で、中央キー4値は"_"であり;
第59キー(690)での基本キーの基本値は"S"で、中央キー4値は"Qで、中央キー3値は"-"で、中央キー5値は"C"で、中央キー54値は"β"であり;
第60キー(700)での基本キーの基本値は"H"で、中央キー5値は"Z"で、中央キー4値は"J"で、中央キー45値は"
2009545024.tif 000790
"であり;
第501キー(710)での基本キーの基本値は、カーソルを上方に移動させる"↑"で、中央キー1値は、上ページに移動させる"PgUp"で、中央キー2値は取り消し機能である"Esc"であり;
第502キー(720)での基本キーの基本値は、カーソルを下方に移動させる"↓"で、中央キー5値は、次のページへ移動させる"PaDn"で、中央キー4値は、挿入機能である"Ins"であり;
第503キー(730)での基本キーの基本値は、間隔をあける"space"で、中央キー1値は、文字と数字モードを変換する"N/W"で、中央キー2値は"、"で、中央キー2値は";"で、中央キー21値は"'"で、中央キー211値は"""であり;
第504キー(740)での基本キーの基本値は、カーソルを次の列に移動させる"enter"で、中央キー5値は、韓国語入力と英語入力モードの変換をする"K/E"で、中央キー4値は"."で、中央キー44値は":"で、中央キー45値は"?"で、中央キー455値は"!"で、中央キー455値は"
2009545024.tif 000791
"で、中央キー4455値は"
2009545024.tif 000792
"であり;
第505キー(750)での基本キーの基本値は、カーソルを左に移動させる"←"で、中央キー1値は、カーソルを左端に移動させる"Home"で、中央キー2値は、カーソルの左側枠を削除する"clear"であり;
第506キー(760)での基本キーの基本値は、カーソルを右側に移動させる"→"で、中央キー5値は、カーソルを右端に移動させる"End"で、中央キー4値は、カーソルの右側枠を削除する"del"であるのを特徴とする韓国語-ローマ字中央5面型文字入力装置のローマ字入力モードでの文字入力方法。
【請求項５７】
請求項５６において、
上記韓国語-ローマ字中央5面型文字入力装置が韓国語入力モードの場合
上記第51キー(610)での基本キーの基本値は"
2009545024.tif 000793
"で、中央キー1値は"
2009545024.tif 000794
"で、中央キー2値は"
2009545024.tif 000795
"であり;
上記第52キー(620)での基本キーの基本値は"
2009545024.tif 000796
"で、中央キー2値"
2009545024.tif 000797
"で、中央キー3値は"
2009545024.tif 000798
"で、中央キー33値は"
2009545024.tif 000799
"で、中央キー32値は"
2009545024.tif 000800
"であり;
上記第53キー(630)での基本キーの基本値は"
2009545024.tif 000801
"で、中央キー3値は"
2009545024.tif 000802
"で、中央キー2値は"
2009545024.tif 000803
"で、中央キー22値は"
2009545024.tif 000804
"で、中央キー23値は"
2009545024.tif 000805
"であり;
上記第54キー(640)での基本キーの基本値は"
2009545024.tif 000806
"で、中央キー4値は"
2009545024.tif 000807
"で、中央キー5値は"
2009545024.tif 000808
"で、中央キー3値は"/"であり;
上記第55キー(650)での基本キーの基本値は"
2009545024.tif 000809
"で、中央キー5値は"
2009545024.tif 000810
"で、中央キー4値は"
2009545024.tif 000811
"であり;
上記第56キー(660)での基本キーの基本値は"ー"で、中央キー1値は"
2009545024.tif 000812
"で、中央キー2値は"
2009545024.tif 000813
"であり;
上記第57キー(670)での基本キーの基本値は"ロ"で、中央キー2値は"
2009545024.tif 000814
"で、中央キー3値は"
2009545024.tif 000815
"で、中央キー33値は"
2009545024.tif 000816
"で、中央キー32値は"
2009545024.tif 000817
"で、中央キー23値は"
2009545024.tif 000818
"であり;
上記第58キー(680)での基本キーの基本値は"
2009545024.tif 000819
"で、中央キー3値は"
2009545024.tif 000820
"で、中央キー2値は"
2009545024.tif 000821
"で、中央キー22値は"
2009545024.tif 000822
"で、中央キー23値は"
2009545024.tif 000823
"で、中央キー32値は"
2009545024.tif 000824
"で、中央キー4値は"_"であり;
上記第59キー(690)での基本キーの基本値は"
2009545024.tif 000825
"で、中央キー4値は"
2009545024.tif 000826
"で、中央キー3値は"-"で、中央キー5値は"
2009545024.tif 000827
"であり;
上記第60キー(700)での基本キーの基本値は"
2009545024.tif 000828
"で、中央キー5値は"
2009545024.tif 000829
"で、中央キー4値は"
2009545024.tif 000830
"であるのを特徴とする韓国語-ローマ字中央5面型文字入力装置の韓国語入力モードでの文字入力方法。
【発明の詳細な説明】
【技術分野】
【０００１】
本発明は、少ない数のキーであるにもかかわらず、より早い速度で文字を入力することができる、多数の中央キーとスペースキーを備えた文字入力装置及びその入力方法に関するものである。
【背景技術】
【０００２】
一般的に文字と数字、符号を入力するにあたり、携帯電話や小型コンピューター器機等で使われている既存の小型キーパッドでは、それぞれのキーを3回から8回入力し、一つの文字を完成するためには文字キーと数字キーを変換しながら文字キーを重複または三度重複して押すか、長い間キーを押して操作するなど早い速度での文字入力が困難であった。
【０００３】
技術の発展によりポータブル電話機、PNP(Plug And Play)PMP(Portable Multimedia Player)などのポータブル電子機器は小型化され、それに伴い携帯型電子機器のキーパッドも縮少された。しかし、両手操作がかろうじて可能なほどに縮少されたキーパッドは入力速度の低下ももたらした。
【０００４】
これに関する技術である韓国内公開特許公報第10-2007-0012265号は、上向キーと下向キーと、左向キー、右向キー、中央キーより成る方向キーと、対応する方向キーに割り当てられた基本子音と基本母音の文字コードが保存され、関連付けられた方向キーを2回入力することにより基本子音と基本母音の文字コードが選択されるコードテーブルと、制御部を含む方向キーを利用した文字入力装置及び方法に関する。該制御部は、方向キーが2回入力されれば、上記コードテーブルから対応する文字コードを一次選択し、選択された文字コードが基本子音の場合、引き続き上記方向キーを押し双子音変換操作が入力されれば、選択された文字コードを双子音文字コードで変換し、選択された文字コードが基本母音の場合、引き続き入力されるキーが母音操作なら選択された文字コードを重母音のコードに変換し、選択された文字コードが基本母音か又は重母音で、引き続き方向キーから他の母音が入力されれば、選択された文字コードは、これを組み合わせた二重母音に変換される。この文字入力装置は、例えば"
2009545024.tif 000003
"という字を作るためには上向キーを2回押して"
2009545024.tif 000004
"を入力し上向キーと中央キーを用いて"
2009545024.tif 000005
"を入力させて"
2009545024.tif 000006
"を作る。しかし、この文字入力装置は上向キー、下向キー、左向キー、右向キー、中央キーだけで文字を入力するため、各文字の入力に多数の操作と時間がかかるという短所がある。したがって、文字入力装置キーの数を減らし文字入力装置の相対的大きさを大きくすることにより、早い速度で文字を入力できる文字入力装置及びその入力方法が要望される。
【発明の概要】
【発明が解決しようとする課題】
【０００５】
本発明の目的は、操作が容易な多数の中央キーとスペースキーを備えた文字入力装置とその入力方法を提供することである。
【０００６】
本発明の目的は、基本キーの基本値、基本キーの重複値、基本キーの三重複値以外に、中央キーの基本値、中央キーの重複値、中央キーの三重値からなる中央キーを備えた文字入力装置とその入力方法を提供することである。
【０００７】
本発明の目的は、中央キー基本値、中央キー重複値、中央キー連続値、中央キー連続重複値、中央キー連続三重値、中央キー三重値、中央キー重複連続値、中央キー重複連続重複値、遠い中央キー基本値、遠い中央キー重複値、遠い中央キー連続値、遠い中央キー連続重複値、遠い中央キー連続三重値、遠い中央キー三重値、遠い中央キー重複連続値、遠い中央キー重複連続重複値からなる2個以上の中央キーを備えた文字入力装置とその入力方法を提供することである。
【０００８】
本発明の目的は、中央キー1値、中央キー2値、中央キー3値、中央キー4値、中央キー11値、中央キー12値、中央キー123値、中央キー1234値、中央キー13値、中央キー133値、中央キー22値、中央キー24値、中央キー244値、中央キー44値からなる4個以上の中央キーを備えた文字入力装置とその入力方法を提供することである。
【０００９】
本発明の目的は、中央キー1値、中央キー2値、中央キー3値、中央キー4値、中央キー5値、中央キー11値、中央キー12値、中央キー123値、中央キー1234値、中央キー12345値、中央キー21値、中央キー22値、中央キー23値、中央キー211値、中央キー32値、中央キー33値、中央キー44値、中央キー45値、中央キー445値、中央キー455値、中央キー4455値、中央キー54値からなる5個以上の中央キーを備えた文字入力装置とその入力方法を提供することである。
【００１０】
本発明の目的は、スペースキー周辺のキーを刺激した後スペースキーを刺激すれば、上記刺激されたキーそして上記スペースキーを挟んで、上記刺激されたキーと対称にあるキーも刺激したことになるスペースキーを備えた文字入力装置とその入力方法を提供することである。
【００１１】
本発明の目的は、少ない数のキーを利用して早い速度で文字入力を可能にさせる一つ以上の中央キーとスペースキーを備えた文字入力装置及びその入力方法を提供することである。
【課題を解決するための手段】
【００１２】
上記技術的課題を果たすための本発明による文字入力方法は、中央に配置された中央キーと、上記中央キーの周辺に配置された複數の周辺キーを備えた文字入力装置により行われ、周辺キーが一度押されることによって作成される基本キーの基本値、周辺キーが二度押されることによって作成される基本キーの重複値、周辺キーが三度押されることによって作成される基本キーの三重複値、周辺キーが押された後中央キーが一度押されることによって作成される中央キーの基本値、周辺キーが押された後中央キーが二度押されることによって作成される中央キーの重複値、周辺キーが押された後中央キーが三度押されることによって作成される中央キーの三重値を備えている。
【００１３】
上記文字入力装置は、中央の上記中央キー周りに配置されて上記中央キーとともに周辺キーに取り囲まれた遠い中央キーをも備える。
【００１４】
上記文字入力方法は、周辺キー、中央キー、遠い中央キーが順に押されることによって作成される中央キーの連続値、周辺キー、中央キーが順に押された後、遠い中央キーが2回押されることによって作成される中央キー連続重複値、周辺キー、中央キーが順に押された後、遠い中央キーが3回押されることによって作成される中央キー連続三重値、周辺キーが押された後、中央キーが2回押され、更に遠い中央キーが一度押されることによって作成される中央キー重複連続値、周辺キーが押された後、中央キーが2回押され、更に遠い中央キーが2回押されることによって作成される中央キー重複連続重複値をも備えている。
【００１５】
また上記文字入力方法は、周辺キーが押された後、遠い中央キーが一度押されることによって作成される遠い中央キー基本値、周辺キーが押された後、遠い中央キーが二度押されることによって作成される遠い中央キー重複値、周辺キー、遠い中央キー、中央キーが順に押されることによって作成される遠い中央キーの連続値、周辺キー、遠い中央キーが順に押された後、中央キーが2回押されることによって作成される遠い中央キー連続重複値、周辺キー、遠い中央キーが順に押された後、中央キーが3回押されることによって作成される遠い中央キー連続三重値、周辺キーが押された後、遠い中央キーが3回押されることによって作成される遠い中央キー三重値、周辺キーが押された後、遠い中央キーが2回押され、更に中央キーが一度押されることによって作成される遠い中央キー重複連続値、周辺キーが押さた後、遠い中央キーが2回押され、更に中央キーが2回押されることによって作成される中央キー重複連続重複値をも備えている。
【００１６】
上記中央キーは、少なくとも第1中央キー、第2中央キー、第3中央キー、第4中央キーを含んで成り立つことができる。この場合に文字入力方法は、周辺キー、第1中央キーが順に押されることによって作成される中央キー1値、周辺キー、第2中央キーが順に押されることによって作成される中央キー2値、周辺キー、第3中央キーが順に押されることによって作成される中央キー3値、周辺キー、第4中央キーが順に押されることによって作成される中央キー4値を備えている。
【００１７】
上記文字入力方法は、周辺キーが押された後、第1中央キーが2回押されることによって作成される中央キー11値、周辺キー、第1中央キー、第2中央キーが順に押されることによって作成される中央キー12値、周辺キー、第1中央キー、第2中央キー、第3中央キーが順に押されることによって作成される中央キー123値、周辺キー、第1中央キー、第2中央キー、第3中央キー、第4中央キーが順に押されることによって作成される中央キー1234値、周辺キー、第1中央キー、第3中央キーが順に押されることによって作成される中央キー13値、周辺キー、第1中央キーが順に押され第3中央キーが2回押されることによって作成される中央キー133値、周辺キーが押された後、第2中央キーが2回押されることによって作成される中央キー22値、周辺キー、第2中央キー、第4中央キーが順に押されることによって作成される中央キー24値、周辺キー、第2中央キーが順に押された後、第4中央キーが2回押されることによって作成される中央キー244値、周辺キーが押された後、第4中央キーが2回押されることによって作成される中央キー44値をも備えている。
【００１８】
また上記中央キーは、第5中央キーをも備えることができる。この場合文字入力方法は、周辺キー、第5中央キーが順に押されることによって作成される中央キー5値、周辺キー、第1中央キー、第2中央キー、第3中央キー、第4中央キー、第5中央キーが順に押されることによって作成される中央キー12345値、周辺キー、第2中央キー、第3中央キーが順に押されることによって作成される中央キー23値、周辺キー、第3中央キー、第2中央キーが順に押されることによって作成される中央キー32値、周辺キーが押された後、第3中央キーが2回押されることによって作成される中央キー33値、周辺キー、第4中央キー、第5中央キーが順に押されることによって作成される中央キー45値、周辺キーが押された後、第4中央キーが2回押され、更に第5中央キーが一度押されることによって作成される中央キー445値、周辺キー、第4中央キーが順に押された後、第5中央キーが2回押されることによって作成される中央キー455値、周辺キーが押された後、第4中央キーが2回押れ、更に第5中央キーが2回押されることによって作成される中央キー4455値、周辺キー、第5中央キー、第4中央キーが順に押されることによって作成される中央キー54値をも備えている。
【００１９】
また上記文字入力装置には、上の2個のキーと下の2個のキーから成る4個のキーの中心に位置し上記4キーに連接されるスペースキーをも備え、上記スペースキーを中心に対角線上にある2つのキーのうち一つのキーが刺激された後、上記スペースキーが刺激されれば、上記刺激されたキーとその対角線上にあるキーをも同時に刺激した作用をなす。
【発明の効果】
【００２０】
本発明は、操作が容易な多数の中央キーとスペースキーを備え、少ない数のキーを利用して早い速度で文字入力を可能にさせる文字入力装置とその入力方法を提供する。
【００２１】
本発明の中央キーを含む文字入力装置は、ポータブル電話機、PNP(PlugAndPlay)、PMP(PortableMultimediaPlayer)などのポータブル電子機器に適用され、簡易操作で文字を作成することができ、時間の短縮を可能にさせる。またキーの数が少ないため相対的にキーの大きさが大きくなり押すのが容易で、ポータブル電子機器の小型化も可能になる。
【００２２】
そのために本発明は、基本キーの基本値、基本キーの重複値、基本キーの三重複値以外に、中央キーの基本値、中央キーの重複値、中央キーの三重値からなる中央キーを備えた文字入力装置とその入力方法を提供する。
【００２３】
また本発明は、中央キー基本値、中央キー重複値、中央キー連続値、中央キー連続重複値、中央キー連続三重値、中央キー三重値、中央キー重複連続値、中央キー重複連続重複値、遠い中央キー基本値、遠い中央キー重複値、遠い中央キー連続値、遠い中央キー連続重複値、遠い中央キー連続三重値、遠い中央キー三重値、遠い中央キー重複連続値、遠い中央キー重複連続重複値からなる2個以上の中央キーを備えた文字入力装置とその入力方法を提供する。
【００２４】
また本発明は、中央キー1値、中央キー2値、中央キー3値、中央キー4値、中央キー11値、中央キー12値、中央キー123値、中央キー1234値、中央キー13値、中央キー133値、中央キー22値、中央キー24値、中央キー244値、中央キー44値からなる4個以上の中央キーを備えた文字入力装置とその入力方法を提供する。
また本発明は、中央キー1値、中央キー2値、中央キー3値、中央キー4値、中央キー5値、中央キー11値、中央キー12値、中央キー123値、中央キー1234値、中央キー12345値、中央キー21値、中央キー22値、中央キー23値、中央キー211値、中央キー32値、中央キー33値、中央キー44値、中央キー45値、中央キー445値、中央キー455値、中央キー4455値、中央キー54値からなる5個以上の中央キーを備えた文字入力装置とその入力方法を提供する。
【００２５】
また本発明は、スペースキー周辺のキーを刺激した後スペースキーを刺激すれば、上記刺激されたキーそして上記スペースキーを中心に上記刺激されたキーと対称にあるキーをも同時に刺激した作用をなすスペースキーを備えた文字入力装置とその入力方法を提供する。
【図面の簡単な説明】
【００２６】
【図１】本発明の一実施形態による中央1型文字入力装置を表す図である。
【図２】本発明の一実施形態による中央1型10周辺キー文字入力装置を表す図である。
【図３】本発明の一実施形態による中央2型文字入力装置を表す図である。
【図４】本発明の一実施形態による中央4型文字入力装置を表す図である。
【図５】本発明の一実施形態による中央5型文字入力装置を表す図である。
【図６】本発明の一実施形態によるスペースキーが含まれている中央2型文字入力装置を表す図である。
【図７】図１の中央1型文字入力装置(1)での基本キー入力値及び中央キー入力値のキー入力方法を表わす図である。
【図８】図２の中央1型10周辺キー文字入力装置(2)での基本キー入力値及び中央キー入力値のキー入力方法を表わす図である。
【図９】図３の中央2型文字入力装置での基本キー入力方法及び中央キー入力値のキー入力方法を表わす図である。
【図１０】図３の中央2型文字入力装置(3)での遠い中央キー入力値のキー入力方法を表わす図である。
【図１１】図４の中央4型文字入力装置(4)でのキー入力方法の一部を表わす図である。
【図１２】図５の中央5型文字入力装置(5)でのキー入力方法の一部を表わす図である。
【図１３】図６のスペースキーが含まれている中央2型文字入力装置でのキー入力方法を表わす図である。
【図１４】本発明の他の実施形態による文字入力装置の中央1型カーソル移動文字入力装置を表す図である。
【図１５】本発明の他の実施形態による文字入力装置の中央1型レコードプレーヤー文字入力装置を表す図である。
【図１６】本発明の他の実施形態による文字入力装置の中央1型演算用文字入力装置を表す図である。
【図１７】本発明の他の実施形態による文字入力装置の中央1型演算/時計文字入力装置を表す図である。
【図１８】本発明の他の実施形態による文字入力装置の中央2型演算用文字入力装置を表す図である。
【図１９】本発明の他の実施形態による文字入力装置の中央2型韓国語文字入力装置を表す図である。
【図２０】本発明の他の実施形態による文字入力装置の中央2型ローマ字文字入力装置を表す図である。
【図２１】本発明の他の実施形態による文字入力装置の韓国語-ローマ字統合型文字入力装置を表わす図である。
【図２２】本発明の他の実施形態による文字入力装置の中央2型演算/時計文字入力装置を表わす図である。
【図２３】本発明の他の実施形態による文字入力装置の韓国語分離型文字入力装置を表す図である。
【図２４】本発明の他の実施形態による文字入力装置のローマ字分離型文字入力装置を表す図である。
【図２５】本発明の他の実施形態による文字入力装置の日本語文字入力装置を表わす図である。
【図２６】本発明の他の実施形態による文字入力装置のローマ字-日本語文字入力装置を表わす図である。
【図２７】本発明の他の実施形態による文字入力装置の発音記号を利用した中国語文字入力装置を表わす図である。
【図２８】本発明の他の実施形態による文字入力装置のローマ字-中国語文字入力装置を表わす図である。
【図２９】本発明の他の実施形態による文字入力装置のローマ字-ドイツ語文字入力装置を表わす図である。
【図３０】本発明の他の実施形態による文字入力装置のローマ字-フランス語文字入力装置を表わす図である。
【図３１】本発明の他の実施形態による文字入力装置のローマ字-ベトナム語文字入力装置を表わす図である。
【図３２】本発明の他の実施形態による文字入力装置のロシア語文字入力装置を表わす図である。
【図３３】図３２の発音記号を表わす図である。
【図３４】本発明の他の実施形態による文字入力装置のヒンズー語文字入力装置を表わす図である。
【図３５】本発明の他の実施形態による文字入力装置の図３４のヒンズー語文字入力装置のローマ字表記上のローマ字-ヒンズー語文字入力装置を表わす図である。
【図３６】本発明の他の実施形態による文字入力装置のアラビア語文字入力装置を表わす図である。
【図３７】本発明の他の実施形態による文字入力装置の調整用文字入力装置を表わす図である。
【図３８】本発明の他の実施形態による文字入力装置のカメラ調節用文字入力装置を表わす図である。
【図３９】本発明の他の実施形態による文字入力装置の固有機能文字入力装置を表わす図である。
【図４０】本発明の他の実施形態による文字入力装置のローマ字-中央4面型文字入力装置を表わす図である。
【図４１】本発明の他の実施形態による文字入力装置の韓国語-ローマ字中央5面型文字入力装置を表わす図である。
【発明を実施するための形態】
【００２７】
本発明の利点及び特徴、そして操作方法は、添付される図面とともに後述されている実施形態を参照することにより明確となる。本発明は、以下で展開される実施形態に限定されるものではなく多様な形態に適応される。ただ、以下の実施形態は本発明の展開が完全であることを示し、通常の知識を持った者に、発明の範囲を完全に正確に知らせるために提供されるものである。本発明の範囲は特許請求の範囲のみによって定義される。明細書全体にわたって同じ参照符号は同じ構成要素を指す。
【００２８】
図１は本発明の一実施形態による中央1型文字入力装置を表す図である。中央1型文字入力装置(1)は3×3配列であり、第1キー(10)、第2キー(20)、第3キー(30)、第4キー(40)、第5キー(50)、第6キー(60)、第7キー(70)、第8キー(80)、第9キー(90)で構成される。
【００２９】
第1キー(10)は中央1型文字入力装置(1)の3×3配列の中で1行1列に位置するキーである。
【００３０】
第2キー(20)は中央1型文字入力装置(1)の3×3配列の中で1行2列に位置するキーである。
【００３１】
第3キー(30)は中央1型文字入力装置(1)の3×3配列の中で1行3列に位置するキーである。
【００３２】
第4キー(40)は中央1型文字入力装置(1)の3×3配列の中で2行1列に位置するキーである。
【００３３】
第5キー(50)は中央1型文字入力装置(1)の3×3配列の中で2行2列に位置するキーである。
【００３４】
第6キー(60)は中央1型文字入力装置(1)の3×3配列の中で2行3列に位置するキーである。
【００３５】
第7キー(70)は中央1型文字入力装置(1)の3×3配列の中で3行1列に位置するキーである。
【００３６】
第8キー(80)は中央1型文字入力装置(1)の3×3配列の中で3行2列に位置するキーである。
【００３７】
第9キー(90)は中央1型文字入力装置(1)の3×3配列の中で3行3列に位置するキーである。
【００３８】
図２は本発明の一実施形態による中央1型10周辺キー文字入力装置を表す図である。中央1型10周辺キー文字入力装置(2)は、図１の第4キー(40)と第6キー(60)が下と上で2個で分けられた形態であり、第1キー(10)、第2キー(20)、第3キー(30)、第4aキー(42)、第4bキー(45)、第5キー(50)、第6aキー(62)、第6bキー(65)、第7キー(70)、第8キー(80)、第9キー(90)で構成される。第1キー(10)、第2キー(20)、第3キー(30)、第5キー(50)、第7キー(70)、第8キー(80)、第9キー(90)の配列は図1のように構成される。
【００３９】
第4aキー(42)は第4キー(40)で上部に位置するキーであり、第4bキー(45)の上部に位置するキーである。
第4bキー(45)は第4aキー(42)の下部分に位置するキーである。
第6aキー(62)は第6キー(60)で上部に位置するキーであり、第6bキー(65)の上部に位置するキーである。
第6bキー(65)は第6aキー(62)の下部分に位置するキーである。
【００４０】
図３は本発明の一実施形態による中央2型文字入力装置を表す図である。中央2型文字入力装置(3)は3×4配列であり、第11キー(110)、第12キー(120)、第13キー(130)、第14キー(140)、第15キー(150)、第16キー(160)、第17キー(170)、第18キー(180)、第19キー(190)、第20キー(200)、第1中央キー(210)、第2中央キー(220)で構成される。
【００４１】
第11キー(110)は中央2型文字入力装置(3)の3×4配列の中で1行1列に位置するキーである。
【００４２】
第12キー(120)は中央2型文字入力装置(3)の3×4配列の中で2行1列に位置するキーである。
【００４３】
第13キー(130)は中央2型文字入力装置(3)の3×4配列の中で3行1列に位置するキーである。
【００４４】
第14キー(140)は中央2型文字入力装置(3)の3×4配列の中で4行1列に位置するキーである。
【００４５】
第15キー(150)は中央2型文字入力装置(3)の3×4配列の中で4行2列に位置するキーである。
【００４６】
第16キー(160)は中央2型文字入力装置(3)の3×4配列の中で4行3列に位置するキーである。
【００４７】
第17キー(170)は中央2型文字入力装置(3)の3×4配列の中で3行3列に位置するキーである。
【００４８】
第18キー(180)は中央2型文字入力装置(3)の3×4配列の中で2行3列に位置するキーである。
【００４９】
第19キー(190)は中央2型文字入力装置(3)の3×4配列の中で1行3列に位置するキーである。
【００５０】
第20キー(200)は中央2型文字入力装置(3)の3×4配列の中で1行2列に位置するキーである。
【００５１】
第1中央キー(210)は中央2型文字入力装置(3)の3×4配列の中で2行2列に位置するキーである。
【００５２】
第2中央キー(220)は中央2型文字入力装置(3)の3×4配列の中で3行2列に位置するキーである。
【００５３】
図４は本発明の一実施形態による中央4型文字入力装置を表す図である。中央4型文字入力装置(4)は4×4配列であり、第41キー(410)、第42キー(420)、第43キー(430)、第44キー(440)、第451キー(452)、第452キー(455)、第46キー(460)、第47キー(470)、第48キー(480)、第49キー(490)、第401キー(502)、第402キー(505)、第41中央キー(510)、第42中央キー(520)、第43中央キー(530)、第44中央キー(540)で構成される。
【００５４】
第41キー(410)は中央4型文字入力装置(4)の4×4配列の中で1行1列に位置するキーである。
【００５５】
第42キー(420)は中央4型文字入力装置(4)の4×4配列の中で2行1列に位置するキーである。
【００５６】
第43キー(430)は中央4型文字入力装置(4)の4×4配列の中で3行1列に位置するキーである。
【００５７】
第44キー(440)は中央4型文字入力装置(4)の4×4配列の中で4行1列に位置するキーである。
【００５８】
第451キー(452)は中央4型文字入力装置(4)の4×4配列の中で4行2列に位置するキーである。
【００５９】
第452キー(455)は中央4型文字入力装置(4)の4×4配列の中で4行3列に位置するキーである。
【００６０】
第46キー(460)は中央4型文字入力装置(4)の4×4配列の中で4行4列に位置するキーである。
【００６１】
第47キー(470)は中央4型文字入力装置(4)の4×4配列の中で3行4列に位置するキーである。
【００６２】
第48キー(480)は中央4型文字入力装置(4)の4×4配列の中で2行4列に位置するキーである。
【００６３】
第49キー(490)は中央4型文字入力装置(4)の4×4配列の中で1行4列に位置するキーである。
【００６４】
第401キー(502)は中央4型文字入力装置(4)の4×4配列の中で1行2列に位置するキーである。
【００６５】
第402キー(505)は中央4型文字入力装置(4)の4×4配列の中で1行3列に位置するキーである。
【００６６】
第41中央キー(510)は中央4型文字入力装置(4)の4×4配列の中で2行2列に位置するキーである。
【００６７】
第42中央キー(520)は中央4型文字入力装置(4)の4×4配列の中で2行3列に位置するキーである。
【００６８】
第43中央キー(530)は中央4型文字入力装置(4)の4×4配列の中で3行2列に位置するキーである。
【００６９】
第44中央キー(540)は中央4型文字入力装置(4)の4×4配列の中で3行3列に位置するキーである。
【００７０】
図５は本発明の一実施形態による中央5型文字入力装置を表す図である。中央5型文字入力装置(5)は3×7配列であり、第51キー(610)、第52キー(620)、第53キー(630)、第54キー(640)、第55キー(650)、第56キー(660)、第57キー(670)、第58キー(680)、第59キー(690)、第60キー(700)、第501キー(710)、第502キー(720)、第503キー(730)、第504キー(740)、第505キー(750)、第506キー(760)、第51中央キー(810)、第52中央キー(820)、第53中央キー(830)、第54中央キー(840)、第55中央キー(850)で構成される。
【００７１】
第51キー(610)は中央5型文字入力装置(5)の3×7配列の中で1行2列に位置するキーである。
【００７２】
第52キー(620)は中央5型文字入力装置(5)の3×7配列の中で1行3列に位置するキーである。
【００７３】
第53キー(630)は中央5型文字入力装置(5)の3×7配列の中で1行4列に位置するキーである。
【００７４】
第54キー(640)は中央5型文字入力装置(5)の3×7配列の中で1行5列に位置するキーである。
【００７５】
第55キー(650)は中央5型文字入力装置(5)の3×7配列の中で1行6列に位置するキーである。
【００７６】
第56キー(660)は中央5型文字入力装置(5)の3×7配列の中で3行2列に位置するキーである。
【００７７】
第57キー(670)は中央5型文字入力装置(5)の3×7配列の中で3行3列に位置するキーである。
【００７８】
第58キー(680)は中央5型文字入力装置(5)の3×7配列の中で3行4列に位置するキーである。
【００７９】
第59キー(690)は中央5型文字入力装置(5)の3×7配列の中で3行5列に位置するキーである。
【００８０】
第60キー(700)は中央5型文字入力装置(5)の3×7配列の中で3行6列に位置するキーである。
【００８１】
第501キー(710)は中央5型文字入力装置(5)の3×7配列の中で1行1列に位置するキーである。
【００８２】
第502キー(720)は中央5型文字入力装置(5)の3×7配列の中で1行7列に位置するキーである。
【００８３】
第503キー(730)は中央5型文字入力装置(5)の3×7配列の中で2行1列に位置するキーである。
【００８４】
第504キー(740)は中央5型文字入力装置(5)の3×7配列の中で2行7列に位置するキーである。
【００８５】
第505キー(750)は中央5型文字入力装置(5)の3×7配列の中で3行1列に位置するキーである。
【００８６】
第506キー(760)は中央5型文字入力装置(5)の3×7配列の中で3行7列に位置するキーである。
【００８７】
第51中央キー(810)は中央5型文字入力装置(5)の3×7配列の中で2行2列に位置するキーである。
【００８８】
第52中央キー(820)は中央5型文字入力装置(5)の3×7配列の中で2行3列に位置するキーである。
【００８９】
第53中央キー(830)は中央5型文字入力装置(5)の3×7配列の中で2行4列に位置するキーである。
【００９０】
第54中央キー(840)は中央5型文字入力装置(5)の3×7配列の中で2行5列に位置するキーである。
【００９１】
第55中央キー(850)は中央5型文字入力装置(5)の3×7配列の中で2行6列に位置するキーである。
【００９２】
図６は本発明の一実施形態によるスペースキーが含まれている中央2型文字入力装置(6)を表す図である。スペースキーが含まれている中央2型文字入力装置は、図３の中央2型文字入力装置(3)の3×4配列に、第1スペースキー(910)、第2スペースキー(920)、第3スペースキー(930)、第4スペースキー(940)、第5スペースキー(950)、第6スペースキー(960)を含んで構成される。
【００９３】
第1スペースキー(910)は第11キー(110)、第12キー(120)、第20キー(200)、第1中央キー(210)の間の空間に位置するキーである。
第2スペースキー(920)は第12キー(120)、第13キー(130)、第1中央キー(210)、第2中央キー(220)の間の空間に位置するキーである。
【００９４】
第3スペースキー(930)は第13キー(130)、第14キー(140)、第15キー(150)、第2中央キー(220)の間の空間に位置するキーである。
【００９５】
第4スペースキー(940)は第15キー(150)、第16キー(160)、第17キー(170)、第2中央キー(220)の間の空間に位置するキーである。
【００９６】
第5スペースキー(950)は第17キー(170)、第18キー(180)、第1中央キー(210)、第2中央キー(220)の間の空間に位置するキーである。
第6スペースキー(960)は第18キー(180)、第19キー(190)、第20キー(200)、第1中央キー(210)の間の空間に位置するキーである。
【００９７】
各スペースキーはお互いに触れ合わないで十分な距離を持っている。
【００９８】
図７は図１の中央1型文字入力装置(1)での基本キー入力値及び中央キー入力値のキー入力方法を表わす図であり、基本キー入力値は基本値、基本キー重複値、三重複値を含み、中央キー入力値は中央キー基本値、中央キー重複値、中央キー三重値を含む。
基本値は各キーを一度押すと作成される値である。
【００９９】
基本キー重複値は基本値作成後、各キーをもう一度押すと作成される値である。すなわち、各キーを二度押すと作成される。
【０１００】
三重複値は基本キー重複値作成後、各キーをもう一度押すと作成される値である。すなわち、各キーを三度押すと作成される。
【０１０１】
第1キー(10)、第2キー(20)、第3キー(30)、第4キー(40)、第6キー(60)、第7キー(70)、第8キー(70)、第9キー(90)の中央キーは第5キー(50)であり、各キーの中央キー基本値は各キーを押した後第5キー(50)を押すと作成される。すなわち、各キーの中央キー基本値は各キーを押した後中央キーを押すと作成される。
【０１０２】
第1キー(10)、第2キー(20)、第3キー(30)、第4キー(40)、第6キー(60)、第7キー(70)、第8キー(70)、第9キー(90)の各キーの中央キー基本値作成後、第5キー(50)を押すと各キーの中央キー重複値が作成される。すなわち、各キーの中央キー重複値は各キーを押した後中央キーを二度押すと作成される。
【０１０３】
第1キー(10)、第2キー(20)、第3キー(30)、第4キー(40)、第6キー(60)、第7キー(70)、第8キー(70)、第9キー(90)の各キーの中央キー重複値作成後、第5キー(50)を押すと各キーの中央キー三重値が作成される。すなわち、各キーの中央キー三重値は各キーを押した後中央キーを三度押すと作成される。
【０１０４】
図８は図２の中央1型10周辺キー文字入力装置(2)での基本キー入力値及び中央キー入力値のキー入力方法を表わす図であり、基本キー入力値は基本値、基本キー重複値、三重複値を含み、中央キー入力値は中央キー基本値、中央キー重複値、中央キー三重値を含む。
【０１０５】
基本キー入力値を入力する方法は、図７の中央1型文字入力装置(1)の入力方法に似ている。
【０１０６】
第1キー(10)、第2キー(20)、第3キー(30)、第4aキー(42)、第4bキー(45)、第6aキー(62)、第6bキー(65)、第7キー(70)、第8キー(70)、第9キー(90)の中央キーは第5キー(50)であり各キーの中央キー基本値は各キーを押した後、第5キー(50)を押すと作成される。各キーの中央キー入力値も図7の中央1型文字入力装置(1)とキー入力、方法は等しい。
【０１０７】
例えば、図２で第4aキー(42)の中央キー基本値は第4aキー(42)を押した後、中央キーである第5キー(50)を押すと作成され、第4aキー(42)の中央キー基本値作成後第5キー(50)を再度押すと第4aキー(42)の中央キー重複値が作成され、第4aキー(42)の中央キー重複値作成後第5キー(50)を再度押すと第4aキー(42)の中央キー三重値が作成される。
【０１０８】
図９は図３の中央2型文字入力装置での基本キー入力方法及び中央キー入力値のキー入力方法を表わす図であり、基本キー入力値は基本値、基本キー重複値、三重複値を含み、中央キー入力値は中央キー基本値、中央キー重複値、中央キー連続値、中央キー連続重複値、中央キー連続三重値、中央キー三重値、中央キー重複連続値、中央キー重複連続重複値を含む。
【０１０９】
基本値は各キーを一度押すと作成される値をいう。
基本キー重複値は基本値作成後各キーをもう一度押すと作成される値である。すなわち、各キーを二度押すと作成される。
【０１１０】
三重複値は基本キー重複値作成後各キーをもう一度押すと作成される値である。すなわち、各キーを三度押すと作成される。
【０１１１】
第11キー(110)、第12キー(120)、第18キー(180)、第19キー(190)、第20キー(200)の中央キーは、第1中央キー(210)であり、各キーの中央キー基本値は各キーを押した後第1中央キー(210)を押すと作成される。
【０１１２】
第13キー(130)、第14キー(140)、第15キー(150)、第16キー(160)、第17キー(170)の中央キーは、第2中央キー(220)であり、各キーの中央キー基本値は各キーを押した後第2中央キー(220)を押すと作成される。
【０１１３】
第11キー(110)、第12キー(120)、第18キー(180)、第19キー(190)、第20キー(200)の中央キー重複値は、各キーの中央キー基本値であり、最後に押したキーである第1中央キー(210)をもう一度押すと作成される。すなわち、各キーを押した後中央キーである第1中央キー(210)を二度押せばよい。
【０１１４】
第13キー(130)、第14キー(140)、第15キー(150)、第16キー(160)、第17キー(170)の中央キー重複値は、各キーの中央キー基本値であり、最後に押したキーである第2中央キー(220)をもう一度押すと作成される。すなわち、各キーを押した後中央キーである第2中央キー(220)を二度押せばよい。
【０１１５】
第11キー(110)、第12キー(120)、第18キー(180)、第19キー(190)、第20キー(200)の中央キー連続値は、各キーの中央キー基本値を押した後、遠い中央キーである第2中央キー(220)を押すと作成される。すなわち、第11キー(110)、第12キー(120)、第18キー(180)、第19キー(190)、第20キー(200)の各キーを押した後、第1中央キー(210)と第2中央キー(220)を順に押せばよい。
【０１１６】
第13キー(130)、第14キー(140)、第15キー(150)、第16キー(160)、第17キー(170)の中央キー連続値は、各キーの中央キー基本値を押した後、遠い中央キーである第1中央キー(210)を押せば作成される。すなわち、第13キー(130)、第14キー(140)、第15キー(150)、第16キー(160)、第17キー(170)の各キーを押した後、第2中央キー(220)と第1中央キー(210)を順に押せばよい。
【０１１７】
第11キー(110)、第12キー(120)、第18キー(180)、第19キー(190)、第20キー(200)の中央キー連続重複値は、各キーの中央キー連続値を押した後、遠い中央キーである第2中央キー(220)を再び押すと作成される。すなわち、第11キー(110)、第12キー(120)、第18キー(180)、第19キー(190)、第20キー(200)の各キーを押した後、第1中央キー(210)を押し第2中央キー(220)を二度押せばよい。
【０１１８】
第13キー(130)、第14キー(140)、第15キー(150)、第16キー(160)、第17キー(170)の中央キー連続重複値は、各キーの中央キー連続値を押した後、遠い中央キーである第1中央キー(210)をもう一度押すと作成される。すなわち、第13キー(130)、第14キー(140)、第15キー(150)、第16キー(160)、第17キー(170)の各キーを押した後、第2中央キー(220)を押し第1中央キー(210)を二度押せばよい。
【０１１９】
第11キー(110)、第12キー(120)、第18キー(180)、第19キー(190)、第20キー(200)の中央キー連続三重値は、各キーの中央キー連続重複値を押した後、遠い中央キーである第2中央キー(220)をもう一度押すと作成される。すなわち、第11キー(110)、第12キー(120)、第18キー(180)、第19キー(190)、第20キー(200)の各キーを押した後、第1中央キー(210)を押し第2中央キー(220)を三度押せばよい。
【０１２０】
第13キー(130)、第14キー(140)、第15キー(150)、第16キー(160)、第17キー(170)の中央キー連続三重値は、各キーの中央キー連続重複値を押した後、遠い中央キーである第1中央キー(210)をもう一度押すと作成される。すなわち、第13キー(130)、第14キー(140)、第15キー(150)、第16キー(160)、第17キー(170)の各キーを押した後、第2中央キー(220)を押し第1中央キー(210)を三度押せばよい。
【０１２１】
第11キー(110)、第12キー(120)、第18キー(180)、第19キー(190)、第20キー(200)の中央キー三重値は、各キーの中央キー重複値を押した後、最後に押したキーである第1中央キー(210)をもう一度押すと作成される。すなわち、第11キー(110)、第12キー(120)、第18キー(180)、第19キー(190)、第20キー(200)の各キーを押した後、第1中央キー(210)を三度押せばよい。
【０１２２】
第13キー(130)、第14キー(140)、第15キー(150)、第16キー(160)、第17キー(170)の中央キー三重値は、各キーの中央キー重複値を押した後、最後に押したキーである第2中央キー(220)をもう一度押すと作成される。すなわち、第13キー(130)、第14キー(140)、第15キー(150)、第16キー(160)、第17キー(170)の各キーを押した後、第2中央キー(220)を三度押せばよい。
【０１２３】
第11キー(110)、第12キー(120)、第18キー(180)、第19キー(190)、第20キー(200)の中央キー重複連続値は、各キーの中央キー重複値を押した後、各キーの遠い中央キーである第2中央キー(220)を押すと作成される。すなわち、第11キー(110)、第12キー(120)、第18キー(180)、第19キー(190)、第20キー(200)の各キーを押した後、第1中央キー(210)を二度押した後第2中央キー(220)を押せばよい。
【０１２４】
第13キー(130)、第14キー(140)、第15キー(150)、第16キー(160)、第17キー(170)の中央キー重複連続値は、各キーの中央キー重複値を押した後、各キーの遠い中央キーである第1中央キー(210)を押すと作成される。すなわち、第13キー(130)、第14キー(140)、第15キー(150)、第16キー(160)、第17キー(170)の各キーを押した後、第2中央キー(220)を二度押した後第1中央キー(210)を押せばよい。
【０１２５】
第11キー(110)、第12キー(120)、第18キー(180)、第19キー(190)、第20キー(200)の中央キー重複連続重複値は、各キーの中央キー重複連続値を押した後、最後に押したキーである第2中央キー(220)を押すと作成される。すなわち、第11キー(110)、第12キー(120)、第18キー(180)、第19キー(190)、第20キー(200)の各キーを押した後第1中央キー(210)を二度押した後、第2中央キー(220)を二度押せばよい。
【０１２６】
第13キー(130)、第14キー(140)、第15キー(150)、第16キー(160)、第17キー(170)の中央キー重複連続重複値は、各キーの中央キー重複連続値を押した後、最後に押したキーである第1中央キー(210)を押すと作成される。すなわち、第13キー(130)、第14キー(140)、第15キー(150)、第16キー(160)、第17キー(170)の各キーを押した後第2中央キー(220)を二度押した後第1中央キー(210)を二度押せばよい。
【０１２７】
図１０は図３の中央2型文字入力装置(3)での遠い中央キー入力値のキー入力方法を表わす図であり、遠い中央キー入力値は遠い中央キー基本値、遠い中央キー重複値、遠い中央キー連続値、遠い中央キー連続重複値、遠い中央キー連続三重値、遠い中央キー三重値、遠い中央キー重複連続値、遠い中央キー重複連続重複値を含む。
【０１２８】
第11キー(110)、第12キー(120)、第18キー(180)、第19キー(190)、第20キー(200)の遠い中央キーは、第2中央キー(220)であり、各キーの遠い中央キー基本値は各キーを押した後、第2中央キー(220)を押すと作成される。
【０１２９】
第13キー(130)、第14キー(140)、第15キー(150)、第16キー(160)、第17キー(170)の遠い中央キーは、第1中央キー(210)であり、各キーの遠い中央キー基本値は各キーを押した後、第1中央キー(210)を押すと作成される。
【０１３０】
第11キー(110)、第12キー(120)、第18キー(180)、第19キー(190)、第20キー(200)の遠い中央キー重複値は、各キーの遠い中央キー基本値であり、最後に押したキーである第2中央キー(220)をもう一度押すと作成される。すなわち、上記各キーを押した後、遠い中央キーである第2中央キー(220)を二度押せばよい。
【０１３１】
第13キー(130)、第14キー(140)、第15キー(150)、第16キー(160)、第17キー(170)の遠い中央キー重複値は、各キーの遠い中央キー基本値であり、最後に押したキーである第1中央キー(210)をもう一度押すと作成される。すなわち上記各キーを押した後、遠い中央キーである第1中央キー(210)を二度押せばよい。
【０１３２】
第11キー(110)、第12キー(120)、第18キー(180)、第19キー(190)、第20キー(200)の遠い中央キー連続値は、各キーの遠い中央キー基本値を押した後、中央キーである第1中央キー(210)を押すと作成される。すなわち、上記各キーを押した、第2中央キー(220)と第1中央キー(210)を順に押せばよい。
【０１３３】
第13キー(130)、第14キー(140)、第15キー(150)、第16キー(160)、第17キー(170)の遠い中央キー連続値は、各キーの遠い中央キー基本値を押した後、中央キーである第2中央キー(220)を押すと作成される。すなわち、上記各キーを押した後、第1中央キー(210)と第2中央キー(220)を順に押せばよい。
【０１３４】
第11キー(110)、第12キー(120)、第18キー(180)、第19キー(190)、第20キー(200)の遠い中央キー連続重複値は、各キーの遠い中央キー連続値を押した後、中央キーである第1中央キー(210)をもう一度押すと作成される。すなわち、上記各キーを押した後、第2中央キー(220)を押し第1中央キー(210)を二度押せばよい。
【０１３５】
第13キー(130)、第14キー(140)、第15キー(150)、第16キー(160)、第17キー(170)の遠い中央キー連続重複値は、各キーの遠い中央キー連続値を押した後、中央キーである第2中央キー(220)をもう一度押すと作成される。すなわち、上記各キーを押した後第1中央キー(210)を押し第2中央キー(220)を二度押せばよい。
【０１３６】
第11キー(110)、第12キー(120)、第18キー(180)、第19キー(190)、第20キー(200)の遠い中央キー連続三重値は、各キーの遠い中央キー連続重複値を押した後、最後に押したキーである第1中央キー(210)をもう一度押すと作成される。すなわち、上記各キーを押した後、第2中央キー(220)を押し第1中央キー(210)を三度押せばよい。
【０１３７】
第13キー(130)、第14キー(140)、第15キー(150)、第16キー(160)、第17キー(170)の遠い中央キー連続三重値は、各キーの遠い中央キー連続値を押した後、最後に押したキーである第2中央キー(220)をもう一度押すと作成される。すなわち、上記各キーを押した後、第1中央キー(210)を押し第2中央キー(220)を三度押せばよい。
【０１３８】
第11キー(110)、第12キー(120)、第18キー(180)、第19キー(190)、第20キー(200)の遠い中央キー三重値は、各キーの遠い中央キー重複値を押した後、最後に押したキーである第2中央キー(220)をもう一度押すと作成される。すなわち、上記各キーを押した後、第2中央キー(220)を三度押せばよい。
【０１３９】
第13キー(130)、第14キー(140)、第15キー(150)、第16キー(160)、第17キー(170)の遠い中央キー三重値は、各キーの遠い中央キー重複値を押した後、最後に押したキーである第1中央キー(210)をもう一度押すと作成される。すなわち、上記各キーを押した後、第1中央キー(210)を三度押せばよい。
【０１４０】
第11キー(110)、第12キー(120)、第18キー(180)、第19キー(190)、第20キー(200)の遠い中央キー重複連続値は、各キーの遠い中央キー重複値を押した後、第1中央キー(210)を一度押すと作成される。すなわち、上記各キーを押した後、遠い中央キーである第2中央キー(220)を二度押し、更に中央キーである第1中央キー(210)を押せばよい。
【０１４１】
第13キー(130)、第14キー(140)、第15キー(150)、第16キー(160)、第17キー(170)の遠い中央キー重複連続値は、各キーの遠い中央キー重複値を押した後、第2中央キー(220)を一度押すと作成される。すなわち、上記各キーを押した後、遠い中央キーである第1中央キー(210)を二度押し、更に中央キーである第2中央キー(220)を押せばよい。
【０１４２】
第11キー(110)、第12キー(120)、第18キー(180)、第19キー(190)、第20キー(200)の遠い中央キー重複連続重複値は、各キーの遠い中央キー重複連続値を押した後、第1中央キー(210)を一度押すと作成される。すなわち、上記各キーを押した後、遠い中央キーである第2中央キー(220)を二度押し、更に中央キーである第1中央キー(210)を二度押せばよい。
【０１４３】
第13キー(130)、第14キー(140)、第15キー(150)、第16キー(160)、第17キー(170)の遠い中央キー重複連続重複値は、各キーの遠い中央キー重複連続値を押した後、第2中央キー(220)を一度押すと作成される。すなわち、上記各キーを押した後、遠い中央キーである第1中央キー(210)を二度押し、更に中央キーである第2中央キー(220)を二度押せばよい。
【０１４４】
図１１は図４の中央4型文字入力装置(4)でのキー入力方法の一部を表わす図であり、中央キー1値、中央キー2値、中央キー3値、中央キー4値、中央キー11値、中央キー12値、中央キー123値、中央キー1234値、中央キー13値、中央キー133値、中央キー22値、中央キー24値、中央キー244値、中央キー44値に対して説明する。
【０１４５】
中央4型文字入力装置(4)で各キーの基本キー入力値の中で基本値は各キーを一度押すと作成され、基本キー重複値は各キーを二度押すと作成され、三重複値は各キーを三度押すと作成される。
【０１４６】
中央キー1値は各キーの基本値作成後、第41中央キー(510)を押すと作成される。
【０１４７】
中央キー2値は各キーの基本値作成後、第42中央キー(520)を押すと作成される。
【０１４８】
中央キー3値は各キーの基本値作成後、第43中央キー(530)を押すと作成される。
【０１４９】
中央キー4値は各キーの基本値作成後、第44中央キー(540)を押すと作成される。
【０１５０】
中央キー11値は各キーの中央キー1値作成後、第41中央キー(510)を押すと作成される。すなわち、中央キー11値は各キーを押した後、第41中央キー(510)を二度押すと作成される。
【０１５１】
中央キー12値は各キーの中央キー1値作成後、第42中央キー(520)を押すと作成される。すなわち、中央キー12値は各キーを押した後、第41中央キー(510)、第42中央キー(520)を順に押すと作成される。
【０１５２】
中央キー123値は各キーの中央キー12値作成後、第43中央キー(530)を押すと作成される。すなわち、中央キー123値は各キーを押した後、第41中央キー(510)、第42中央キー(520)、第43中央キー(530)を順に押すと作成される。
【０１５３】
中央キー1234値は各キーの中央キー123値作成後、第44中央キー(540)を押すと作成される。すなわち、中央キー1234値は各キーを押した後、第41中央キー(510)、第42中央キー(520)、第43中央キー(530)、第44中央キー(540)を順に押すと作成される。
中央キー13値は各キーの中央キー1値作成後、第43中央キー(530)を押すと作成される。すなわち、中央キー13値は各キーを押した後、第41中央キー(510)、第43中央キー(530)を順に押すと作成される。
【０１５４】
中央キー133値は各キーの中央キー13値作成後、第43中央キー(530)を押すと作成される。
【０１５５】
中央キー22値は各キーの中央キー2値作成後、第42中央キー(520)を押すと作成される。すなわち、中央キー22値は各キーを押した後、第42中央キー(520)を二度押すと作成される。
【０１５６】
中央キー24値は各キーの中央キー2値作成後、第44中央キー(540)を押すと作成される。すなわち、中央キー24値は各キーを押した後、第42中央キー(520)、第44中央キー(540)を順に押すと作成される。
【０１５７】
中央キー244値は各キーの中央キー24値作成後、第44中央キー(540)を押すと作成される。
【０１５８】
中央キー44値は各キーの中央キー4値作成後、第44中央キー(540)を押すと作成される。すなわち、中央キー44値は各キーを押した後、第44中央キー(540)を二度押すと作成される。
【０１５９】
図１２は図５の中央5型文字入力装置(5)でのキー入力方法の一部を表わす図であり、中央キー1値、中央キー2値、中央キー3値、中央キー4値、中央キー5値、中央キー11値、中央キー12値、中央キー123値、中央キー1234値、中央キー12345値、中央キー21値、中央キー22値、中央キー23値、中央キー211値、中央キー32値、中央キー33値、中央キー44値、中央キー45値、中央キー445値、中央キー455値、中央キー4455値、中央キー54値に対して説明する。
【０１６０】
中央5型文字入力装置(5)で各キーの基本キー入力値の中で基本値は各キーを一度押すと作成され、基本キー重複値は各キーを二度押すと作成され、三重複値は各キーを三度押すと作成される。
【０１６１】
中央キー1値は各キーの基本値作成後、第51中央キー(810)を押すと作成される。
【０１６２】
中央キー2値は各キーの基本値作成後、第52中央キー(820)を押すと作成される。
【０１６３】
中央キー3値は各キーの基本値作成後、第53中央キー(830)を押すと作成される。
【０１６４】
中央キー4値は各キーの基本値作成後、第54中央キー(840)を押すと作成される。
【０１６５】
中央キー11値は各キーの中央キー1値作成後、第51中央キー(810)を押すと作成される。すなわち、中央キー11値は各キーを一度押した後、第51中央キー(810)を二度押すと作成される。
【０１６６】
中央キー12値は各キーの中央キー1値作成後、第52中央キー(820)を押すと作成される。すなわち、中央キー12値は各キーを一度押した後、第51中央キー(810)、第52中央キー(820)を順に押すと作成される。
【０１６７】
中央キー123値は各キーの中央キー12値作成後、第53中央キー(830)を押すと作成される。
【０１６８】
中央キー1234値は各キーの中央キー123値作成後、第54中央キー(840)を押すと作成される。
【０１６９】
中央キー12345値は各キーの中央キー1234値作成後、第55中央キー(850)を押すと作成される。
【０１７０】
中央キー21値は各キーの中央キー2値作成後、第51中央キー(810)を押すと作成される。すなわち、中央キー21値は各キーを一度押した後、第52中央キー(820)、第51中央キー(810)を順に押すと作成される。
【０１７１】
中央キー22値は各キーの中央キー2値作成後、第52中央キー(820)を押すと作成される。すなわち、中央キー22値は各キーを一度押した後、第52中央キー(820)を二度押すと作成される。
【０１７２】
中央キー23値は各キーの中央キー2値作成後、第53中央キー(830)を押すと作成される。
【０１７３】
中央キー211値は各キーの中央キー21値作成後、第51中央キー(810)を押すと作成される。
【０１７４】
中央キー32値は各キーの中央キー3値作成後、第52中央キー(820)を押すと作成される。
【０１７５】
中央キー33値は各キーの中央キー3値作成後、第53中央キー(830)を押すと作成される。
【０１７６】
中央キー44値は各キーの中央キー4値作成後、第54中央キー(840)を押すと作成される。
【０１７７】
中央キー45値は各キーの中央キー4値作成後、第55中央キー(850)を押すと作成される。
【０１７８】
中央キー445値は各キーの中央キー44値作成後、第55中央キー(850)を押すと作成される。
【０１７９】
中央キー455値は各キーの中央キー45値作成後、第55中央キー(850)を押すと作成される。
【０１８０】
中央キー4455値は各キーの中央キー445値作成後、第55中央キー(850)を押すと作成される。
【０１８１】
中央キー54値は各キーの中央キー5値作成後、第54中央キー(840)を押すと作成される。
【０１８２】
図１３は図６のスペースキーが含まれた中央２型文字入力装置でのキー入力方法を表わす図である。
【０１８３】
スペースキーを挟んで対角線上にある2つのキーのうち、一つのキーを刺激した後スペースキーを刺激すれば、対角線上にあるもう一つのキーも押されたことになる。言い換えれば、スペースキーを取り囲んでいる一つのキーを刺激後、スペースキーを刺激すれば、対角線上にあるもう一つのキーとスペースキーは一体化し、対角線上にあるもうひとつのキーが刺激されたことのようになる。これで、スペースキーを挟んで対角線上にある二つのキーを一度に刺激が可能となる。
【０１８４】
第1スペースキー(910)を中心に第11キー(110)、第12キー(120)、第20キー(200)、第1中央キー(210)が位置し、この中で第11キー(110)と第1中央キー(210)、第12キー(120)と第20キー(200)は第1スペースキー(910)を中心に斜線対称を成す。
第11キー(110)の中央キー基本値は第11キー(110)と第1中央キー(210)を刺激して作成される値で、これは第11キー(110)、第1スペースキー(910)、第1中央キー(210)を順に刺激するか、第11キー(110)と第1スペースキー(910)を刺激して作成することもできる。
【０１８５】
第12キー(120)の基本値作成後、第20キー(200)の基本値を順に作成するためには第12キー(120)刺激後第20キー(200)を刺激するか、または第12キー(120)と第1スペースキー(910)、第20キー(200)を順に刺激して作成するか、または第12キー(120)と第1スペースキー(910)を刺激して作成することもできる。
【０１８６】
これと反対に第20キー(200)基本値作成後、第12キー(120)の基本値を作成したければ、第20キー(200)刺激後、第12キー(120)を刺激して作成するか、または第20キー(200)と第1スペースキー(910)、第12キー(120)を順に刺激して作成するか、または第20キー(200)と第1スペースキー(910)を刺激しても作成される。
【０１８７】
第1スペースキー(910)と同じように、残り第2スペースキー(920)、第3スペースキー(930)、第4スペースキー(940)、第5スペースキー(950)、第6スペースキー(960)も同じく各スペースキーを中心に斜線対称するキーはスペースキーを介して刺激が可能である。
【０１８８】
図１４は本発明の他の実施形態による文字入力装置の中央1型カーソル移動文字入力装置を表す図である。中央1型カーソル移動文字入力装置は、図1の中央1型文字入力装置(1)で説明した3×3配列であり、第1キー(10)、第2キー(20)、第3キー(30)、第4キー(40)、第5キー(50)、第6キー(60)、第7キー(70)、第8キー(80)、第9キー(90)で構成される。このうち第1キー(10)、第3キー(30)、第7キー(70)、第9キー(90)はここでは使われない。
【０１８９】
中央1型カーソル移動文字入力装置で第2キー(20)の基本値は、カーソルを下方へ移動させる"↓"で、中央キー基本値は、ページの一番下端へカーソルを移動させる"PgDn"である。すなわち第2キー(20)を一度押すと"↓"であり、第2キー(20)を押した後中央キーである第5キー(50)を押すと"PgDn"である。
【０１９０】
中央1型カーソル移動文字入力装置で第4キー(40)の基本値は、カーソルを右側に移動させる"→"で、中央キー基本値は、カーソルを現在ある列の終りに移動させる"End"である。
【０１９１】
中央1型カーソル移動文字入力装置で第6キー(60)の基本値は、カーソルを左側に移動させる"←"で、中央キー基本値は、カーソルを現在ある列の初めに移動させる"Home"である。
【０１９２】
中央1型カーソル移動文字入力装置で第8キー(80)の基本値は、カーソルを上方へ移動させる"↑"で、中央キー基本値は、ページの一番上端へカーソルを移動させる"PgUp"である。
【０１９３】
図１５は本発明の他の実施形態による文字入力装置の中央1型レコードプレーヤー文字入力装置を表す図である。中央1型レコードプレーヤー文字入力装置は図１の中央1型文字入力装置(1)で説明した3×3配列であり、第1キー(10)、第2キー(20)、第3キー(30)、第4キー(40)、第5キー(50)、第6キー(60)、第7キー(70)、第8キー(80)、第9キー(90)で構成される。このうち第1キー(10)、第3キー(30)、第7キー(70)、第9キー(90)はここでは使われない。
【０１９４】
中央1型レコードプレーヤー文字入力装置で第2キー(20)の基本値は、レコードプレーヤーの停止機能である"■"で、中央キー基本値は、取り出し機能である"
2009545024.tif 000007
"である。すなわち第2キー(20)を一度押すと"■"であり、第2キー(20)を押した後中央キーである第5キー(50)を押すと"
2009545024.tif 000008
"である。
【０１９５】
中央1型レコードプレーヤー文字入力装置で第4キー(40)の基本値は、レコードプレーヤーを再生機能である"
2009545024.tif 000009
"で、中央キー基本値は、早送り機能である"
2009545024.tif 000010
"で、中央キー重複値は、次へスキップする"
2009545024.tif 000011
"である。すなわち、第4キー(40)を一度押すと"
2009545024.tif 000012
"であり、第4キー(40)を押した後中央キーである第5キー(50)を押すと"
2009545024.tif 000013
"で、第4キー(40)を押した後中央キーである第5キー(50)を二度押すと"
2009545024.tif 000014
"である。
【０１９６】
中央1型レコードプレーヤー文字入力装置で第6キー(60)の基本値は、一時停止機能である"
2009545024.tif 000015
"で、中央キー基本値は、巻き戻し機能である"
2009545024.tif 000016
"で、中央キー重複値は、後ろにスキップさせる"
2009545024.tif 000017
"である。
【０１９７】
中央1型レコードプレーヤー文字入力装置で第8キー(80)の基本値は、録音機能である"●"である。
【０１９８】
図１６は本発明の他の実施形態による文字入力装置の中央1型演算用文字入力装置を表す図である。中央1型演算用文字入力装置は図2の中央1型10周辺キー文字入力装置(2)の配列と同様であり、第1キー(10)、第2キー(20)、第3キー(30)、第4aキー(42)、第4bキー(45)、第5キー(50)、第6aキー(62)、第6bキー(65)、第7キー(70)、第8キー(80)、第9キー(90)で構成される。
【０１９９】
中央1型演算用文字入力装置で第1キー(10)の基本値は"1"で、中央キー基本値は"("である。すなわち、第1キー(10)を一度押すと"1"で、第1キー(10)を押した後中央キーである第5キー(50)を押すと"("である。
【０２００】
中央1型演算用文字入力装置で第2キー(20)の基本値は"0"で、中央キー基本値は演算結果値を表示する"="で、中央キー重複値はすべての値を消して新たに計算を始める"AC"である。すなわち、第2キー(20)を一度押すと"0"で、第2キー(20)を押した後中央キーである第5キー(50)を押すと"="で、第2キー(20)を押した後中央キーである第5キー(50)を二度押すと"AC"である。
【０２０１】
中央1型演算用文字入力装置で第3キー(30)の基本値は"9"で、中央キー基本値は")"である。
【０２０２】
中央1型演算用文字入力装置で第4aキー(42)の基本値は"2"で、中央キー基本値は"+"である。
【０２０３】
中央1型演算用文字入力装置で第4bキー(45)の基本値は"3"で、中央キー基本値は"-"である。
【０２０４】
中央1型演算用文字入力装置で第5キー(50)の基本値は演算用文字入力装置の電源をつける"on"である。
【０２０５】
中央1型演算用文字入力装置で第6aキー(62)の基本値は"8"で、中央キー基本値は"*"である。
【０２０６】
中央1型演算用文字入力装置で第6bキー(65)の基本値は"7"で、中央キー基本値は"/"である。
【０２０７】
中央1型演算用文字入力装置で第7キー(70)の基本値は"4"で、中央キー基本値は演算用文字入力装置の電源を消す"off"である。
【０２０８】
中央1型演算用文字入力装置で第8キー(80)の基本値は"5"で、中央キー基本値は"。"である。
【０２０９】
中央1型演算用文字入力装置で第9キー(90)の基本値は"6"で、中央キー基本値は、すぐ前の文字を消す"
2009545024.tif 000018
"である。
【０２１０】
図１７は本発明の他の実施形態による文字入力装置の中央1型演算/時計文字入力装置を表す図である。中央1型演算/時計文字入力装置は図2の中央1型10周辺キー文字入力装置(2)の配列と同様であり、第1キー(10)、第2キー(20)、第3キー(30)、第4aキー(42)、第4bキー(45)、第5キー(50)、第6aキー(62)、第6bキー(65)、第7キー(70)、第8キー(80)、第9キー(90)で構成される。
【０２１１】
図１７の中央1型演算/時計文字入力装置が演算モードの場合、第7キー(70)の中央キー基本値が、演算モードと時計モードの変換をする"N/W"という点を除き、図１６の中央1型演算用文字入力装置と各キーの構成及び入力方法は等しい。
【０２１２】
図１７の中央1型演算/時計文字入力装置が"N/W"によって時計モードに変換された場合、第1キー(10)の基本値は"1"で、中央キー基本値は、年月日を設定する"Day"である。すなわち、第1キー(10)を一度押すと"1"で、第1キー(10)を押した後中央キーである第5キー(50)を押すと"Day"である。
【０２１３】
中央1型演算/時計文字入力装置で中央1型演算/時計文字入力装置が時計モードの場合、第2キー(20)の基本値は"0"で、中央キー基本値は、設定のために入力した値を確認する"OK"で、中央キー重複値は、設定値を消して新たに入力を始める"AC"である。すなわち、第2キー(20)を一度押すと"0"で、第2キー(20)を押した後中央キーである第5キー(50)を押すと"OK"で、第2キー(20)を押した後中央キーである第5キー(50)を二度押すと"AC"である。
【０２１４】
中央1型演算/時計文字入力装置で中央1型演算/時計文字入力装置が時計モードの場合、第3キー(30)の基本値は"9"で、中央キー基本値は時分秒を表示する"Time"である。
中央1型演算/時計文字入力装置で中央1型演算/時計文字入力装置が時計モードの場合、第4aキー(42)の基本値は"2"で、中央キー基本値はストップ・ウオッチを開始する"
2009545024.tif 000019
"で、中央キー重複値はストップ・ウオッチを終了する"■"である。
【０２１５】
中央1型演算/時計文字入力装置で中央1型演算/時計文字入力装置が時計モードの場合、第4bキー(45)の基本値は"3"で、中央キー基本値はカウントダウンのために時間を設定する"C.D"で、中央キー重複値はカウントダウン設定を取り消す"off"である。
【０２１６】
中央1型演算/時計文字入力装置で中央1型演算/時計文字入力装置が時計モードの場合、第5キー(50)の基本値は電源を入れる"on"である。
【０２１７】
中央1型演算/時計文字入力装置で中央1型演算/時計文字入力装置が時計モードの場合、第6aキー(62)の基本値は"8"で、中央キー基本値は音を上げる"▲"である。
【０２１８】
中央1型演算/時計文字入力装置で中央1型演算/時計文字入力装置が時計モードの場合、第6bキー(65)の基本値は"7"で、中央キー基本値は音を下げる"▼"である。
【０２１９】
中央1型演算/時計文字入力装置で中央1型演算/時計文字入力装置が時計モードの場合、第7キー(70)の基本値は"4"で、中央キー基本値は演算モードと時計モードを切り替える"N/W"である。
【０２２０】
中央1型演算/時計文字入力装置で中央1型演算/時計文字入力装置が時計モードの場合、第8キー(80)の基本値は"5"で、中央キー基本値はアラーム時間を設定する"alarm"で、中央キー重複値は設定されたアラーム機能を取り消す"off"である。
【０２２１】
中央1型演算/時計文字入力装置で中央1型演算/時計文字入力装置が時計モードの場合、第9キー(90)の基本値は"6"で、中央キー基本値はすぐ前の入力状態にもどる"
2009545024.tif 000020
"である。
【０２２２】
図１８は本発明の他の実施形態による文字入力装置の中央2型演算用文字入力装置を表す図である。
【０２２３】
図１８の中央2型演算用文字入力装置は図3の中央2型文字入力装置(3)の3×4配列と同様であり、各言語の中央2型文字入力装置(4)で演算モードの場合使われる。中央2型演算用文字入力装置は第11キー(110)、第12キー(120)、第13キー(130)、第14キー(140)、第15キー(150)、第16キー(160)、第17キー(170)、第18キー(180)、第19キー(190)、第20キー(200)、第1中央キー(210)、第2中央キー(220)で構成される。
【０２２４】
図１８の中央2型演算用文字入力装置の第11キー(110)の基本値は"1"で、中央キー基本値は"("で、遠い中央キー基本値は"<"である。すなわち、第11キー(110)を一度押すと"1"で、第11キー(110)を押した後中央キーである第1中央キー(210)を押すと"("で、第11キー(110)を押した後遠い中央キーである第2中央キー(220)を押すと"<"である。
【０２２５】
中央2型演算用文字入力装置の第12キー(120)の基本値は"2"で、中央キー基本値は"+"で、遠い中央キー基本値は"&"である。
【０２２６】
中央2型演算用文字入力装置の第13キー(130)の基本値は"3"で、中央キー基本値は"-"で、遠い中央キー基本値は"%"である。
【０２２７】
中央2型演算用文字入力装置の第14キー(140)の基本値は"4"で、中央キー基本値は、言語入力モードと演算モードの変換をしてくれる"W/N"で、遠い中央キー基本値は、間隔をあける"Space"である。
【０２２８】
中央2型演算用文字入力装置の第15キー(150)の基本値は"5"で、中央キー基本値は"。"で、遠い中央キー基本値は"、"で、遠い中央キー重複値は"$"である。
【０２２９】
中央2型演算用文字入力装置の第16キー(160)の基本値は"6"で、中央キー基本値は、言語入力モード時、言語を切り替える時に使う"K/E"で、遠い中央キー基本値は"Enter"である。ここで第6キー(160)の中央キー基本値は、各言語間の言語変換をする時に使われ"K/E"は韓国語と英語の変換を表わす。よって、第6キー(160)の中央キー基本値は固定されたものではなく各言語によって名称が変更する。
【０２３０】
中央2型演算用文字入力装置の第17キー(170)の基本値は"7"で、中央キー基本値は"/"で、遠い中央キー基本値は"÷"である。
【０２３１】
中央2型演算用文字入力装置の第18キー(180)の基本値は"8"で、中央キー基本値は"*"で、遠い中央キー基本値は"#"である。
【０２３２】
中央2型演算用文字入力装置の第19キー(190)の基本値は"9"で、中央キー基本値は")"で、遠い中央キー基本値は">"である。
【０２３３】
中央2型演算用文字入力装置の第20キー(200)の基本値は"0"で、中央キー基本値は"="で、遠い中央キー基本値は"^"である。
【０２３４】
図１９は本発明の他の実施形態による文字入力装置の中央2型韓国語文字入力装置を表す図である。中央2型韓国語文字入力装置は図３で説明した中央2型文字入力装置の3×4配列であり、第11キー(110)、第12キー(120)、第13キー(130)、第14キー(140)、第15キー(150)、第16キー(160)、第17キー(170)、第18キー(180)、第19キー(190)、第20キー(200)、第1中央キー(210)、第2中央キー(220)で構成される。
【０２３５】
中央2型韓国語文字入力装置での第11キー(110)は、中央2型韓国語文字入力装置が韓国語入力モードの場合、第11キー(110)の基本値は"
2009545024.tif 000021
"で、中央キー基本値は"
2009545024.tif 000022
"で、中央キー重複値は"
2009545024.tif 000023
"で、遠い中央キー基本値は"_"である。第1キー(110)に表示されている残りの"1、(、<"は演算モードの場合作成される値である。すなわち、第11キー(110)を一度押すと"
2009545024.tif 000024
"で、第11キー(110)を押した後中央キーである第1中央キー(210)を押すと"
2009545024.tif 000025
"で、第11キー(110)を押した後第1中央キー(210)を二度押すと"
2009545024.tif 000026
"で、第11キー(110)を押した後、遠い中央キーである第2中央キー(220)を押すと"_"である。
【０２３６】
中央2型韓国語文字入力装置での第12キー(120)は、中央2型韓国語文字入力装置が韓国語入力モードの場合、第12キー(120)の基本値は"
2009545024.tif 000027
"で、中央キー基本値は"
2009545024.tif 000028
"で、中央キー重複値は"
2009545024.tif 000029
"で、中央キー連続値は"
2009545024.tif 000030
"で、中央キー連続重複値は"
2009545024.tif 000031
"で、遠い中央キー基本値は"ロ"である。第12キー(120)に表示されている残りの"2、+、&"は演算モードの場合作成される値である。すなわち第12キー(120)の中央キー連続値は、第12キー(120)を押した後、中央キーである第1中央キー(210)を押した後、遠い中央キーである第2中央キー(220)を押すと"
2009545024.tif 000032
"が作成される。そして第12キー(120)の中央キー連続重複値は、第12キー(120)を押した後、中央キーである第1中央キー(210)を二度押し、更に、遠い中央キーである第2中央キー(220)を押すと"
2009545024.tif 000033
"が作成される。
【０２３７】
中央2型韓国語文字入力装置での第13キー(130)は、中央2型韓国語文字入力装置が韓国語入力モードの場合、第13キー(130)の基本値は"
2009545024.tif 000034
"で、中央キー基本値は"
2009545024.tif 000035
"で、中央キー重複値は"
2009545024.tif 000036
"で、中央キー連続値は"
2009545024.tif 000037
"で、中央キー連続重複値は"
2009545024.tif 000038
"で、遠い中央キー基本値は"
2009545024.tif 000039
"である。中央キー基本値である"
2009545024.tif 000040
"を作成した後第15キー(150)を押すと"
2009545024.tif 000041
"が作成される。第13キー(130)に表示されている残りの"3、-"は演算モードの場合作成される値である。すなわち第13キー(130)の中央キーは第2中央キー(220)で、第13キー(130)の遠い中央キーは第1中央キー(210)である。また遠い中央キー重複値で"
2009545024.tif 000042
"を作成できる。
【０２３８】
中央2型韓国語文字入力装置での第14キー(140)は、中央2型韓国語文字入力装置が韓国語入力モードの場合、第14キー(140)の基本値は"SPACE"で、中央キー基本値は"W/N"で、遠い中央キー基本値は"、"で、遠い中央キー重複値は";"で、遠い中央キー連続値は"'"で、遠い中央キー連続重複値は"""である。第14キー(140)に表示されている残りの"4"は演算モードの場合作成される値である。第14キー(140)の基本値である"SPACE"は間隔をあけるときに使う。中央キー基本値である"W/N"は韓国語入力モードと演算モードを変換する時に使われ、韓国語入力モードになっている時に"W/N"を選択すれば演算モードに変わり演算モードの場合"W/N"を選択すれば韓国語入力モードに変更される。
【０２３９】
中央2型韓国語文字入力装置での第15キー(150)は、中央2型韓国語文字入力装置が韓国語入力モードの場合、第15キー(150)の基本値は”ー”で、基本キー重複値は"
2009545024.tif 000043
"で、中央キー基本値は"
2009545024.tif 000044
"で、遠い中央キー基本値は"@"で、遠い中央キー重複値は"/"で、遠い中央キー連続値は"~"で、遠い中央キー連続重複値は"・"である。
【０２４０】
中央2型韓国語文字入力装置での第16キー(160)は、中央2型韓国語文字入力装置が韓国語入力モードの場合、第16キー(160)の基本値は"ENTER"で、中央キー基本値は"K/E"で、遠い中央キー基本値は"。"で、遠い中央キー重複値は":"で、遠い中央キー連続値は"？"で、遠い中央キー連続重複値は"！"で、遠い中央キー重複連続値は"
2009545024.tif 000045
"で、遠い中央キー重複連続重複値は"
2009545024.tif 000046
"である。第16キー(160)に表示されている残りの"6"は演算モードの場合作成される値である。第6キー(160)の基本値である"ENTER"は、列を変える時に使われ一度押す度に１行ずつ変わる。中央キー基本値である"K/E"は、韓国語入力モードと英語入力モードを変換する時に使われ、韓国語入力モード時"K/E"を選択すれば英語入力モードに変わり、英語入力モード時"K/E"を選択すれば韓国語入力モードに変更される。
【０２４１】
中央2型韓国語文字入力装置での第17キー(170)は、中央2型韓国語文字入力装置が韓国語入力モードの場合、第17キー(170)の基本値は"
2009545024.tif 000047
"で、中央キー基本値は"
2009545024.tif 000048
"で、中央キー重複値は"
2009545024.tif 000049
"で、中央キー連続値は"
2009545024.tif 000050
"で、中央キー連続重複値は"
2009545024.tif 000051
"で、遠い中央キー基本値は"
2009545024.tif 000052
"で、遠い中央キー重複値は"
2009545024.tif 000053
"である。第17キー(170)に表示されている残りの"/、7"は演算モードの場合作成される値である。
【０２４２】
中央2型韓国語文字入力装置での第18キー(180)は、中央2型韓国語文字入力装置が韓国語入力モードの場合、第18キー(180)の基本値は"
2009545024.tif 000054
"で、中央キー基本値は"
2009545024.tif 000055
"で、中央キー重複値は"
2009545024.tif 000056
"で、中央キー連続値は"
2009545024.tif 000057
"で、中央キー連続重複値は"
2009545024.tif 000058
"で、遠い中央キー基本値は"
2009545024.tif 000059
"で、遠い中央キー重複値は"
2009545024.tif 000060
"である。第18キー(180)に表示されている残りの"*、8"は演算モードの場合作成される値である。
【０２４３】
中央2型韓国語文字入力装置での第19キー(190)は、中央2型韓国語文字入力装置が韓国語入力モードになっている場合、第19キー(190)の基本値は"
2009545024.tif 000061
"で、中央キー基本値は"
2009545024.tif 000062
"であり、中央キー重複値は"
2009545024.tif 000063
"である。第19キー(190)に表示されている残りの">、(、9"は演算モードの場合作成される値である。
【０２４４】
中央2型韓国語文字入力装置での第20キー(200)は、中央2型韓国語文字入力装置が韓国語入力モードになっている場合、第20キー(200)の基本値は"
2009545024.tif 000064
"で、中央キー基本値は"
2009545024.tif 000065
"であり、中央キー重複値は"
2009545024.tif 000066
"で、遠い中央キー基本値は"-"である。第10キー(200)に表示されている残りの"0、="は演算モードの場合作成される値である。
【０２４５】
図２０は本発明の他の実施形態による文字入力装置の中央2型ローマ字文字入力装置を表す図である。図２０の中央2型ローマ字文字入力装置は日本語をタイピングする際、主に使われるローマ字文字入力装置に関するものである。
【０２４６】
図２０の中央2型ローマ字文字入力装置は図３で説明した中央2型文字入力装置(3)の3×4配列と同様であり、第11キー(110)、第12キー(120)、第13キー(130)、第14キー(140)、第15キー(150)、第16キー(160)、第17キー(170)、第18キー(180)、第19キー(190)、第20キー(200)、第1中央キー(210)、第2中央キー(220)で構成される。
【０２４７】
中央2型ローマ字文字入力装置での第11キー(110)は、中央2型ローマ字文字入力装置がローマ字入力モードの場合第、11キー(110)の基本値は"G"で、中央キー基本値は"K"で、中央キー重複値は"X"で、遠い中央キー基本値は"_"である。第11キー(110)に表示されている残りの"<、1、("は演算モードの場合作成される値である。
【０２４８】
中央2型ローマ字文字入力装置での第12キー(120)は、中央2型ローマ字文字入力装置がローマ字入力モードの場合、第12キー(120)の基本値は"N"で、中央キー基本値は"a"で、中央キー重複値は"ya"で、中央キー連続値は"wa"で、中央キー三重値は"ay"で、中央キー連続重複値は"aw"で、遠い中央キー基本値は"M"で、遠い中央キー重複値は"
2009545024.tif 000067
"である。第12キー(120)に表示されている残りの"2、+、&"は演算モードの場合作成される値である。
【０２４９】
中央2型ローマ字文字入力装置での第13キー(130)は、中央2型ローマ字文字入力装置がローマ字入力モードの場合、第13キー(130)の基本値は"R"で、中央キー基本値は"o"で、中央キー重複値は"yo"で、中央キー連続値は"wo"で、中央キー三重値は"oy"で、中央キー連続重複値"ow"で、遠い中央キー基本値は"L"で、遠い中央キー重複値は"Q"である。第13キー(130)に表示されている残りの"3、-、%"は演算モードの場合作成される値である。
【０２５０】
中央2型ローマ字文字入力装置での第14キー(140)は、中央2型ローマ字文字入力装置がローマ字入力モードの場合、第14キー(140)の基本値は"SPACE"で、中央キー基本値は"W/N"で、遠い中央キー基本値は"、"で、遠い中央キー重複値は";"で、遠い中央キー連続値は"'"で、遠い中央キー連続重複値は"""である。第14キー(140)に表示されている残りの"4"は演算モードの場合作成される値である。第14キー(140)の基本値である"SPACE"は間隔をあけるときに使われる。中央キー基本値である"W/N"はローマ字入力モードと演算モードを変更する時に使われ、ローマ字入力モード時"W/N"を押すと演算モードに変わり演算モード時に押すとローマ字入力モードに変更される。
【０２５１】
中央2型ローマ字文字入力装置での第15キー(150)は、中央2型ローマ字文字入力装置がローマ字入力モードの場合、第15キー(150)の基本値は"CAP"で、中央キー基本値は"I"で、中央キー重複値は"yi"で、中央キー連続値は"wi"で、中央キー三重値は"iy"で、中央キー連続重複値は"iw"で、遠い中央キー基本値は"@"で、遠い中央キー重複値は"/"で、遠い中央キー連続値は"・"で遠い中央キー連続重複値は"~"である。第15キー(150)に表示されている残りの"5、。、、"は演算モードの場合作成される値である。第15キー(150)の基本値である"CAP"は、ローマ字での大小文字を設定する時に使われ、小文字モードで"CAP"が一度押されると、次の文字だけが大文字に変わり、"CAP"が２回押されると次からの文字が大文字に変わり、この時再び"CAP"を一度押すとまたもとの小文字に変わる。
【０２５２】
中央2型ローマ字文字入力装置での第16キー(160)は、中央2型ローマ字文字入力装置がローマ字入力モードの場合、第16キー(160)の基本値は"ENTER"で、中央キー基本値は"K/E"で、遠い中央キー基本値は"。"で、遠い中央キー重複値は":"で、遠い中央キー連続値は"?"で、遠い中央キー連続重複値は"!"で、遠い中央キー重複連続値は"
2009545024.tif 000068
"で、遠い中央キー重複連続重複値は"
2009545024.tif 000069
"である。第16キー(160)に表示されている残りの"6"は演算モードの場合作成される値である。第16キー(160)の基本値である"ENTER"は列を変える時に使われ一度押す度に１行ずつ変わる。中央キー基本値である"K/E"は、韓国語入力モードとローマ字入力モードを変更する時に使われ、韓国語入力モード時"K/E"を押すとローマ字入力モードに変わり、ローマ字入力モード時に"K/E"を押すと韓国語入力モードに変更される。この時韓国語とローマ字入力の変換だけでなく韓国語の代わりに他の言語も使用される。
【０２５３】
中央2型ローマ字文字入力装置での第17キー(170)は、中央2型ローマ字文字入力装置がローマ字入力モードの場合、第17キー(170)の基本値は"H"で、中央キー基本値は"u"で、中央キー重複値は"yu"で、中央キー連続値は"wu"で、中央キー三重値は"uy"で、中央キー連続重複値は"uw"で、遠い中央キー基本値は"J"で、遠い中央キー重複値は"Z"で、遠い中央キー連続値は"
2009545024.tif 000070
"である。第17キー(170)に表示されている残りの"/、7、÷"は演算モードの場合作成される値である。
【０２５４】
中央2型ローマ字文字入力装置での第18キー(180)は、中央2型ローマ字文字入力装置がローマ字入力モードの場合、第18キー(180)の基本値は"S"で、中央キー基本値は"e"で、中央キー重複値は"ye"で、中央キー連続値は"we"で、中央キー三重値は"ey"で、中央キー連続重複値は"ew"で、遠い中央キー基本値は"C"で、遠い中央キー重複値は"Y"で、遠い中央キー連続値は"β"である。第18キー(180)に表示されている残りの"*、8、#"は演算モードの場合作成される値である。
【０２５５】
中央2型ローマ字文字入力装置での第19キー(190)は、中央2型ローマ字文字入力装置がローマ字入力モードになっている場合、第19キー(190)の基本値は"B"で、中央キー基本値は"P"であり、中央キー重複値は"V"で、遠い中央キー基本値は"F"である。第19キー(190)に表示されている残りの"(、9、>"は演算モードの場合作成され値である。
【０２５６】
中央2型ローマ字文字入力装置での第20キー(200)は、中央2型ローマ字文字入力装置がローマ字入力モードになっている場合、第20キー(200)の基本値は"D"で、中央キー基本値は"T"であり、中央キー重複値は"W"で、中央キー連続値は"WH"で、遠い中央キー基本値は"-"である。第20キー(200)に表示されている残りの"=、0、^"は演算モードの場合作成される値である。
【０２５７】
図２１は本発明の他の実施形態による文字入力装置の韓国語-ローマ字統合型文字入力装置を表わす図であり、図１９と図２０を合わせて各キーに表示したことを除き、機能や入力方法は等しい。韓国語とローマ字モード変換は第16キー(160)の中央キー基本値である"K/E"を作成させて変換させる。
【０２５８】
図２２は本発明の他の実施形態による文字入力装置の中央2型演算/時計文字入力装置を表す図である。
【０２５９】
図２２の中央2型演算/時計文字入力装置は図３の中央2型文字入力装置(3)の3×4配列と同様であり、第11キー(110)、第12キー(120)、第13キー(130)、第14キー(140)、第15キー(150)、第16キー(160)、第17キー(170)、第18キー(180)、第19キー(190)、第20キー(200)、第1中央キー(210)、第2中央キー(220)で構成される。
【０２６０】
図２２の中央2型演算/時計文字入力装置の第11キー(110)の基本値は"1"で、中央キー基本値は"("で、中央キー重複値は"<"で、遠い中央キー基本値は年月日を設定する"Day"である。
【０２６１】
中央2型演算/時計文字入力装置の第12キー(120)の基本値は"2"で、中央キー基本値は"+"で、中央キー重複値は"＆"で、遠い中央キー基本値はストップ・ウオッチを開始する"
2009545024.tif 000071
"で、遠い中央キー重複値はストップ・ウオッチを終了する"■"である。
【０２６２】
中央2型演算/時計文字入力装置の第13キー(130)の基本値は"3"で、中央キー基本値は"-"で、中央キー重複値は"%"で、遠い中央キー基本値はカウントダウンのために時間を設定する"C.D"で、遠い中央キー重複値はカウントダウン設定を取り消す"off"である。
【０２６３】
中央2型演算/時計文字入力装置の第14キー(140)の基本値は"4"で、中央キー基本値は言語入力モードと演算モードの変換をしてくれる"W/N"で、遠い中央キー基本値は間隔をあける"Space"である。
【０２６４】
中央2型演算用文字入力装置の第15キー(150)の基本値は"5"で、中央キー基本値は"。"で、中央キー重複値は"、"で、遠い中央キー基本値はアラーム時間を設定する"alarm"で、遠い中央キー重複値はアラーム設定を取り消す"off"である。
【０２６５】
中央2型演算/時計文字入力装置の第16キー(160)の基本値は"6"で、中央キー基本値はウォン貨表示である"
2009545024.tif 000072
"で、中央キー重複値は米貨表示である"＄"で、遠い中央キー基本値は"Enter"である。
【０２６６】
中央2型演算/時計文字入力装置の第17キー(170)の基本値は"7"で、中央キー基本値は"/"で、中央キー重複値は"÷"で、遠い中央キー基本値は音を下げる"▼"である。
【０２６７】
中央2型演算/時計文字入力装置の第18キー(180)の基本値は"8"で、中央キー基本値は"*"で、中央キー重複値は"#"で、遠い中央キー基本値は音を上げる"▲"である。
【０２６８】
中央2型演算/時計文字入力装置の第19キー(190)の基本値は"9"で、中央キー基本値は")"で、中央キー重複値は">"で、遠い中央キー基本値は時分秒を表示する"Time"である。
【０２６９】
中央2型演算/時計文字入力装置の第20キー(200)の基本値は"0"で、中央キー基本値は"="で、中央キー重複値は"^"で、遠い中央キー基本値は設定のために入力した値を確認する"OK"で、遠い中央キー重複値は設定値を消して新たに入力を始める"AC"である。
【０２７０】
図２３は本発明の他の実施形態による文字入力装置の韓国語分離型文字入力装置を表す図であり、韓国語分離型文字入力装置は母音のための文字入力装置である中央1型文字入力装置(1)と子音のための文字入力装置である中央2型文字入力装置(3)を含んでいる。
【０２７１】
韓国語分離型文字入力装置での中央1型文字入力装置(1)は、母音で成り立った文字入力装置であり、第2キー(20)、第4キー(40)、第5キー(50)、第6キー(60)、第8キー(80)で構成される。
【０２７２】
韓国語分離型文字入力装置での第2キー(20)の基本値は"
2009545024.tif 000073
"で、基本キー重複値は"
2009545024.tif 000074
"で、中央キー基本値は"
2009545024.tif 000075
"である。
【０２７３】
韓国語分離型文字入力装置での第4キー(40)の基本値は"
2009545024.tif 000076
"で、基本キー重複値は"
2009545024.tif 000077
"で、中央キー基本値は"
2009545024.tif 000078
"で、中央キー重複値は"
2009545024.tif 000079
"である。
【０２７４】
韓国語分離型文字入力装置での第5キー(50)の基本値は"
2009545024.tif 000080
"で、基本キー重複値は"ー"で三重複値は"
2009545024.tif 000081
"である。
【０２７５】
韓国語分離型文字入力装置での第6キー(60)の基本値は"
2009545024.tif 000082
"で、基本キー重複値は"
2009545024.tif 000083
"で、中央キー基本値は"
2009545024.tif 000084
"で、中央キー重複値は"
2009545024.tif 000085
"である。
韓国語分離型文字入力装置での第8キー(80)の基本値は"
2009545024.tif 000086
"で、基本キー重複値は"
2009545024.tif 000087
"で、中央キー基本値は"
2009545024.tif 000088
"である。
【０２７６】
第8キー(80)を押した後第4キー(40)を押すと"
2009545024.tif 000089
"が作成され、続けて第5キー(50)を押すと"
2009545024.tif 000090
"が作成される。
【０２７７】
第2キー(20)を押した後第6キー(60)を押すと"
2009545024.tif 000091
"が作成され、続けて第5キー(50)を押すと"
2009545024.tif 000092
"が作成される。
【０２７８】
5aの韓国語分離型文字入力装置での中央2型文字入力装置(3)は、図３の第11キー(110)、第12キー(120)、第13キー(130)、第14キー(140)、第15キー(150)、第16キー(160)、第17キー(170)、第18キー(180)、第19キー(190)、第20キー(200)、第1中央キー(210)、第2中央キー(220)で構成される。
【０２７９】
韓国語分離型文字入力装置での第14キー(140)、第16キー(160)は図１９の韓国語統合型文字入力装置と各キーの構成が等しく、各キーの入力方法も同じである。
【０２８０】
図２３の韓国語分離型文字入力装置での第11キー(110)は、韓国語分離型文字入力装置が韓国語入力モードの場合、第11キー(110)の基本値は"
2009545024.tif 000093
"で、中央キー基本値は"ロ"である。第12キー(120)に表示されている残りの"1、("は演算モードの場合作成される値である。
【０２８１】
韓国語分離型文字入力装置での第12キー(120)は、韓国語分離型文字入力装置が韓国語入力モードの場合、第12キー(120)の基本値は"
2009545024.tif 000094
"で、中央キー基本値は"
2009545024.tif 000095
"で、中央キー重複値は"
2009545024.tif 000096
"である。第12キー(120)に表示されている"2、+"は演算モードの場合作成される値である。
【０２８２】
韓国語分離型文字入力装置での第13キー(130)は韓国語分離型文字入力装置が韓国語入力モードの場合、第13キー(130)の基本値は、"
2009545024.tif 000097
"で、中央キー基本値は"
2009545024.tif 000098
"で、中央キー重複値は"
2009545024.tif 000099
"である。第13キー(130)に表示されている残りの"3、-"は演算モードの場合作成される値である。
【０２８３】
韓国語分離型文字入力装置での第15キー(150)は、韓国語分離型文字入力装置が韓国語入力モードの場合、第15キー(150)の基本値は"
2009545024.tif 000100
"で、中央キー基本値は"
2009545024.tif 000101
"で、遠い中央キー基本値は"@"で、遠い中央キー重複値は"/"である。第15キー(150)に表示されている残りの"5"は演算モードの場合作成される値である。
【０２８４】
韓国語分離型文字入力装置での第17キー(170)は、韓国語分離型文字入力装置が韓国語入力モードの場合、第17キー(170)の基本値は"
2009545024.tif 000102
"で、中央キー基本値は"
2009545024.tif 000103
"で、遠い中央キー基本値は"
2009545024.tif 000104
"である。第17キー(170)に表示されている残りの"/、7"は演算モードの場合作成される値である。
【０２８５】
韓国語分離型文字入力装置での第18キー(180)は、韓国語分離型文字入力装置が韓国語入力モードの場合、第18キー(180)の基本値は"
2009545024.tif 000105
"で、中央キー基本値は"
2009545024.tif 000106
"で、遠い中央キー基本値は"
2009545024.tif 000107
"である。第18キー(180)に表示されている残りの"*、8"は演算モードの場合作成される値である。
【０２８６】
韓国語分離型文字入力装置での第19キー(190)は、韓国語分離型文字入力装置が韓国語入力モードの場合、第19キー(190)の基本値は"
2009545024.tif 000108
"で、中央キー基本値は"ー"である。第19キー(190)に表示されている残りの")、9"は演算モードの場合作成される値である。
【０２８７】
韓国語分離型文字入力装置での第20キー(200)は、韓国語分離型文字入力装置が韓国語入力モードの場合、第20キー(200)の基本値は"
2009545024.tif 000109
"で、中央キー基本値は"
2009545024.tif 000110
"である。第20キー(200)に表示されている残りの"0、="は演算モードの場合作成される値である。
【０２８８】
これを整理すれば、図２３では母音と子音用の文字入力装置を分けており、母音用文字入力装置は
2009545024.tif 000111
を基本値とし複母音などを基本キー重複値、中央キー基本値、中央キー重複値を利用して表わし、子音用文字入力装置は
2009545024.tif 000112
を基本値とし複子音、
2009545024.tif 000113
、重子音
2009545024.tif 000114
などを中央キー基本値、遠い中央キー基本値などを利用して表わす。
【０２８９】
図２４は本発明の他の実施形態による文字入力装置のローマ字分離型文字入力装置を表す図であり、ローマ字分離型文字入力装置は中央1型文字入力装置(1)と中央2型文字入力装置(3)を含んでいる。すなわち図２４のローマ字分離型文字入力装置は母音のための中央1型文字入力装置(1)と子音などのための中央2型文字入力装置(3)でなっている。
【０２９０】
図２４のローマ字分離型文字入力装置での中央1型文字入力装置(1)は母音用文字入力装置であり、第2キー(20)、第4キー(40)、第5キー(50)、第6キー(60)、第8キー(80)で構成される。
【０２９１】
ローマ字分離型文字入力装置での第2キー(20)の基本値は"U"である。
【０２９２】
ローマ字分離型文字入力装置での第4キー(40)の基本値は"A"である。
【０２９３】
ローマ字分離型文字入力装置での第5キー(50)基本値は"I"である。
【０２９４】
ローマ字分離型文字入力装置での第6キー(60)の基本値は"E"である。
【０２９５】
ローマ字分離型文字入力装置での第8キー(80)の基本値は"O"である。
【０２９６】
図２４のローマ字分離型文字入力装置での中央2型文字入力装置(3)は、子音用文字入力装置であり第11キー(110)、第12キー(120)、第13キー(130)、第14キー(140)、第15キー(150)、第16キー(160)、第17キー(170)、第18キー(180)、第19キー(190)、第20キー(200)、第1中央キー(210)、第2中央キー(220)で構成される。
【０２９７】
ローマ字分離型文字入力装置での第11キー(110)、第14キー(140)、第16キー(160)、第19キー(190)、第20キー(200)は図２０のローマ字中央2型文字入力装置と各キーの構成が等しく、各キーの入力方法も同じである。
【０２９８】
ローマ字分離型文字入力装置での第12キー(120)は、ローマ字分離型文字入力装置がローマ字入力モードの場合、第12キー(120)の基本値は"N"で、中央キー基本値は"M"で、遠い中央キー基本値は"W"で、遠い中央キー連続値は"
2009545024.tif 000115
"である。第12キー(120)に表示されている残りの"2、+、&"は演算モードの場合作成される値である。
【０２９９】
ローマ字分離型文字入力装置での第13キー(130)は、ローマ字分離型文字入力装置がローマ字入力モードの場合、第13キー(130)の基本値は"R"で、中央キー基本値は"L"で、遠い中央キー基本値は"Q"である。第13キー(130)に表示されている残りの"3、-、%"は演算モードの場合作成される値である。
【０３００】
ローマ字分離型文字入力装置での第15キー(150)は、ローマ字分離型文字入力装置がローマ字入力モードの場合、第15キー(150)の基本値は"CAP"で、中央キー基本値は"@"で、中央キー重複値は"/"で、中央キー連続値は"・"である。第15キー(150)に表示されている残りの"5、。、、"は演算モードの場合作成される値である。第15キー(150)の基本値である"CAP"は大小文字を設定するキーである。
【０３０１】
ローマ字分離型文字入力装置での第17キー(170)は、ローマ字分離型文字入力装置がローマ字入力モードの場合、第17キー(170)の基本値は"H"で、中央キー基本値は"J"で、遠い中央キー基本値は"Z"で、遠い中央キー連続値は"
2009545024.tif 000116
"である。第17キー(170)に表示されている残りの"/、7、÷"は演算モードの場合作成される値である。
【０３０２】
ローマ字分離型文字入力装置での第18キー(180)は、ローマ字分離型文字入力装置がローマ字入力モードの場合、第18キー(180)の基本値は"S"で、中央キー基本値は"C"で、遠い中央キー基本値は"Y"で、遠い中央キー連続値は"β"である。第18キー(180)に表示されている残りの"*、8、#"は演算モードの場合作成される値である。
【０３０３】
これを整理すれば、図24では母音と子音用の文字入力装置をわけており、母音用文字入力装置は"U"、"A"、"I"、"E"、"O"を基本値とし、子音用文字入力装置は"N、"R"、"H"、"S"、"G"、"B"、"D"を基本値とし、これらの中央キー基本値、遠い中央キー基本値などを利用して残りのアルファベット文字を表わす。
【０３０４】
図２５は本発明の他の実施形態による文字入力装置の日本語文字入力装置を表わす図である。
【０３０５】
図２５の日本語文字入力装置は図3で説明した中央2型文字入力装置(3)の3×4配列であり、第11キー(110)、第12キー(120)、第13キー(130)、第14キー(140)、第15キー(150)、第16キー(160)、第17キー(170)、第18キー(180)、第19キー(190)、第20キー(200)、第1中央キー(210)、第2中央キー(220)で構成される。
【０３０６】
図２５の日本語文字入力装置での第11キー(110)は、日本語文字入力装置が日本語入力モードの場合、第11キー(110)の基本値は"や"で、中央キー基本値は"あ"で、中央キー重複値は"い"で、中央キー三重値は"う"で、中央キー連続値は"え"で、中央キー連続重複値は"お"である。第11キー(110)に表示されている残りの"1、("は演算モードの場合作成される値である。第11キー(110)の中央キー重複値である"い"、中央キー三重値である"う"で、中央キー連続値である"え"、中央キー連続重複値である"お"で音が終わる日本語文字作成後、隣接中央キーである第1中央キー(210)を押すとそれぞれの値が加えられて作成される。また音が"お"で終わる日本語文字作成後、最後に押した中央キーである第2中央キー(220)をもう一度押すと"う"が加えられて作成される。
【０３０７】
日本語文字入力装置での第12キー(120)は、日本語文字入力装置が日本語入力モードの場合第12キー(120)の基本値は"わ"で、中央キー基本値は"た"で、中央キー重複値は"ち"で、中央キー三重値は"つ"で、中央キー連続値は"て"で、中央キー連続重複値は"と"で、遠い中央キー基本値は"である"で、遠い中央キー重複値は"ぢ"で、遠い中央キー三重値は"づ"で、遠い中央キー連続値は"で"で、遠い中央キー連続重複値は"ど"である。第12キー(120)に表示されている残りの"2、+"は演算モードの場合作成される値である。
【０３０８】
日本語文字入力装置での第13キー(130)は、日本語文字入力装置が日本語入力モードの場合第13キー(130)の基本値は"ん"で、中央キー基本値は"は"で、中央キー重複値は"ひ"で、中央キー三重値は"ふ"で、中央キー連続値は"へ"で、中央キー連続重複値は"ほ"で、遠い中央キー基本値は"ば"で、遠い中央キー重複値は"び"で、遠い中央キー三重値は"ぶ"で、遠い中央キー連続値は"べ"で、遠い中央キー連続重複値は"ぼ"である。第13キー(130)に表示されている残りの"3、-"は演算モードの場合作成される値である。
【０３０９】
日本語文字入力装置での第14キー(140)は、日本語文字入力装置が日本語入力モードの場合、第14キー(140)の基本値は"SPACE"で、中央キー基本値は"W/N"で、遠い中央キー基本値は"、"で、遠い中央キー重複値は";"で、遠い中央キー連続値は"'"で、遠い中央キー連続重複値は"""である。第14キー(140)に表示されている残りの"4"は演算モードの場合作成され値である。第14キー(140)の基本値である"SPACE"は間隔をあけるときに使われる。中央キー基本値である"W/N"は日本語入力モードと演算モードを変更する時に使われ日本語入力モード時"W/N"を押すと演算モードに変わり、演算モード時に押すと日本語入力モードに変更される。
【０３１０】
日本語文字入力装置での第15キー(150)は、日本語文字入力装置が日本語入力モードの場合、第15キー(150)の基本値は平仮名と片仮名の変換をする"ひ/カ"で、中央キー基本値は片仮名の長音符号である"―"で、中央キー重複値は"_"で、遠い中央キー基本値は"@"で、遠い中央キー重複値は"/"である。第15キー(150)に表示されている残りの"5"は演算モードの場合作成される値である。また促音を作るためには"ひ/カ"を二度押すと作成される。
【０３１１】
日本語文字入力装置での第16キー(160)は、日本語文字入力装置が日本語入力モードの場合、第16キー(160)の基本値は"ENTER"で、中央キー基本値は"J/E"で、遠い中央キー基本値は"。"で、遠い中央キー重複値は":"で、遠い中央キー連続値は"?"で、遠い中央キー連続重複値は"!"で、遠い中央キー重複連続値は"
2009545024.tif 000117
"で、遠い中央キー重複連続重複値は"
2009545024.tif 000118
"である。第16キー(160)に表示されている残りの"6"は演算モードの場合作成される値である。第16キー(160)の基本値である"ENTER"は、列を変える時に使われ一度押す度に１行ずつ変わる。中央キー基本値である"J/E"は、日本語入力モードとローマ字入力モードを変更する時に使う。
【０３１２】
日本語文字入力装置での第17キー(170)は、日本語文字入力装置が日本語入力モードの場合、第17キー(170)の基本値は"っ"で、中央キー基本値は"ま"で、中央キー重複値は"み"で、中央キー三重値は"む"で、中央キー連続値は"め"で、中央キー連続重複値は"も"で、遠い中央キー基本値は"ぱ"で、遠い中央キー重複値は"ぴ"で、遠い中央キー三重値は"ぷ"で、遠い中央キー連続値は"ぺ"で、遠い中央キー連続重複値は"ぽ"である。第17キー(170)に表示されている残りの"7、/"は演算モードの場合作成される値である。
【０３１３】
日本語文字入力装置での第18キー(180)は、日本語文字入力装置が日本語入力モードの場合、第18キー(180)の基本値は"を"で、中央キー基本値は"な"で、中央キー重複値は"に"で、中央キー三重値は"ぬ"で、中央キー連続値は"ね"で、中央キー連続重複値は"の"で、遠い中央キー基本値は"ら"で、遠い中央キー重複値は"り"で、遠い中央キー三重値は"る"で、遠い中央キー連続値は"れ"で、遠い中央キー連続重複値は"ろ"である。第18キー(180)に表示されている残りの"8、*"は演算モードの場合作成される値である。
【０３１４】
日本語文字入力装置での第19キー(190)は、日本語文字入力装置が日本語入力モードの場合、第19キー(190)の基本値は"よ"で、中央キー基本値は"さ"で、中央キー重複値は"し"で、中央キー三重値は"す"で、中央キー連続値は"せ"で、中央キー連続重複値は"そ"で、遠い中央キー基本値は"ざ"で、遠い中央キー重複値は"じ"で、遠い中央キー三重値は"ず"で、遠い中央キー連続値は"ぜ"で、遠い中央キー連続重複値は"ぞ"である。第19キー(190)に表示されている残りの")、9"は演算モードの場合作成される値である。
【０３１５】
日本語文字入力装置での第20キー(200)は、日本語文字入力装置が日本語入力モードの場合、第20キー(200)の基本値は"ゆ"で、中央キー基本値は"か"で、中央キー重複値は"き"で、中央キー三重値は"く"で、中央キー連続値は"け"で、中央キー連続重複値は"こ"で、遠い中央キー基本値は"が"で、遠い中央キー重複値は"ぎ"で、遠い中央キー三重値は"ぐ"で、遠い中央キー連続値は"げ"で、遠い中央キー連続重複値は"ご"である。第20キー(200)に表示されている残りの"0、="は演算モードの場合作成される値である。
図２５の日本語文字入力装置での"や"、"わ"、"ん"、"っ"、"を"、"よ"、"ゆ"を基本値にして、"あ、か、た"などのあ列は中央キー基本値または遠い中央キー基本値で表わし、"い、き、ち"などのい列は中央キー重複値または遠い中央キー重複値で表わし、"う、く、つ"などのう列は中央キー三重値または遠い中央キー三重値で表わし、"え、け、て"などのえ列は中央キー連続値または遠い中央キー連続値で表わし、"お、こ、と"などのお列は中央キー連続重複値または遠い中央キー連続重複値で表わす。
【０３１６】
図２６は本発明の他の実施形態による文字入力装置のローマ字-日本語文字入力装置を表わす図である。図２６のローマ字-日本語文字入力装置は図3で説明した中央2型文字入力装置(3)の3×4配列であり、第11キー(110)、第12キー(120)、第13キー(130)、第14キー(140)、第15キー(150)、第16キー(160)、第17キー(170)、第18キー(180)、第19キー(190)、第20キー(200)、第1中央キー(210)、第2中央キー(220)で構成される。
【０３１７】
図２６のローマ字-日本語文字入力装置での第11キー(110)は、ローマ字-日本語文字入力装置が日本語入力モードの場合、第11キー(110)の基本値は"K"で、中央キー基本値は"G"であり、中央キー重複値は"X"で、遠い中央キー基本値は"_"である。第11キー(110)に表示されている残りの"<、1、("は演算モードの場合作成される値である。
【０３１８】
ローマ字-日本語文字入力装置での第12キー(120)は、ローマ字-日本語文字入力装置が日本語入力モードの場合、第12キー(120)の基本値は、"N"で、基本キー重複値は"ん"で、中央キー基本値は"a"で、中央キー重複値は"ya"で、中央キー連続値は"wa"で遠い中央キー基本値は"M"で、遠い中央キー重複値は"
2009545024.tif 000119
"である。第2キー(120)に表示されている残りの"2、+、&"は演算モードの場合作成される値である。
【０３１９】
ローマ字-日本語文字入力装置での第13キー(130)は、ローマ字-日本語文字入力装置が日本語入力モードの場合、第13キー(130)の基本値は"R"で、中央キー基本値は"o"で、中央キー重複値は"yo"で、中央キー連続値は"wo"で、遠い中央キー基本値は"L"で、遠い中央キー重複値は"Q"である。第3キー(130)に表示されている残りの"3、-、%"は演算モードの場合作成される値である。
【０３２０】
ローマ字-日本語文字入力装置での第14キー(140)は、図２５での第14キー(140)と入力値、入力方法が等しい。ただし、第14キー(140)の基本値である"SPACE"は、間隔をあける機能だけでなく、ローマ字で作成した日本語を平仮名または片仮名に変換する際、選択される単語リスト表示機能も兼ねる。
ローマ字-日本語文字入力装置での第15キー(150)は、ローマ字-日本語文字入力装置が日本語入力モードの場合、第15キー(150)の基本値は平仮名と片仮名変換をする"h/k"で、中央キー基本値は"I"で、中央キー重複値は"yi"で、中央キー連続値は"wi"で、遠い中央キー基本値は"@"で、遠い中央キー重複値は"/"で、遠い中央キー連続値は"・"である。第15キー(150)に表示されている残りの"5、、"は演算モードの場合作成される値である。後に子音がない場合"h/k"を二度押すと促音である"っ"が作成される。ローマ字-日本語文字入力装置での第16キー(160)は、図２５での第16キー(160)と入力値、入力方法が等しい。ただし、第16キー(160)の基本値である"ENTER"は列を変える機能だけでなく、ローマ字を利用した日本語作成時、単語を最終選択単語する機能も兼ねる。
【０３２１】
ローマ字-日本語文字入力装置での第17キー(170)は、ローマ字-日本語文字入力装置が日本語入力モードの場合、第17キー(170)の基本値は"H"で、中央キー基本値は"u"で、中央キー重複値は"yu"で、中央キー連続値は"wu"で、遠い中央キー基本値は"C"で、遠い中央キー重複値は"Y"で、遠い中央キー連続値は"
2009545024.tif 000120
"である。第17キー(170)に表示されている残りの"/、7、÷"は演算モードの場合作成される値である。
【０３２２】
ローマ字-日本語文字入力装置での第18キー(180)は、ローマ字-日本語文字入力装置が日本語入力モードの場合、第18キー(180)の基本値は"S"で、中央キー基本値は"e"で、中央キー重複値は"ye"で、中央キー連続値は"we"で、遠い中央キー基本値は"J"で、遠い中央キー重複値は"Z"で、遠い中央キー連続値は"β"である。第18キー(180)に表示されている残りの"*、8、#"は演算モードの場合作成される値である。
【０３２３】
ローマ字-日本語文字入力装置での第19キー(190)は、ローマ字-日本語文字入力装置が日本語入力モードになっている場合、第19キー(190)の基本値は"P"で、中央キー基本値は"B"であり、中央キー重複値は"V"で、遠い中央キー基本値は"F"である。第19キー(190)に表示されている残りの"(、9、>"は演算モードの場合作成される値である。
【０３２４】
ローマ字-日本語文字入力装置での第20キー(200)は、ローマ字-日本語文字入力装置が日本語入力モードになっている場合、第20キー(200)の基本値は"T"で、中央キー基本値は"D"であり、中央キー重複値は"W"で、中央キー連続値は"WH"で、遠い中央キー基本値は"-"である。第20キー(200)に表示されている残りの"0、=、^"は演算モードの場合作成される値である。
【０３２５】
図２７は本発明の他の実施形態による文字入力装置の発音記号を利用した中国語文字入力装置を表わす図である。発音記号を利用した中国語文字入力装置は図３で説明した3×4配列であり、第11キー(110)、第12キー(120)、第13キー(130)、第14キー(140)、第15キー(150)、第16キー(160)、第17キー(170)、第18キー(180)、第19キー(190)、第20キー(200)、第1中央キー(210)、第2中央キー(220)で構成される。
【０３２６】
発音記号を利用した中国語文字入力装置での第11キー(110)は、中国語文字入力装置が中国語入力モードの場合、第11キー(110)の基本値は"
2009545024.tif 000121
"で、基本キー重複値は"
2009545024.tif 000122
"で、中央キー基本値は"
2009545024.tif 000123
"で、中央キー重複値は"
2009545024.tif 000124
"で、遠い中央キー基本値は"
2009545024.tif 000125
"で、遠い中央キー重複値は"
2009545024.tif 000126
"である。第11キー(110)に表示されている残りの"1"は演算モードの場合作成される値である。
発音記号を利用した中国語文字入力装置での第12キー(120)は、中国語文字入力装置が中国語入力モードの場合、第12キー(120)の基本値は"
2009545024.tif 000127
"で、基本キー重複値は"
2009545024.tif 000128
"で、中央キー基本値は"
2009545024.tif 000129
"で、中央キー重複値は"
2009545024.tif 000130
"で、遠い中央キー基本値は"
2009545024.tif 000131
"で、遠い中央キー重複値は"
2009545024.tif 000132
"である。第12キー(120)に表示されている残りの"2"は演算モードの場合作成される値である。
【０３２７】
発音記号を利用した中国語文字入力装置での第13キー(130)は、中国語文字入力装置が中国語入力モードの場合、第13キー(130)の基本値は"
2009545024.tif 000133
"で、基本キー重複値は"
2009545024.tif 000134
"で、中央キー基本値は"
2009545024.tif 000135
"で、中央キー重複値は"
2009545024.tif 000136
"で、遠い中央キー基本値は"
2009545024.tif 000137
"で、遠い中央キー重複値は"_"である。第13キー(130)に表示されている残りの"3"は演算モードの場合作成される値である。
【０３２８】
発音記号を利用した中国語文字入力装置での第14キー(140)は、中国語文字入力装置が中国語入力モードの場合、第14キー(140)の基本値は間隔をあける時に使う"SPACE"で、中央キー基本値は、中国語入力モードと演算モードを切り替える時に使う"W/N"で、遠い中央キー基本値は"、"で、遠い中央キー重複値は";"で、遠い中央キー連続値は"'"で、遠い中央キー連続重複値は"""である。第14キー(140)に表示されている残りの"4"は演算モードの場合作成される値である。
【０３２９】
発音記号を利用した中国語文字入力装置での第15キー(150)は、中国語文字入力装置が中国語入力モードの場合、第15キー(150)の基本値は"
2009545024.tif 000138
"で、中央キー基本値は"
2009545024.tif 000139
"で、遠い中央キー基本値は"@"で、遠い中央キー重複値は"/"で、遠い中央キー連続値は"・"である。第15キー(150)に表示されている残りの"5"は演算モードの場合作成される値である。
【０３３０】
発音記号を利用した中国語文字入力装置での第16キー(160)は、中国語文字入力装置が中国語入力モードの場合、第16キー(160)の基本値は列を変える"ENTER"で、中央キー基本値はローマ字入力モードと中国語入力モードを変換する"C/E"で、遠い中央キー基本値は"."で、遠い中央キー重複値は":"で、遠い中央キー連続値は"?"で、遠い中央キー連続重複値は"！"で、遠い中央キー重複連続値は"
2009545024.tif 000140
"で、遠い中央キー重複連続重複値は"
2009545024.tif 000141
"である。第16キー(160)に表示されている残りの"6"は演算モードの場合作成される値である。
【０３３１】
発音記号を利用した中国語文字入力装置での第17キー(170)は、中国語文字入力装置が中国語入力モードの場合、第17キー(170)の基本値は"
2009545024.tif 000142
"で、中央キー基本値は"
2009545024.tif 000143
"で、中央キー重複値は"
2009545024.tif 000144
"で、遠い中央キー基本値は"
2009545024.tif 000145
"で、遠い中央キー重複値は"-"である。第17キー(170)に表示されている残りの"7"は演算モードの場合作成される値である。
【０３３２】
発音記号を利用した中国語文字入力装置での第18キー(180)は、中国語文字入力装置が中国語入力モードの場合、第18キー(180)の基本値は"
2009545024.tif 000146
"で、基本キー重複値は"
2009545024.tif 000147
"で、中央キー基本値は"
2009545024.tif 000148
"で、中央キー重複値は"
2009545024.tif 000149
"で、遠い中央キー基本値は"
2009545024.tif 000150
"で、遠い中央キー重複値は"
2009545024.tif 000151
"である。第18キー(180)に表示されている残りの"8"は演算モードの場合作成される値である。
【０３３３】
発音記号を利用した中国語文字入力装置での第19キー(190)は、中国語文字入力装置が中国語入力モードの場合、第19キー(190)の基本値は"
2009545024.tif 000152
"で、基本キー重複値は"
2009545024.tif 000153
"で、中央キー基本値は"
2009545024.tif 000154
"で、中央キー重複値は"
2009545024.tif 000155
"で、遠い中央キー基本値は"
2009545024.tif 000156
"で、遠い中央キー重複値は"
2009545024.tif 000157
"である。第19キー(190)に表示されている残りの"9"は演算モードの場合作成される値である。
【０３３４】
発音記号を利用した中国語文字入力装置での第20キー(200)は、中国語文字入力装置が中国語入力モードの場合、第20キー(200)の基本値は"
2009545024.tif 000158
"で、基本キー重複値は"
2009545024.tif 000159
"で、中央キー基本値は"
2009545024.tif 000160
"で、中央キー重複値は"
2009545024.tif 000161
"で、遠い中央キー基本値は"
2009545024.tif 000162
"で、遠い中央キー重複値は"
2009545024.tif 000163
"である。第20キー(200)に表示されている残りの"0"は演算モードの場合作成される値である。
【０３３５】
図２８は本発明の他の実施形態による文字入力装置のローマ字-中国語文字入力装置を表わす図である。ローマ字-中国語文字入力装置は図3で説明した3×4配列であり、第11キー(110)、第12キー(120)、第13キー(130)、第14キー(140)、第15キー(150)、第16キー(160)、第17キー(170)、第18キー(180)、第19キー(190)、第20キー(200)、第1中央キー(210)、第2中央キー(220)で構成される。
【０３３６】
図２８のローマ字-中国語文字入力装置での第11キー(110)は、ローマ字-中国語文字入力装置が中国語入力モードの場合、第11キー(110)の基本値は"G"で、中央キー基本値は"K"で、中央キー重複値は"F"で、中央キー連続値は"_"で、遠い中央キー基本値は"J"である。第11キー(110)に表示されている残りの"<、1、("は演算モードの場合作成される値である。
【０３３７】
ローマ字-中国語文字入力装置での第12キー(120)は、ローマ字-中国語文字入力装置が中国語入力モードの場合、第12キー(120)の基本値は"N"で、中央キー基本値は"a"で、中央キー重複値は"ya"で、中央キー連続値は"wa"で、中央キー三重値は"ay"で、中央キー連続重複値は"aw"で、遠い中央キー基本値は"M"で、遠い中央キー重複値は"
2009545024.tif 000164
"である。第12キー(120)に表示されている残りの"2、+、&"は演算モードの場合作成される値である。
【０３３８】
ローマ字-中国語文字入力装置での第13キー(130)は、ローマ字-中国語文字入力装置が中国語入力モードの場合、第13キー(130)の基本値は"R"で、中央キー基本値は"o"で、中央キー重複値は"yo"で、中央キー連続値は"wo"で、中央キー三重値は"oy"で、中央キー連続重複値は"ow"で、遠い中央キー基本値は"L"で、遠い中央キー重複値は"Y"である。第3キー(130)に表示されている残りの"3、-"は演算モードの場合作成される値である。
【０３３９】
ローマ字-中国語文字入力装置での第14キー(140)は、図２７の中国語文字入力装置の第14キー(140)と入力値、入力方法が等しい。ただし、第14キー(140)の基本値である"SPACE"は間隔をあける機能のみならず、ローマ字で作成した中国語を、発音記号を用いた中国語に変換する際に選択される単語リスト表示機能も兼ねる。
【０３４０】
ローマ字-中国語文字入力装置での第15キー(150)は、ローマ字-中国語文字入力装置が中国語入力モードの場合、第15キー(150)の基本値は"I"で、中央キー基本値は"yi"で、中央キー重複値は"yu"で、中央キー連続値は"wi"で、中央キー三重値は"iy"で、中央キー連続重複値は"iw"で、遠い中央キー基本値は"@"で、遠い中央キー重複値は"/"で、遠い中央キー連続値は"・"である。第15キー(150)に表示されている残りの"5、、"は演算モードの場合作成される値である。ローマ字-中国語文字入力装置がローマ字入力モードの場合、第15キー(150)の基本キーは"CAP"で、中央キー基本値は"I"である。
【０３４１】
ローマ字-中国語文字入力装置での第16キー(160)は、図２７の中国語文字入力装置の第16キー(160)と入力値、入力方法が等しい。ただし、第16キー(160)の基本値である"ENTER"は列を変える機能だけでなく、ローマ字を利用した中国語作成時、単語を最終選択する機能も兼ねる。
【０３４２】
ローマ字-中国語文字入力装置での第17キー(170)は、ローマ字-中国語文字入力装置が中国語入力モードの場合、第17キー(170)の基本値は"H"で、中央キー基本値は"u"で、中央キー重複値は"yu"で、中央キー連続値は"wu"で、中央キー三重値は"uy"で、中央キー連続重複値は"uw"で、遠い中央キー基本値は"Z"で、遠い中央キー重複値は"β"である。第17キー(170)に表示されている残りの"/、7、÷"は演算モードの場合作成される値である。
【０３４３】
ローマ字-中国語文字入力装置での第18キー(180)は、ローマ字-中国語文字入力装置が中国語入力モードの場合、第18キー(180)の基本値は"S"で、中央キー基本値は"e"で、中央キー重複値は"ye"で、中央キー連続値は"we"で、中央キー三重値は"ey"で、中央キー連続重複値は"ew"で、遠い中央キー基本値は"C"で、遠い中央キー重複値は"
2009545024.tif 000165
"である。第18キー(180)に表示されている残りの"*、8、#"は演算モードの場合作成される値である。
【０３４４】
ローマ字-中国語文字入力装置での第19キー(190)は、ローマ字-中国語文字入力装置が中国語入力モードの場合、第19キー(190)の基本値は"B"で、中央キー基本値は"P"であり、中央キー重複値は"V"で、中央キー連続値は"-"で、遠い中央キー基本値は"X"である。第9キー(190)に表示されている残りの"(、9、>"は演算モードの場合作成される値である。
【０３４５】
ローマ字-中国語文字入力装置での第20キー(200)は、ローマ字-中国語文字入力装置が中国語入力モードの場合、第20キー(200)の基本値は"D"で、中央キー基本値は"T"であり、中央キー重複値は"W"で、中央キー連続値は"WH"で、遠い中央キー基本値は"Q"である。第20キー(200)に表示されている残りの"0、=、^"は演算モードの場合作成される値である。
【０３４６】
図２９は本発明の他の実施形態による文字入力装置のローマ字-ドイツ語文字入力装置を表わす図である。ローマ字-ドイツ語文字入力装置は図3で説明した3×4配列であり、第11キー(110)、第12キー(120)、第13キー(130)、第14キー(140)、第15キー(150)、第16キー(160)、第17キー(170)、第18キー(180)、第19キー(190)、第20キー(200)、第1中央キー(210)、第2中央キー(220)で構成される。
【０３４７】
ローマ字-ドイツ語文字入力装置での第11キー(110)、第14キー(140)、第16キー(160)、第19キー(190)、第20キー(200)構成と入力方法は、図２０のローマ字文字入力装置の各キーの構成と入力方法に似ている。ただし、第6キー(160)の中央キー基本値は"G/E"であり、ドイツ語とローマ字のモード変換を表す。
【０３４８】
ローマ字-ドイツ語文字入力装置での第12キー(120)は、ローマ字-ドイツ語文字入力装置がドイツ語入力モードの場合、第12キー(120)の基本値は"N"で、中央キー基本値は"a"で、中央キー重複値は"
2009545024.tif 000166
"で、遠い中央キー基本値は"M"で、遠い中央キー重複値は"
2009545024.tif 000167
"である。第12キー(120)に表示されている残りの"2、+"は演算モードの場合作成される値である。
【０３４９】
ローマ字-ドイツ語文字入力装置での第13キー(130)は、ローマ字-ドイツ語文字入力装置がドイツ語入力モードの場合、第13キー(130)の基本値は"R"で、中央キー基本値は"o"で、中央キー重複値は"
2009545024.tif 000168
"で、遠い中央キー基本値は"L"で、遠い中央キー重複値は"Q"である。第13キー(130)に表示されている残りの"3、-"は演算モードの場合作成される値である。
ローマ字-ドイツ語文字入力装置での第15キー(150)は、ローマ字-ドイツ語文字入力装置がドイツ語入力モードの場合、第15キー(150)の基本値は大小文字の変換をしてくれる"CAP"で、中央キー基本値は"I"で、中央キー重複値は"
2009545024.tif 000169
"で、遠い中央キー基本値は"@"で、遠い中央キー重複値は"/"である。第15キー(150)に表示されている残りの"5"は演算モードの場合作成される値である。
【０３５０】
ローマ字-ドイツ語文字入力装置での第17キー(170)は、ローマ字-ドイツ語文字入力装置がドイツ語入力モードの場合、第17キー(170)の基本値は"H"で、中央キー基本値は"u"で、中央キー重複値は"
2009545024.tif 000170
"で、遠い中央キー基本値は"J"で、遠い中央キー重複値は"Z"で、遠い中央キー連続値は"
2009545024.tif 000171
"である。第17キー(170)に表示されている残りの"/、7"は演算モードの場合作成される値である。
【０３５１】
ローマ字-ドイツ語文字入力装置での第18キー(180)は、ローマ字-ドイツ語文字入力装置がドイツ語入力モードの場合、第18キー(180)の基本値は"S"で、中央キー基本値は"e"で、遠い中央キー基本値は"C"で、遠い中央キー重複値は"Y"で、遠い中央キー連続値は"β"である。第18キー(180)に表示されている残りの"*、8"は演算モードの場合作成される値である。
【０３５２】
図３０は本発明の他の実施形態による文字入力装置のローマ字-フランス語文字入力装置を表わす図である。ローマ字-フランス語文字入力装置は図３で説明した3×4配列であり、第11キー(110)、第12キー(120)、第13キー(130)、第14キー(140)、第15キー(150)、第16キー(160)、第17キー(170)、第18キー(180)、第19キー(190)、第20キー(200)、第1中央キー(210)、第2中央キー(220)で構成される。
【０３５３】
ローマ字-フランス語文字入力装置での第11キー(110)、第14キー(140)、第16キー(160)、第19キー(190)、第20キー(200)の構成と入力方法は、図２０の各キーの構成と入力方法に似ている。ただし、第16キー(160)の中央キー基本値は"F/E"であり、フランス語とローマ字のモード変換を表す。
【０３５４】
ローマ字-フランス語文字入力装置での第12キー(120)は、ローマ字-フランス語文字入力装置がフランス語入力モードの場合、第12キー(120)の基本値は"N"で、中央キー基本値は"a"で、中央キー重複値は"
2009545024.tif 000172
"で、中央キー連続値は"
2009545024.tif 000173
"で、中央キー連続重複値は"
2009545024.tif 000174
"で、遠い中央キー基本値は"M"で、遠い中央キー重複値は"
2009545024.tif 000175
"である。第12キー(120)に表示されている残りの"2、+"は演算モードの場合作成される値である。
【０３５５】
ローマ字-フランス語文字入力装置での第13キー(130)は、ローマ字-フランス語文字入力装置がフランス語入力モードの場合、第13キー(130)の基本値は"R"で、中央キー基本値は"o"で、中央キー重複値は"
2009545024.tif 000176
"で、中央キー連続値は"
2009545024.tif 000177
"で、中央キー連続重複値は"
2009545024.tif 000178
"で、遠い中央キー基本値は"L"で、遠い中央キー重複値は"Q"である。第13キー(130)に表示されている残りの"3、-"は演算モードの場合作成される値である。
【０３５６】
ローマ字-フランス語文字入力装置での第15キー(150)は、ローマ字-フランス語文字入力装置がフランス語入力モードの場合、第15キー(150)の基本値は"CAP"で、中央キー基本値は"I"で、中央キー重複値は"
2009545024.tif 000179
"で、中央キー連続値は"
2009545024.tif 000180
"で、中央キー連続重複値は"
2009545024.tif 000181
"で、遠い中央キー基本値は"@"で、遠い中央キー重複値は"/"で、遠い中央キー連続値は"・"で、遠い中央キー連続重複値は"~"である。第15キー(150)に表示されている残りの"5"は演算モードの場合作成される値である。
【０３５７】
ローマ字-フランス語文字入力装置での第17キー(170)は、ローマ字-フランス語文字入力装置がフランス語入力モードの場合、第17キー(170)の基本値は"H"で、中央キー基本値は"u"で、中央キー重複値は"
2009545024.tif 000182
で、中央キー連続値は"
2009545024.tif 000183
"で、中央キー連続重複値は"
2009545024.tif 000184
"で、遠い中央キー基本値は"J"で、遠い中央キー重複値は"Z"で、遠い中央キー連続値は"
2009545024.tif 000185
"である。第17キー(170)に表示されている残りの"/、7"は演算モードの場合作成される値である。
【０３５８】
ローマ字-フランス語文字入力装置での第18キー(180)は、ローマ字-フランス語文字入力装置がフランス語入力モードの場合、第18キー(180)の基本値は"S"で、中央キー基本値は"e"で、中央キー重複値は"
2009545024.tif 000186
"で、中央キー連続値は"
2009545024.tif 000187
"で、中央キー連続重複値は"
2009545024.tif 000188
"で、中央キー三重値は"
2009545024.tif 000189
"で、遠い中央キー基本値は"C"で、遠い中央キー重複値は"Y"で、遠い中央キー連続値は"β"である。第18キー(180)に表示されている残りの"*、8"は演算モードの場合作成される値である。
【０３５９】
図３１は本発明の他の実施形態による文字入力装置のローマ字-ベトナム語文字入力装置を表わす図である。ローマ字-ベトナム語文字入力装置は図３で説明した3×4配列であり、第11キー(110)、第12キー(120)、第13キー(130)、第14キー(140)、第15キー(150)、第16キー(160)、第17キー(170)、第18キー(180)、第19キー(190)、第20キー(200)、第1中央キー(210)、第2中央キー(220)で構成される。
【０３６０】
ローマ字-ベトナム語文字入力装置での第14キー(140)、第16キー(160)は図4cの各キーの構成と入力方法は等しい。ただし、第16キー(160)の中央キー基本値は"V/E"であり、ベトナム語とローマ字のモード変換を表す。
【０３６１】
ローマ字-ベトナム語文字入力装置での第11キー(110)は、ローマ字-ベトナム語文字入力装置がベトナム語入力モードの場合、第11キー(110)の基本値は"G"で、中央キー基本値は"K"で、中央キー重複値は"X"で、中央キー連続値は"_"で、遠い中央キー基本値は"GI"である。第11キー(110)に表示されている残りの"1、("は演算モードの場合作成される値である。
【０３６２】
ローマ字-ベトナム語文字入力装置での第12キー(120)は、ローマ字-ベトナム語文字入力装置がベトナム語入力モードの場合、第12キー(120)の基本値は"N"で、中央キー基本値は"A"で、中央キー重複値は"
2009545024.tif 000190
"で、中央キー連続値は"
2009545024.tif 000191
"で、遠い中央キー基本値は"M"で、遠い中央キー重複値は"
2009545024.tif 000192
"である。第12キー(120)に表示されている残りの"2、+"は演算モードの場合作成される値である。
【０３６３】
ローマ字-ベトナム語文字入力装置での第13キー(130)は、ローマ字-ベトナム語文字入力装置がベトナム語入力モードの場合、第13キー(130)の基本値は"R"で、中央キー基本値は"O"で、中央キー重複値は"
2009545024.tif 000193
"で、中央キー連続値は"O'"で、遠い中央キー基本値は"L"で、遠い中央キー重複値は"Q"である。第13キー(130)に表示されている残りの"3、-"は演算モードの場合作成される値である。
【０３６４】
ローマ字-ベトナム語文字入力装置での第15キー(150)は、ローマ字-ベトナム語文字入力装置がベトナム語入力モードの場合、第15キー(150)の基本値は"CAP"で、中央キー基本値は"I"で、遠い中央キー基本値は"@"で、遠い中央キー重複値は"/"である。第15キー(150)に表示されている残りの"5、、"は演算モードの場合作成される値である。
【０３６５】
ローマ字-ベトナム語文字入力装置での第17キー(170)は、ローマ字-ベトナム語文字入力装置がベトナム語入力モードの場合、第17キー(170)の基本値は"H"で、中央キー基本値は"U"で、中央キー重複値は"U'"で、遠い中央キー基本値は"J"で、遠い中央キー重複値は"Z"で、遠い中央キー連続値は"
2009545024.tif 000194
"である。第17キー(170)に表示されている残りの"/、7"は演算モードの場合作成される値である。
【０３６６】
ローマ字-ベトナム語文字入力装置での第18キー(180)は、ローマ字-ベトナム語文字入力装置がベトナム語入力モードの場合、第18キー(180)の基本値は"S"で、中央キー基本値は"E"で、中央キー重複値は"
2009545024.tif 000195
"で、遠い中央キー基本値は"C"で、遠い中央キー重複値は"Y"で、遠い中央キー重複値は"β"である。第18キー(180)に表示されている残りの"*、8"は演算モードの場合作成される値である。
【０３６７】
ローマ字-ベトナム語文字入力装置での第19キー(190)は、ローマ字-ベトナム語文字入力装置がベトナム語入力モードになっている場合、第19キー(190)の基本値は"B"で、中央キー基本値は"P"であり、中央キー重複値は"V"で、中央キー連続値は"-"で、遠い中央キー基本値は"F"である。第19キー(190)に表示されている残りの"(、9"は演算モードの場合作成される値である。
【０３６８】
ローマ字-ベトナム語文字入力装置での第20キー(200)は、ローマ字-ベトナム語文字入力装置がベトナム語入力モードの場合、第20キー(200)の基本値は"D"で、中央キー基本値は"T"で、中央キー重複値は"W"で、中央キー連続値は"WH"で、遠い中央キー基本値は"D"である。第20キー(200)に表示されている残りの"0、="は演算モードの場合作成される値である。
【０３６９】
ローマ字-ベトナム語文字入力装置での第12キー(120)、第13キー(130)、第15キー(150)、第17キー(170)、第18キー(180)は、母音に声調表記ができる。
【０３７０】
第12キー(120)と第18キー(180)は、母音作成後遠い中央キーである第2中央キー(220)を押すと"
2009545024.tif 000196
"が母音の上に作成され、"
2009545024.tif 000197
"作成後遠い中央キーである第2中央キー(220)を押すと"
2009545024.tif 000198
"が作成され、"
2009545024.tif 000199
"を作成後遠い中央キーである第2中央キー(220)を押すと"
2009545024.tif 000200
"が"
2009545024.tif 000201
"に変換されて、"
2009545024.tif 000202
"作成後中央キーである第1中央キー(210)を押すと"~"に変換し、"~"作成後第1中央キー(210)を押すと"."に変換される。
【０３７１】
第13キー(130)と第15キー(150)、第17キー(170)は,母音作成後遠い中央キーである第1中央キー(210)を押すと"
2009545024.tif 000203
"が母音の上に作成され、"
2009545024.tif 000204
"作成後遠い中央キーである第1中央キー(210)を押すと"
2009545024.tif 000205
"が"
2009545024.tif 000206
"に変換され、"
2009545024.tif 000207
"を作成後遠い中央キーである第1中央キー(210)を押すと"
2009545024.tif 000208
"に変換され、"
2009545024.tif 000209
"作成後中央キーである第2中央キー(220)を押すと"~"に変換され、"~"作成後第2中央キー(220)を押すと"."に変換される。
【０３７２】
図３２は本発明の他の実施形態による文字入力装置のロシア語文字入力装置を表わす図で、図３３は図３２の発音記号を表わす図である。図３２のロシア語統合型文字入力装置は図１で説明した3×4配列であり、第11キー(110)、第12キー(120)、第13キー(130)、第14キー(140)、第15キー(150)、第16キー(160)、第17キー(170)、第18キー(180)、第19キー(190)、第20キー(200)、第1中央キー(210)、第2中央キー(220)で構成される。
【０３７３】
図３２のロシア語文字入力装置での第14キー(140)、第16キー(160)の構成と入力方法は、図２０の各キーの構成と入力方法に似ている。ただし、ロシア語文字入力装置での第16キー(160)の中央キー基本値は"R/E"であり、ロシア語とローマ字のモード変換を表す。
【０３７４】
ロシア語文字入力装置での第11キー(110)は、ロシア語文字入力装置がロシア語入力モードの場合、第11キー(110)の基本値は"
2009545024.tif 000210
"で、中央キー基本値は"
2009545024.tif 000211
"であり、中央キー重複値は"ｘ"で、遠い中央キー基本値は"_"である。第11キー(110)に表示されている残りの"1、("は演算モードの場合作成される値である。
【０３７５】
ロシア語統合型文字入力装置での第12キー(120)は、ロシア語統合型文字入力装置がロシア語入力モードの場合、第12キー(120)の基本値は"H"で、中央キー基本値は"a"で、中央キー重複値は"
2009545024.tif 000212
"で、中央キー連続値は"
2009545024.tif 000213
"で、遠い中央キー基本値は"M"である。第12キー(120)に表示されている残りの"2、+"は演算モードの場合作成される値である。
【０３７６】
ロシア語文字入力装置での第13キー(130)は、ロシア語文字入力装置がロシア語入力モードの場合、第13キー(130)の基本値は"ｐ"で、中央キー基本値は"o"で、中央キー重複値は"
2009545024.tif 000214
"で、中央キー連続値は"ｂ"で、遠い中央キー基本値は"JI"である。第3キー(130)に表示されている残りの"3、-"は演算モードの場合作成される値である。
【０３７７】
ロシア語文字入力装置での第15キー(150)は、ロシア語文字入力装置がロシア語入力モードの場合、第15キー(150)の基本値は"CAP"で、中央キー基本値は"
2009545024.tif 000215
"で、中央キー重複値は"
2009545024.tif 000216
"で、中央キー連続値は"bI"で、遠い中央キー基本値は"@"で、遠い中央キー重複値は"/"で、遠い中央キー連続値は"~"で、遠い中央キー連続重複値は"・"である。第15キー(150)に表示されている残りの"5、、"は演算モードの場合作成される値である。
【０３７８】
ロシア語文字入力装置での第17キー(170)は、ロシア語文字入力装置がロシア語入力モードの場合、第17キー(170)の基本値は"３"で、中央キー基本値は"
2009545024.tif 000217
"で、中央キー重複値は"y"で、遠い中央キー基本値は"
2009545024.tif 000218
"で、遠い中央キー重複値は"
2009545024.tif 000219
"である。第17キー(170)に表示されている残りの"7、/"は演算モードの場合作成される値である。
【０３７９】
ロシア語文字入力装置での第18キー(180)は、ロシア語文字入力装置がロシア語入力モードの場合、第18キー(180)の基本値は"ｃ"で、中央キー基本値は"３"で、中央キー重複値は"e"で、遠い中央キー基本値は"
2009545024.tif 000220
"で、遠い中央キー重複値は"
2009545024.tif 000221
"である。第18キー(180)に表示されている残りの"8、*"は演算モードの場合作成される値である。
【０３８０】
ロシア語文字入力装置での第19キー(190)は、ロシア語文字入力装置がロシア語入力モードの場合、第19キー(190)の基本値は"
2009545024.tif 000222
"で、中央キー基本値は"
2009545024.tif 000223
"であり、中央キー重複値は"B"で、遠い中央キー基本値は"
2009545024.tif 000224
"である。第19キー(190)に表示されている残りの")、9"は演算モードの場合作成される値である。
【０３８１】
ロシア語文字入力装置での第20キー(200)は、ロシア語文字入力装置がロシア語入力モードの場合、第20キー(200)の基本値は"
2009545024.tif 000225
"で、中央キー基本値は"T"であり、中央キー重複値は"
2009545024.tif 000226
"で、遠い中央キー基本値は"-"である。第20キー(200)に表示されている残りの"0、="は演算モードの場合作成される値である。
【０３８２】
図３４は本発明の他の実施形態による文字入力装置のヒンズー語文字入力装置を表わす図である。ヒンズー語文字入力装置は図3で説明した3×4配列であり、第11キー(110)、第12キー(120)、第13キー(130)、第14キー(140)、第15キー(150)、第16キー(160)、第17キー(170)、第18キー(180)、第19キー(190)、第20キー(200)、第1中央キー(210)、第2中央キー(220)で構成される。
【０３８３】
図３４のヒンズー語文字入力装置で第1中央キー(210)、第2中央キー(220)に記載した"
2009545024.tif 000227
"、"
2009545024.tif 000228
"、"
2009545024.tif 000229
"、"
2009545024.tif 000230
"、"
2009545024.tif 000231
"等は第15キー(150)の基本値である"hCap"によって作成される文字の説明を助けるためのものであり、第1中央キー(210)、第2中央キー(220)を押すことで作成される値ではないことをあらかじめ明らかにしておく。
【０３８４】
ヒンズー語文字入力装置での第14キー(140)、第16キー(160)の構成と入力方法は、図２０の各キーの構成と入力方法に似ている。ただし、ヒンズー語文字入力装置での第16キー(160)の中央キー基本値は"H/E"であり、ヒンズー語とローマ字のモード変換を表す。
【０３８５】
ヒンズー語文字入力装置での第11キー(110)は、ヒンズー語文字入力装置がヒンズー語入力モードの場合、第11キー(110)の基本値は"
2009545024.tif 000232
"で、中央キー基本値は"
2009545024.tif 000233
"で、中央キー重複値は"x"で、中央キー連続値は"
2009545024.tif 000234
"で、遠い中央キー重複値は"
2009545024.tif 000235
"で、遠い中央キー重複値は"
2009545024.tif 000236
"である。第11キー(110)に表示されている残りの"1、("は演算モードの場合作成される値である。
【０３８６】
ヒンズー語文字入力装置での第12キー(120)は、ヒンズー語文字入力装置がヒンズー語入力モードの場合、第12キー(120)の基本値は"
2009545024.tif 000237
"で、中央キー基本値は"
2009545024.tif 000238
"で、中央キー重複値は"
2009545024.tif 000239
"で、重複する連続値は"
2009545024.tif 000240
"で、遠い中央キー基本値は"
2009545024.tif 000241
"で、遠い中央キー重複値は"
2009545024.tif 000242
"で、遠い中央キー連続値は"
2009545024.tif 000243
"で、遠い中央キー連続重複値は"
2009545024.tif 000244
"である。第12キー(120)に表示されている残りの"2、+"は演算モードの場合作成される値である。
【０３８７】
ヒンズー語文字入力装置での第13キー(130)は、ヒンズー語文字入力装置がヒンズー語入力モードの場合、第13(130)の基本値は"
2009545024.tif 000245
"で、中央キー基本値は"
2009545024.tif 000246
"で、中央キー重複値は"
2009545024.tif 000247
"で、中央キー連続値は"
2009545024.tif 000248
"で、中央キー連続重複値は"
2009545024.tif 000249
"で、遠い中央キー基本値は"
2009545024.tif 000250
"で、遠い中央キー重複値は"
2009545024.tif 000251
"で、遠い中央キー連続値は"
2009545024.tif 000252
"である。第13キー(130)に表示されている残りの"3、-"は演算モードの場合作成される値である。
【０３８８】
ヒンズー語文字入力装置での第15キー(150)は、ヒンズー語文字入力装置がヒンズー語入力モードの場合、第15キー(150)の基本値は、作成されている文字をもう一度変換させる時に使う"hCap"で、中央キー基本値は"
2009545024.tif 000253
"で、中央キー重複値は"
2009545024.tif 000254
"で、中央キー連続値は"
2009545024.tif 000255
"で、遠い中央キー基本値は"@"で、遠い中央キー重複値は"/"で、遠い中央キー連続値は"・"である。第15キー(150)に表示されている残りの"5、、"は演算モードの場合作成される値である。
【０３８９】
ヒンズー語文字入力装置での第17キー(170)は、ヒンズー語文字入力装置がヒンズー語入力モードの場合、第17キー(170)の基本値は"
2009545024.tif 000256
"で、中央キー基本値は"
2009545024.tif 000257
"で、中央キー重複値は"
2009545024.tif 000258
"で、遠い中央キー基本値は"
2009545024.tif 000259
"で、遠い中央キー重複値は"
2009545024.tif 000260
"で、遠い中央キー連続値は"-"である。第17キー(170)に表示されている残りの"/、7"は演算モードの場合作成される値である。
【０３９０】
ヒンズー語文字入力装置での第18キー(180)は、ヒンズー語文字入力装置がヒンズー語入力モードの場合、第18キー(180)の基本値は"
2009545024.tif 000261
"で、中央キー基本値は"
2009545024.tif 000262
"で、中央キー重複値は"
2009545024.tif 000263
"で、中央キー連続値は"
2009545024.tif 000264
"で、中央キー連続重複値は"
2009545024.tif 000265
"で、遠い中央キー基本値は"
2009545024.tif 000266
"で、遠い中央キー重複値は"
2009545024.tif 000267
"で、遠い中央キー連続値は"
2009545024.tif 000268
である。第18キー(180)に表示されている残りの"*、8"は演算モードの場合作成される値である。
【０３９１】
ヒンズー語文字入力装置での第19キー(190)は、ヒンズー語文字入力装置がヒンズー語入力モードの場合、第19キー(190)の基本値は"
2009545024.tif 000269
"で、中央キー基本値は"
2009545024.tif 000270
"で、中央キー重複値は"
2009545024.tif 000271
"で、中央キー連続値は"
2009545024.tif 000272
"で、遠い中央キー基本値は"
2009545024.tif 000273
"で、遠い中央キー重複値は"_"である。第19キー(190)に表示されている残りの")、9"は演算モードの場合作成される値である。
【０３９２】
ヒンズー語文字入力装置での第20キー(200)は、ヒンズー語文字入力装置がヒンズー語入力モードの場合、第20キー(200)の基本値は"
2009545024.tif 000274
"で、中央キー基本値は"
2009545024.tif 000275
"で、中央キー重複値は"w"で、中央キー連続値は"
2009545024.tif 000276
"で、遠い中央キー基本値は"
2009545024.tif 000277
"で、遠い中央キー重複値は"
2009545024.tif 000278
"である。第20キー(200)に表示されている残りの"0、="は演算モードの場合作成される値である。
【０３９３】
ヒンズー語文字入力装置での第15キー(150)の基本値である"hCap"は作成された文字を変換させるためのもので、第11キー(110)の"
2009545024.tif 000279
"を"
2009545024.tif 000280
"へ、"
2009545024.tif 000281
"を"
2009545024.tif 000282
"でへ変換させ、第17キー(170)の"
2009545024.tif 000283
"を"
2009545024.tif 000284
"へ変換させ、第18キー(180)の"
2009545024.tif 000285
"を"
2009545024.tif 000286
"へ、"
2009545024.tif 000287
"を"
2009545024.tif 000288
"へ変換させ、第19キー(190)の"
2009545024.tif 000289
"を"
2009545024.tif 000290
"へ、"
2009545024.tif 000291
"を"
2009545024.tif 000292
"へ変換させ、第20キー(200)の"
2009545024.tif 000293
"を"
2009545024.tif 000294
"へ、"
2009545024.tif 000295
"を"
2009545024.tif 000296
"へ、"
2009545024.tif 000297
"を"
2009545024.tif 000298
"へ、"
2009545024.tif 000299
"を"
2009545024.tif 000300
"へ変換させる。
【０３９４】
図３５は本発明の他の実施形態による文字入力装置のローマ字-ヒンズー語文字入力装置を表わす図である。ローマ字-ヒンズー語文字入力装置は図3で説明した3×4配列であり、第11キー(110)、第12キー(120)、第13キー(130)、第14キー(140)、第15キー(150)、第16キー(160)、第17キー(170)、第18キー(180)、第19キー(190)、第20キー(200)、第1中央キー(210)、第2中央キー(220)で構成される。
【０３９５】
図３５のローマ字-ヒンズー語文字入力装置で、第1中央キー(210)、第2中央キー(220)に表示した"khi"、"ghi"、"jh"、"sh"等は第15キー(150)の基本値である"hCap"によって作成される文字の説明を助けるためのものであり、第1中央キー(210)、第2中央キー(220)を押すことで作成される値ではないことをあらかじめ明らかにしておく。
【０３９６】
ローマ字-ヒンズー語文字入力装置での第14キー(140)、第16キー(160)の構成と入力方法は、図２０の各キーの構成と入力方法に似ている。ただし、ローマ字-ヒンズー語文字入力装置での第16キー(160)の中央キー基本値は"H/E"であり、ヒンズー語とローマ字のモード変換を表す。
【０３９７】
ローマ字-ヒンズー語文字入力装置での第11キー(110)は、ローマ字-ヒンズー語文字入力装置がヒンズー語入力モードの場合、第11キー(110)の基本値は"g"で、中央キー基本値は"k"であり、中央キー重複値は"x"で、中央キー連続値は"gyn"で、遠い中央キー基本値は"gh"で、遠い中央キー重複値は"kh"である。
【０３９８】
ローマ字-ヒンズー語文字入力装置での第12キー(120)は、ローマ字-ヒンズー語文字入力装置がヒンズー語入力モードの場合、第12キー(120)の基本値は"n"で、中央キー基本値は"a"で、中央キー重複値は"aa"で、中央キー連続値は"am"で、遠い中央キー基本値は"m"で、遠い中央キー重複値は"N"で、遠い中央キー連続値は"ni"で、遠い中央キー連続重複値は"
2009545024.tif 000301
"である。
【０３９９】
ローマ字-ヒンズー語文字入力装置での第13キー(130)は、ローマ字-ヒンズー語文字入力装置がヒンズー語入力モードの場合、第13キー(130)の基本値は"r"で、中央キー基本値は"o"で、中央キー重複値は"oi"で、中央キー連続値は"oii"で、中央キー連続重複値は"ou"で、遠い中央キー基本値は"l"で、遠い中央キー重複値は"li"で、遠い中央キー連続値は"ri"である。
【０４００】
ローマ字-ヒンズー語文字入力装置での第15キー(150)は、ローマ字-ヒンズー語文字入力装置がヒンズー語入力モードの場合、第15キー(150)の基本値は作成されている文字をもう一度変換させる時に使う"hCap"で、中央キー基本値は"I"で、中央キー重複値は"ii"で、中央キー連続値は"yi"で、遠い中央キー基本値は"@"で、遠い中央キー重複値は"/"で、遠い中央キー連続値は"・"である。第15キー(150)に表示されている残りの"5、、"は演算モードの場合作成される値である。
【０４０１】
ローマ字-ヒンズー語文字入力装置での第17キー(170)は、ローマ字-ヒンズー語文字入力装置がヒンズー語入力モードの場合、第17キー(170)の基本値は"h"で、中央キー基本値は"u"で、中央キー重複値は"uu"で、遠い中央キー基本値は"j"で、遠い中央キー重複値は"z"で、遠い中央キー重複値は"-"である。第17キー(170)に表示されている残りの"/、7"は演算モードの場合作成される値である。
【０４０２】
ローマ字-ヒンズー語文字入力装置での第18キー(180)は、ローマ字-ヒンズー語文字入力装置がヒンズー語入力モードの場合、第18キー(180)の基本値は"s"で、中央キー基本値は"e"で、中央キー重複値は"ei"で、中央キー連続値は"eii"で、中央キー連続重複値は"ai"で、遠い中央キー基本値は"c"で、遠い中央キー重複値は"y"で、遠い中央キー連続値は"
2009545024.tif 000302
"である。第18キー(180)に表示されている残りの"*、8"は演算モードの場合作成される値である。
【０４０３】
ローマ字-ヒンズー語文字入力装置での第19キー(190)は、ローマ字-ヒンズー語文字入力装置がヒンズー語入力モードの場合、第19キー(190)の基本値は"b"で、中央キー基本値は"p"であり、中央キー重複値は"v"で、中央キー連続値は"ksh"で、遠い中央キー基本値は"fi"で、遠い中央キー重複値は"_"である。第19キー(190)に表示されている残りの"(、9"は演算モードの場合作成される値である。
【０４０４】
ローマ字-ヒンズー語文字入力装置での第20キー(200)は、ローマ字-ヒンズー語文字入力装置がヒンズー語入力モードの場合、第20キー(200)の基本値は"d"で、中央キー基本値は"D"であり、中央キー重複値は"w"で、遠い中央キー基本値は"t"で、遠い中央キー重複値は"T"である。第20キー(200)に表示されている残りの"0、="は演算モードの場合作成される値である。
【０４０５】
ローマ字-ヒンズー語文字入力装置での第15キー(150)の基本値である"hCap"は作成された文字を変換させるためのもので、第11キー(110)の"kh"は"khi"へ、"gh"は"ghi"へ変換され、第17キー(170)の"j"は"jh"へ変換され、第18キー(180)の"s"は"sh"へ、"c"は"ch"へ変換され、第19キー(190)の"b"は"bh"へ、"p"は"ph"へ変換され、第20キー(200)の"d"は"dh"へ、"D"は"Dh"へ、"T"は"Th"へ、"t"は"th"へ変換される。
【０４０６】
図３６は本発明の他の実施形態による文字入力装置のアラビア語文字入力装置を表わす図である。アラビア語文字入力装置は図３で説明した3×4配列であり、第11キー(110)、第12キー(120)、第13キー(130)、第14キー(140)、第15キー(150)、第16キー(160)、第17キー(170)、第8キー(180)、第19キー(190)、第20キー(200)、第1中央キー(210)、第2中央キー(220)で構成される。
【０４０７】
アラビア語文字入力装置での第14キー(140)、第16キー(160)は図２０の各キーの構成と入力方法は等しい。ただし、アラビア語文字入力装置での第16キー(160)の中央キー基本値は"A/E"であり、アラビア語とローマ字のモード変換を表す。
アラビア語文字入力装置での第11キー(110)は、アラビア語文字入力装置がアラビア語入力モードの場合、第11キー(110)の基本値は"
2009545024.tif 000303
"で、中央キー基本値は"
2009545024.tif 000304
"であり、中央キー重複値は"
2009545024.tif 000305
"で、中央キー連続値は"
2009545024.tif 000306
"で、遠い中央キー基本値は"_"である。
アラビア語文字入力装置での第12キー(120)は、アラビア語文字入力装置がアラビア語入力モードの場合、第12キー(120)の基本値は"
2009545024.tif 000307
"で、中央キー基本値は"
2009545024.tif 000308
"で、中央キー重複値は"
2009545024.tif 000309
"で、中央キー連続値は"
2009545024.tif 000310
"で、遠い中央キー基本値は"
2009545024.tif 000311
"で、遠い中央キー重複値は"
2009545024.tif 000312
"で、遠い中央キー連続値は"
2009545024.tif 000313
"である。
【０４０８】
アラビア語文字入力装置での第13キー(130)は、アラビア語文字入力装置がアラビア語入力モードの場合、第13キー(130)の基本値は"
2009545024.tif 000314
"で、中央キー基本値は"
2009545024.tif 000315
"で、中央キー重複値は"
2009545024.tif 000316
"で、遠い中央キー基本値は"
2009545024.tif 000317
"で、遠い中央キー重複値は"
2009545024.tif 000318
"である。
【０４０９】
アラビア語文字入力装置での第15キー(150)は、アラビア語文字入力装置がアラビア語入力モードの場合、第15キー(150)の基本値はスクン記号である"。"で、中央キー基本値は"
2009545024.tif 000319
"で、中央キー重複値は"
2009545024.tif 000320
"で、中央キー連続値は"
2009545024.tif 000321
"と"
2009545024.tif 000322
"が一緒にある"
2009545024.tif 000323
"で、遠い中央キー基本値は"@"で、遠い中央キー重複値は"/"で、遠い中央キー連続値は"~"で、遠い中央キー連続重複値は"・"である。
アラビア語文字入力装置での第17キー(170)は、アラビア語文字入力装置がアラビア語入力モードの場合、第17キー(170)の基本値は"
2009545024.tif 000324
"で、中央キー基本値は"
2009545024.tif 000325
"で、中央キー重複値は"
2009545024.tif 000326
"で、中央キー連続値は"
2009545024.tif 000327
"で、遠い中央キー基本値は"
2009545024.tif 000328
"で、遠い中央キー重複値は"
2009545024.tif 000329
"である。
【０４１０】
アラビア語文字入力装置での第18キー(180)は、アラビア語文字入力装置がアラビア語入力モードの場合、第18キー(180)の基本値は"
2009545024.tif 000330
"で、中央キー基本値は"
2009545024.tif 000331
"で、中央キー重複値は"
2009545024.tif 000332
"で、中央キー連続値は"
2009545024.tif 000333
"で、遠い中央キー基本値は"
2009545024.tif 000334
"で、遠い中央キー重複値は"
2009545024.tif 000335
"で、遠い中央キー連続値は"
2009545024.tif 000336
"である。
【０４１１】
アラビア語文字入力装置での第19キー(190)は、アラビア語文字入力装置がアラビア語入力モードの場合、第19キー(190)の基本値は"
2009545024.tif 000337
"で、中央キー基本値は"
2009545024.tif 000338
"であり、中央キー重複値は"
2009545024.tif 000339
"で、中央キー連続値は"
2009545024.tif 000340
"である。
【０４１２】
アラビア語文字入力装置での第20キー(200)は、アラビア語文字入力装置がアラビア語入力モード場合、第20キー(200)の基本値は"
2009545024.tif 000341
"で、中央キー基本値は"
2009545024.tif 000342
"であり、中央キー重複値は"
2009545024.tif 000343
"で、中央キー連続値は"
2009545024.tif 000344
"で遠い中央キー基本値は"-"である。
【０４１３】
アラビア語文字入力装置で"あ"発音にあたり文字の上側に表示されるパトハ"
2009545024.tif 000345
"と"い"発音にあたり文字の下側に表示されるカスラ"
2009545024.tif 000346
"と"う"発音にあたり文字の上側に表示されるダンマ"
2009545024.tif 000347
"はアラビア語で母音に相当する。パトハ、カスラ、ダムマはハムジャとアルリプ、他の子音の上に符号を添加することができる。
【０４１４】
タンウィンは上記パトハ、カスラ、ダムマが二つ重複されて表示されることで発音は"n"である。母音作成後、スクン符号"。"を押すと長音に変換される。ただし、スクンは子音の後にのみ使われる。子音作成後、同じ子音を追加で作成すれば促音であるシャッダ"
2009545024.tif 000348
"が作成される。
【０４１５】
図３７は本発明の他の実施形態による文字入力装置の調整用文字入力装置を表わす図である。図３７の調整用文字入力装置は図３で説明した3×4配列であり、第11キー(110)、第12キー(120)、第13キー(130)、第14キー(140)、第15キー(150)、第16キー(160)、第17キー(170)、第8キー(180)、第19キー(190)、第20キー(200)、第1中央キー(210)、第2中央キー(220)で構成される。
【０４１６】
図３７の調整用文字入力装置での第11キー(110)の基本値は、メニュー機能である"Menu"で、中央キー基本値は、言語変換機能である"Language"で、中央キー重複値は、時間調節機能である"Timer"で、中央キー連続値は、多重音声機能である"sound"で、中央キー連続重複値は、画面状態調節機能である"Screen"で、遠い中央キー基本値は、電話機能機能である"Tel"である。
【０４１７】
調整用文字入力装置での第12キー(120)の基本値は、音を低くする機能である"vol▼"で、中央キー基本値は、音を大きくする機能である"▲"で、遠い中央キー基本値は、消音機能である"Mute"である。
【０４１８】
調整用文字入力装置での第13キー(130)の基本値は、再生機能である"
2009545024.tif 000349
"で、中央キー基本値は早送り機能である"
2009545024.tif 000350
"で、中央キー重複値は次へスキップさせる"
2009545024.tif 000351
"で、遠い中央キー基本値は、録音機能である"Rec"である。
【０４１９】
調整用文字入力装置での第14キー(140)の基本値は、カーソルを左側に移動させる"←"で、中央キー基本値は、カーソルの左枠を削除する"clear"で、遠い中央キー基本値は、カーソルを現在ある列の左端に移動する"Home"である。調整用文字入力装置での第15キー(150)の基本値は、カーソルを下方へ移動させる"↓"で、中央キー基本値は、挿入機能である"Ins"で、遠い中央キー基本値は、下のページに移動させる"PgDn"である。
【０４２０】
調整用文字入力装置での第16キー(160)の基本値は、カーソルを右側に移動させる"→"で、中央キー基本値は、カーソルの右枠を削除する"del"で、中央キー重複値は、カーソルを現在ある列の右端に移動する"End"である。
【０４２１】
調整用文字入力装置での第17キー(170)の基本値は、一時停止機能である"
2009545024.tif 000352
"で、中央キー基本値は、巻き戻し機能である"
2009545024.tif 000353
"で、中央キー重複値は、後ろへスキップさせる"
2009545024.tif 000354
"で、遠い中央キー基本値は、停止機能である"■"で、遠い中央キー重複値は、取り出し機能である"
2009545024.tif 000355
"である。
【０４２２】
調整用文字入力装置での第18キー(180)の基本値は、チャンネル番号を下げる"-Ch"で、中央キー基本値は、チャンネル番号を上げる"+"で、遠い中央キー基本値は、チャンネル自動調節機能である"Auto"である。
【０４２３】
調整用文字入力装置での第19キー(190)の基本値は、画面展開と選択確認機能である"OK"で、中央キー基本値は、テレビ変換機能である"TV"で、中央キー重複値は、コンピューター変換機能である"PC"で、中央キー連続値は、DVD変換機能である"DVD"で、中央キー連続重複値は、テープ型ビデオ変換機能である"VHS"で、遠い中央キー基本値は、電源を消す"Off"である。
【０４２４】
調整用文字入力装置での第20キー(200)の基本値は、上方に移動させる"↑"で、中央キー基本値は、前の画面に戻す"
2009545024.tif 000356
"で、遠い中央キー基本値は、上のページに移動させる"PgUp"である。
【０４２５】
図３８は本発明の他の実施形態による文字入力装置のカメラ調節用文字入力装置を表わす図である。カメラ調節用文字入力装置は図３で説明した3×4配列であり、第11キー(110)、第12キー(120)、第13キー(130)、第14キー(140)、第15キー(150)、第16キー(160)、第17キー(170)、第8キー(180)、第19キー(190)、第20キー(200)、第1中央キー(210)、第2中央キー(220)で構成される。
【０４２６】
カメラ調節用文字入力装置での第11キー(110)の基本値は、自動露出制御方式である"Auto"で、中央キー基本値は、プログラム露出制御方式である"P"で、中央キー重複値はしぼり優先モードである"Av"で、中央キー三重値は、シャッター速度優先モードである"Tv"で、中央キー連続値は、静画しぼり方式である"AF-S"で、中央キー連続重複値は
動画しぼり方式である'AF-C"で、中央キー連続三重値は、混合型被写体しぼり方式である"AF-A"で、遠い中央キー基本値は、露出制御手動操作機能である"Me"で、遠い中央キー重複値は、以前の画面や設定に戻す"←"である。カメラ調節用文字入力装置の第11キー(110)に表示されている"←"は、第14キー(140)の遠い中央キー基本値である"Menu"作成後、第11キー(110)の基本値となりメニュー設定時、カーソルを左に動かし、第15キー(150)の遠い中央キー基本値である"Disp"が作成された後には、第11キー(110)の基本値となり現在画面に表示されている画像の前にある画像を表示する。
【０４２７】
カメラ調節用文字入力装置での第12キー(120)の基本値は、シャッター速度自動機能である"A"で、中央キー基本値は、シャッター速度が1/125秒になるようにする"1/125"で、中央キー重複値は、シャッター速度が1/250秒になるようにする"1/250"で、中央キー三重値は、シャッター速度が1/500秒になるようにする"1/500"で、中央キー連続値は、シャッター速度が1/60秒になるようにする"1/60"で、中央キー連続重複値は、シャッター速度が1/30秒になるようにする"1/30"で、中央キー連続三重値は、シャッター速度が1/4秒になるようにする"1/4"で、遠い中央キー基本値は、シャッター速度手動調節方式である"Ms"である。
【０４２８】
カメラ調節用文字入力装置での第13キー(130)の基本値は、原本同時保存方式画質機能である"Raw"で、中央キー基本値は、最高画質保存方式である"Hi"で、中央キー重複値は"Raw"と"Hi"より低い画質保存方式である"Extra"で、中央キー三重値は、"Extra"より低い画質保存方式である"Fine"で、中央キー連続基本値は、"Fine"より低い画質保存方式である"Normal"で、中央キー連続重複値は、"Normal"より低い画質保存方式である"Basic"で、遠い中央キー基本値は、マルチパターン測光方式である"
2009545024.tif 000357
"で、遠い中央キー重複値は、中央重点測光方式である"
2009545024.tif 000358
"で、遠い中央キー三重値は、スポット測光方式である"
2009545024.tif 000359
"である。
【０４２９】
カメラ調節用文字入力装置での第14キー(140)の基本値は、セルフタイマー10秒機能である"
2009545024.tif 000360
"で、中央キー基本値は、セルフタイマー2秒機能である"2s"で、中央キー重複値は、セルフタイマー5秒機能である"5s"で、中央キー三重値は、セルフタイマー20秒機能である"20s"で、中央キー連続値は、連続撮影機能である"
2009545024.tif 000361
"で、中央キー連続重複値は、高速連続撮影機能である"
2009545024.tif 000362
"で、遠い中央キー基本値は、編集のためのメニュー機能である"Menu"である。
【０４３０】
カメラ調節用文字入力装置での第15キー(150)の基本値は、フラッシュ自動発光機能である"
2009545024.tif 000363
"で、中央キー基本値は、フラッシュ自動発光機能に赤目軽減機能が加えられた"
2009545024.tif 000364
"で、中央キー重複値は、スロー発光機能である"
2009545024.tif 000365
"で、中央キー連続値は、フラッシュ強制発光機能である"
2009545024.tif 000366
"で、中央キー連続重複値は、フラッシュ発光禁止機能である"
2009545024.tif 000367
"で、遠い中央キー基本値は、撮影結果を画面に表示する機能である"Disp"である。カメラ調節用文字入力装置の第15キー(150)に表われている"↓"は、第14キー(140)の遠い中央キー基本値である"Menu"作成後、第15キー(150)の基本値となりメニュー設定時、カーソルを下方へ動かす。
【０４３１】
カメラ調節用文字入力装置での第16キー(160)の基本値は、画面展開と選択確認機能である"OK"で、中央キー基本値は、削除機能である"del"で、中央キー重複値は"del"を作成した後、確認のメッセージに対し削除実行を選択する"Y"で、中央キー連続値は"del"を作成した後、確認のメッセージに対し削除実行を不選択する"N"で、遠い中央キー基本値は、ファイル形態写真保存機能である"
2009545024.tif 000368
"で、遠い中央キー重複値は、動画保存機能である"
2009545024.tif 000369
"で、遠い中央キー三重値は、動画に音声を録音する"
2009545024.tif 000370
"で、遠い中央キー連続値は、,画面終了機能である"off"である。
【０４３２】
カメラ調節用文字入力装置での第17キー(170)の基本値は、自動的にホワイトバランスを調節する機能である"AWB"で、中央キー基本値は、野外での撮影時、晴天下でホワイトバランスを調節する太陽光機能である"
2009545024.tif 000371
"で、中央キー重複値は、曇り時に設定される雲り機能である"
2009545024.tif 000372
"で、中央キー三重複値は、日陰で青みがかる状況でホワイトバランスを調節する日陰機能である"
2009545024.tif 000373
"で、中央キー連続値は、電球下で赤みがかる状況でホワイトバランスを調節する電球機能である"
2009545024.tif 000374
"で、中央キー連続重複値は蛍光灯下で緑がかる状況でホワイトバランスを調節する蛍光燈機能である"
2009545024.tif 000375
"で、中央キー連続三重複値は、フラッシュ使用時にホワイトバランスを調節するフラッシュ機能である"
2009545024.tif 000376
"で、遠い中央キー基本値は、ホワイトバランスを手動で設定する"Preset"である。
【０４３３】
カメラ調節用文字入力装置での第18キー(180)の基本値は、自動感度機能である"
2009545024.tif 000377
"で、中央キー基本値は、感度を100で指定する"
2009545024.tif 000378
"で、中央キー重複値は、感度を200で指定する"
2009545024.tif 000379
"で、中央キー三重複値は、感度を400で指定する"
2009545024.tif 000380
"で、中央キー連続値は、感度を640で指定する"
2009545024.tif 000381
"で、中央キー連続重複値は、感度を800で指定する"
2009545024.tif 000382
"で、中央キー連続三重複値は、感度を1600で指定する"
2009545024.tif 000383
"で、遠い中央キー基本値は、感度を手動で設定する"
2009545024.tif 000384
"である。
【０４３４】
カメラ調節用文字入力装置での第19キー(190)の基本値は、画角が望遠になるようにする"Tele"で、中央キー基本値は、画角が広角になるようにする"Wide"で、遠い中央キー基本値は、露出をプラス方向に補正する"Ev+"で、遠い中央キー連続値は、露出をマイナス方向に補正する"-"である。カメラ調節用文字入力装置の第19キー(190)に表示されている"→"は、第14キー(140)の遠い中央キー基本値である"Menu"作成後、第19キー(190)の基本値となりメニュー設定時、カーソルを右側に動かし、第15キー(150)の遠い中央キー基本値である"Disp"が作成された後には第19キー(190)の基本値となり現在画面に表示されている画像の次にある画像を表示する。
【０４３５】
カメラ調節用文字入力装置での第20キー(200)の基本値は、接写モードである"
2009545024.tif 000385
"で、中央キー基本値は、人物撮影モードである"
2009545024.tif 000386
"で、中央キー重複値は、風景撮影モードである"
2009545024.tif 000387
"で、中央キー三重値は、運動撮影モードである"
2009545024.tif 000388
"で、中央キー連続値は、日の出撮影モードである"
2009545024.tif 000389
"で、中央キー連続重複値は、日の入り撮影モードである"
2009545024.tif 000390
"で、中央キー連続三重値は、浜辺撮影モードである"
2009545024.tif 000391
"で、遠い中央キー基本値は、夜間人物撮影モードである"
2009545024.tif 000392
"で、遠い中央キー重複値は、パーティー撮影モードである""
2009545024.tif 000393
""で、遠い中央キー三重値は、博物館撮影モードである"
2009545024.tif 000394
"で、遠い中央キー連続値は、夜間風景撮影モードである"
2009545024.tif 000395
"で、遠い中央キー連続重複値は、雪景色撮影モードである"
2009545024.tif 000396
"である。カメラ調節用文字入力装置の第20キー(200)に表示されている"↑"は、第14キー(140)の遠い中央キー基本値である"Menu"作成後、第20キー(200)の基本値となりメニュー設定時、カーソルを下方へ動かす。
【０４３６】
カメラ調節用文字入力装置で、第14キー(140)の遠い中央キー基本値である"Menu"作成後と第15キー(150)の遠い中央キー基本値である"Disp"が作成された後には、第11キー(110)の"←"、第15キー(150)の"↓"、第16キー(160)の"OK"、第19キー(190)の"→"、第20キー(200)の"↑"が基本値となり、残りの各キーの値はキーを押しても作成されなくなる。第14キー(140)の遠い中央キー基本値である"Menu"と第15キー(150)の遠い中央キー基本値である"Disp"を作成後、もう一度それぞれの値を作成すれば、またカメラ撮影モードに戻り各キーの値も作成することができるようになる。
【０４３７】
図３９は本発明の他の実施形態による文字入力装置の固有機能文字入力装置を表わす図である。固有機能文字入力装置は図３で説明した3×4配列であり、第11キー(110)、第12キー(120)、第13キー(130)、第14キー(140)、第15キー(150)、第16キー(160)、第17キー(170)、第8キー(180)、第19キー(190)、第20キー(200)、第1中央キー(210)、第2中央キー(220)で構成される。
【０４３８】
固有機能文字入力装置の第11キー(110)の基本値は、設定を確認する"OK"で、中央キー基本値は、設定を取り消す"cancel"で、遠い中央キー基本値は、音調節機能である"Sound"で、遠い中央キー重複値は、メロディーとベル音量調節機能である"Vol"で、遠い中央キー連続値は、メロディー選択機能である"Mel"で、遠い中央キー連続重複値はベル音選択機能である"Bel"である。
【０４３９】
固有機能文字入力装置の第12キー(120)の基本値は、ダイアリー機能である"Dia"で、中央キー基本値は、メモ作成機能である"M"で、中央キー重複値は、文書編集機能であるワードの略字"W"で、中央キー連続値は、文書検索機能である"F"で、遠い中央キー基本値は、月間スケジュール機能である"M"で、遠い中央キー重複値は、週間スケジュール機能である"W"で、遠い中央キー連続値は、日程スケジュール機能である"D"である。
固有機能文字入力装置の第13キー(130)の基本値は、電話帳機能である"Tel"で、中央キー基本値は、受信番号機能である"R"で、中央キー重複値は、発信番号機能である"S"で、中央キー連続値は、番号検索機能である"F"で、中央キー連続重複値は、電話番号登録機能である"
2009545024.tif 000397
"で、遠い中央キー基本値は、受信されたメッセージを記録する"R"で、遠い中央キー重複値は、発信したメッセージを記録する"S"で、遠い中央キー連続値は、メッセージ検索機能である"F"で、遠い中央キー連続重複値は、メッセージ作成機能である"
2009545024.tif 000398
"である。
【０４４０】
固有機能文字入力装置の第14キー(140)の基本値は、カーソルを左側に移動させる"←"で、中央キー基本値は、カーソルの左枠を削除する"back"で、遠い中央キー基本値は、カーソルを列の左端に移動する"Home"である。
【０４４１】
固有機能文字入力装置の第15キー(150)の基本値は、カーソルを下方に移動させる"↓"で、中央キー基本値は、挿入機能である"Ins"で、遠い中央キー基本値は、下のページに移動させる"PgDn"である。
【０４４２】
固有機能文字入力装置の第16キー(160)の基本値は、カーソルを右側に移動させる"→"で、中央キー基本値は、カーソルの右枠を削除する"del"で、中央キー重複値は、カーソルを列の右端に移動する"End"である。
【０４４３】
固有機能文字入力装置の第17キー(170)の基本値は、インターネット機能である"Net"で、中央キー基本値は、基本設定されているメインページである"M"で、中央キー重複値は、コントロールパネル機能である"C"で、中央キー連続値は、ファイルとフォルダ検索機能である"F"で、中央キー連続重複値は、インターネットアドレス作成機能である"
2009545024.tif 000399
"で、遠い中央キー基本値は、電子メール受信機能である"R"で、遠い中央キー重複値は、電子メール発信機能である"S"で、遠い中央キー連続値は、電子メール住所検索機能である"F"で、遠い中央キー連続重複値は、電子メールメッセージ作成機能である"
2009545024.tif 000400
"である。
【０４４４】
固有機能文字入力装置の第18キー(180)の基本値は、映像撮影機能である"Pic"で、中央キー基本値は、写真撮影機能である"P"で、中央キー重複値は、写真を撮影するシャッター機能である"Q"で、中央キー連続値は、写真アルバム機能である"F"で、中央キー連続重複値は、写真編集機能である"e"で、遠い中央キー基本値は、動画撮影機能である"M"で、遠い中央キー重複値は、動画撮影作動ボタン機能である"Q"で、遠い中央キー連続値は、動画アルバム検索機能である"F"で、遠い中央キー連続重複値は、動画編集機能である"e"である。
【０４４５】
固有機能文字入力装置の第19キー(190)の基本値は、全体メニュー表示機能である"Menu"で、中央キー基本値は、映像物機能である"V"で、中央キー重複値は、音量調節機能である"Vol"で、中央キー連続値は、チャンネル選択機能である"Ch"で、中央キー連続重複値は個人コンピューター環境調節機能である"My"で、遠い中央キー基本値は、聴覚物機能である"A"で、遠い中央キー重複値は、音量調節機能である"Vol"で、遠い中央キー連続値はチャンネル選択機能である"Ch"で、遠い中央キー連続重複値は、録音機機能である"Rec"である。
【０４４６】
固有機能文字入力装置の第20キー(200)の基本値は、上方に移動させる"↑"で、中央キー基本値は、以前の画面に戻す"Esc"で、遠い中央キー基本値は、上のページに移動させる"PgUp"である。
【０４４７】
固有機能文字入力装置の第1中央キー(210)は、長く押すと電源が消え、通話開始後には通話終了機能をする。
【０４４８】
固有機能文字入力装置の第2中央キー(220)は、長く押すと電源が入り、電話番号作成後に押すと通話開始、発信用メッセージ作成後に押すとメッセージ送信用電話番号検索機能をする。
【０４４９】
図４０は本発明の他の実施形態による文字入力装置のローマ字-中央4面型文字入力装置を表わす図である。
【０４５０】
図４０のローマ字-中央4面型文字入力装置は図４及び図１１で説明された4×4配列であり、第41キー(410)、第42キー(420)、第43キー(430)、第44キー(440)、第451キー(452)、第452キー(455)、第46キー(460)、第47キー(470)、第48キー(480)、第49キー(490)、第401キー(502)、第402キー(505)、第41中央キー(510)、第42中央キー(520)、第43中央キー(530)、第44中央キー(540)で構成される。以下、図１１を通じて前に説明した中央キー1値、中央キー11値、中央キー3値、中央キー4値を参照にして説明する。
【０４５１】
図４０のローマ字-中央4面型文字入力装置の第41キー(410)の基本値は"G"で、中央キー基本値は"K"である。第41キー(410)に表示されている残りの"1"は演算モードの場合作成される値である。
【０４５２】
ローマ字-中央4面型文字入力装置の第42キー(420)の基本値は"N"で、中央キー1値は"A"で、中央キー11値は"ya"で、中央キー2値は"wa"で、中央キー3値は"M"で、中央キー4値は"
2009545024.tif 000401
"である。第42キー(420)に表示されている残りの"2"は演算モードの場合作成される値である。
【０４５３】
ローマ字-中央4面型文字入力装置の第43キー(430)の基本値は"R"で、中央キー1値は"L"で、中央キー3値は"O"で、中央キー33値は"yo"で、中央キー4値は"wo"である。第43キー(430)に表示されている残りの"3"は演算モードの場合作成される値である。
【０４５４】
ローマ字-中央4面型文字入力装置の第44キー(440)の基本値は、間隔をあける"SPACE"で、中央キー3値は、ローマ字入力モードと演算モード変換をする"N/W"で、中央キー1値は"、"で、中央キー11値は";"で、中央キー13値は"'"で、中央キー133値は"""である。第44キー(440)に表示されている"4"は演算モードの場合作成される値である。
【０４５５】
ローマ字-中央4面型文字入力装置の第451キー(452)の基本値は"W"で、中央キー3値は"V"で、中央キー4値は"@"である。第451キー(452)に表示されている残りの"5、."は演算モードの場合作成される値である。
【０４５６】
ローマ字-中央4面型文字入力装置の第452キー(455)の基本値は"Y"で、中央キー4値は"X"で、中央キー2値は"Z"で、中央キー3値は"/"である。第452キー(455)に表示されている残りの"5、."は演算モードの場合作成される値である。
【０４５７】
ローマ字-中央4面型文字入力装置の第46キー(460)の基本値は、列を変えるときに使う"ENTER"で、中央キー4値は、ローマ字と韓国語入力モードの変換時に使う"K/E"で、中央キー2値は"."で、中央キー22値は":"で、中央キー24値は"?"で、中央キー244値は"！"である。第46キー(460)に表示されている残りの"6"は演算モードの場合作成される値である。
【０４５８】
入力装置の第47キー(470)の基本値は"H"で、中央キー4値は"U"で、中央キー44値は"yu"で、中央キー3値は"wu"で、中央キー2値は"J"で、中央キー1値は"
2009545024.tif 000402
"である。第47キー(470)に表示されている残りの"7"は演算モードの場合作成される値である。
【０４５９】
ローマ字-中央4面型文字入力装置の第48キー(480)の基本値は"S"で、中央キー2値は"E"で、中央キー22値は"ye"で、中央キー4値は"C"で、中央キー3値は"β"である。第48キー(480)に表示されている残りの"8"は演算モードの場合作成される値である。
【０４６０】
ローマ字-中央4面型文字入力装置の第49キー(490)の基本値は、大小文字の変換をする"Cap"で、中央キー2値は"I"で、中央キー4値は"Q"である。第49キー(490)に表示されている残りの"9"は演算モードの場合作成される値である。
【０４６１】
ローマ字-中央4面型文字入力装置の第401キー(502)の基本値は"D"で、中央キー1値は"T"で、中央キー2値は"_"である。第401キー(502)に表示されている残りの"0"は演算モードの場合作成される値である。
【０４６２】
ローマ字-中央4面型文字入力装置の第402キー(505)の基本値は"B"で、中央キー2値は"P"で、中央キー1値は"-"である。第402キー(505)に表示されている残りの"0"は演算モードの場合作成される値である。
【０４６３】
図４１は本発明の他の実施形態による文字入力装置の韓国語-ローマ字中央5面型文字入力装置を表わす図である。
【０４６４】
図４１の韓国語-ローマ字-中央5面型文字入力装置は図3及び図12を通じて説明された3×7配列であり、第51キー(610)、第52キー(620)、第53キー(630)、第54キー(640)、第55キー(650)、第56キー(660)、第57キー(670)、第58キー(680)、第59キー(690)、第60キー(700)、第501キー(710)、第502キー(720)、第503キー(730)、第504キー(740)、第505キー(750)、第506キー(760)、第51中央キー(810)、第52中央キー(820)、第53中央キー(830)、第54中央キー(840)、第55中央キー(850)で構成される。以下、図12を通じて前に説明した中央キー1値、中央キー11値、中央キー3値、中央キー4値等を参照にして説明する。
【０４６５】
図４１の韓国語-ローマ字中央5面型文字入力装置が、ローマ字入力モードの場合、第51キー(610)の基本値は"G"で、中央キー1値は"X"で、中央キー2値は"K"である。
【０４６６】
韓国語-ローマ字中央5面型文字入力装置がローマ字入力モードの場合、第52キー(620)の基本値は"N"で、中央キー2値は"wa"で、中央キー3値は"A"で、中央キー33値は"ya"で、中央キー1値は"F"で、中央キー11値は"
2009545024.tif 000403
"である。
【０４６７】
韓国語-ローマ字中央5面型文字入力装置がローマ字入力モードの場合、第53キー(630)の基本値は"R"で、中央キー3値は"we"で、中央キー2値は"E"で、中央キー22値は"ye"で、中央キー4値は"@"である。
【０４６８】
韓国語-ローマ字中央5面型文字入力装置がローマ字入力モードの場合、第54キー(640)の基本値は"D"で、中央キー4値は"W"で、中央キー3値は"/"で、中央キー5値は"T"である。
【０４６９】
韓国語-ローマ字中央5面型文字入力装置がローマ字入力モードの場合、第55キー(650)の基本値は"B"で、中央キー5値は"V"で、中央キー4値は"P"である。
【０４７０】
韓国語-ローマ字中央5面型文字入力装置がローマ字入力モードの場合、第56キー(650)の基本値は大小文字の変換をする"Cap"で、中央キー1値は"Y"で、中央キー2値は"I"で、中央キー22値は"yi"で、中央キー33値は"wi"である。
【０４７１】
韓国語-ローマ字中央5面型文字入力装置がローマ字入力モードの場合、第57キー(670)の基本値は"M"で、中央キー2値は"wo"で、中央キー3値は"O"で、中央キー33値は"yo"である。
【０４７２】
韓国語-ローマ字中央5面型文字入力装置がローマ字入力モードの場合、第58キー(680)の基本値は"L"で、中央キー3値は"wu"で、中央キー2値は"U"で、中央キー22値は"yu"で、中央キー4値は"_"である。
【０４７３】
韓国語-ローマ字中央5面型文字入力装置がローマ字入力モードの場合、第59キー(690)の基本値は"S"で、中央キー4値は"Qで、中央キー3値は"-"で、中央キー5値は"C"で、中央キー54値は"β"である。
【０４７４】
韓国語-ローマ字中央5面型文字入力装置がローマ字入力モードの場合、第60キー(700)の基本値は"H"で、中央キー5値は"Z"で、中央キー4値は"J"で、中央キー45値は"
2009545024.tif 000404
"である。
韓国語-ローマ字中央5面型文字入力装置がローマ字入力モードの場合、第501キー(710)の基本値は、カーソルを上方に移動させる"↑"で、中央キー1値は、上ページに移動させる"PgUp"で、中央キー2値は、取り消し機能をする"Esc"である。
【０４７５】
韓国語-ローマ字中央5面型文字入力装置がローマ字入力モードの場合、第502キー(720)の基本値は、カーソルを下方に移動させる"↓"で、中央キー5値は、次のページへ移動させる"PaDn"で、中央キー4値は、挿入機能である"Ins"である。
【０４７６】
韓国語-ローマ字中央5面型文字入力装置がローマ字入力モードの場合、第503キー(730)の基本値は、間隔をあける"space"で、中央キー1値は、文字と数字モード変換をする"N/W"で、中央キー2値は"、"で、中央キー2値は";"で、中央キー21値は"'"で、中央キー211値は"""である。
【０４７７】
韓国語-ローマ字中央5面型文字入力装置がローマ字入力モードの場合、第504キー(740)の基本値は、下の列に移動する"enter"で、中央キー5値は韓国語入力と英語入力モードの変換をする"K/E"で、中央キー4値は"."で、中央キー44値は":"で、中央キー45値は"?"で、中央キー455値は"!"で、中央キー455値は"
2009545024.tif 000405
"で、中央キー4455値は"
2009545024.tif 000406
"である。
【０４７８】
韓国語-ローマ字中央5面型文字入力装置がローマ字入力モードの場合、第505キー(750)の基本値は、カーソルを左側に移動させる"←"で、中央キー1値は、カーソルを列の左端に移動させる"Home"で、中央キー2値は、カーソルの左枠を削除する"clear"である。
【０４７９】
韓国語-ローマ字中央5面型文字入力装置がローマ字入力モードの場合、第506キー(760)の基本値は、カーソルを右側に移動させる"→"で、中央キー5値は、カーソルを列の右端に移動させる"End"で、中央キー4値はカーソルの右枠を削除する"del"である。
【０４８０】
韓国語-ローマ字中央5面型文字入力装置が韓国語入力モードの場合、第51キー(610)の基本値は"
2009545024.tif 000407
"で、中央キー1値は"
2009545024.tif 000408
"で、中央キー2値は"
2009545024.tif 000409
"である。
【０４８１】
韓国語-ローマ字中央5面型韓国語入力モードの場合、第52キー(620)の基本値は"
2009545024.tif 000410
"で、中央キー2値"
2009545024.tif 000411
"で、中央キー3値は"
2009545024.tif 000412
"で、中央キー33値は"
2009545024.tif 000413
"で、中央キー32値は"
2009545024.tif 000414
"である。
【０４８２】
韓国語-ローマ字中央5面型韓国語入力モードの場合、第53キー(630)の基本値は"
2009545024.tif 000415
"で、中央キー3値は"
2009545024.tif 000416
"で、中央キー2値は"
2009545024.tif 000417
"で、中央キー22値は"
2009545024.tif 000418
"で、中央キー23値は"
2009545024.tif 000419
"である。
【０４８３】
韓国語-ローマ字中央5面型韓国語入力モードの場合、第54キー(640)の基本値は"
2009545024.tif 000420
"で、中央キー4値は"
2009545024.tif 000421
"で、中央キー5値は"
2009545024.tif 000422
"で、中央キー3値は"/"である。
【０４８４】
韓国語-ローマ字中央5面型韓国語入力モードの場合、第55キー(650)の基本値は"
2009545024.tif 000423
"で、中央キー5値は"
2009545024.tif 000424
"で、中央キー4値は"
2009545024.tif 000425
"である。
【０４８５】
韓国語-ローマ字中央5面型韓国語入力モードの場合、第56キー(660)の基本値は"ー"で、中央キー1値は"
2009545024.tif 000426
"で、中央キー2値は"
2009545024.tif 000427
"である。
【０４８６】
韓国語-ローマ字中央5面型韓国語入力モードの場合、第57キー(670)の基本値は"ロ"で、中央キー2値は"
2009545024.tif 000428
"で、中央キー3値は"
2009545024.tif 000429
"で、中央キー33値は"
2009545024.tif 000430
"で、中央キー32値は"
2009545024.tif 000431
"で、中央キー23値は"
2009545024.tif 000432
"である。
【０４８７】
韓国語-ローマ字中央5面型韓国語入力モードの場合、第58キー(680)の基本値は"
2009545024.tif 000433
"で、中央キー3値は"
2009545024.tif 000434
"で、中央キー2値は"
2009545024.tif 000435
"で、中央キー22値は"
2009545024.tif 000436
"で、中央キー23値は"
2009545024.tif 000437
"で、中央キー32値は"
2009545024.tif 000438
"で、中央キー4値は"_"である。
【０４８８】
韓国語-ローマ字中央5面型韓国語入力モードの場合、第59キー(690)の基本値は"
2009545024.tif 000439
"で、中央キー4値は"
2009545024.tif 000440
"で、中央キー3値は"-"で、中央キー5値は"
2009545024.tif 000441
"である。
【０４８９】
韓国語-ローマ字中央5面型韓国語入力モードの場合、第60キー(700)の基本値は"
2009545024.tif 000442
"で、中央キー5値は"
2009545024.tif 000443
"で、中央キー4値は"
2009545024.tif 000444
"である。
【０４９０】
韓国語-ローマ字中央5面型韓国語入力モードの場合、第501キー(710)、第502キー(720)、第503キー(730)、第504キー(740)、第505キー(750)、第506キー(760)は英語入力モード時のキー入力方法と等しい。
【０４９１】
韓国語-ローマ字中央5面型演算モードの場合、第51キー(610)の基本値は"1"で、中央キー1値は"("で、中央キー2値は"<"である。
【０４９２】
韓国語-ローマ字中央5面型演算モードの場合、第52キー(620)の基本値は"2"で、中央キー2値は"+"で、中央キー3値は"＆"である。
【０４９３】
韓国語-ローマ字中央5面型演算モードの場合、第53キー(630)の基本値は"3"で、中央キー3値は"-"で、中央キー2値は"%"である。
【０４９４】
韓国語-ローマ字中央5面型演算モードの場合、第54キー(640)の基本値は"4"で、中央キー4値は")"で、中央キー3値は">"である。
【０４９５】
韓国語-ローマ字中央5面型演算モードの場合、第55キー(650)の基本値は"5"で、中央キー5値は"
2009545024.tif 000445
"で、中央キー4値は"＄"である。
【０４９６】
韓国語-ローマ字中央5面型演算モードの場合、第56キー(660)の基本値は"6"で、中央キー1値は"＝"である。
【０４９７】
韓国語-ローマ字中央5面型演算モードの場合、第57キー(670)の基本値は"7"で、中央キー2値は"*"で、中央キー3値は"#"である。
【０４９８】
韓国語-ローマ字中央5面型演算モードの場合、第58キー(680)の基本値は"8"で、中央キー3値は"/"で、中央キー2値は"÷"である。
【０４９９】
韓国語-ローマ字中央5面型演算モードの場、第59キー(690)の基本値は"9"で、中央キー4値は"、"で、中央キー5値は"^"である。
【０５００】
韓国語-ローマ字中央5面型演算モードの場合、第60キー(700)の基本値は"0"で、中央キー5値は"
2009545024.tif 000446
"で、中央キー4値は"~"である。
【０５０１】
本発明は以上で説明された開示、図面に限定されるものではなく、当業者であれば次に記載される特許請求の範囲の範囲内で多様な変形及び変容が可能なことはいうまでもない。
【産業上の利用可能性】
【０５０２】
本発明は操作が容易な多数の中央キーとスペースキーを備え、少ない数の文字入力装置キーを利用して早い速度での文字入力を可能にさせる文字入力装置とその入力方法に関するものであり、ポータブル電話機、PNP(PlugAndPlay)、PMP(PortableMultimediaPlayer)などのポータブル電子機器に適用され、簡易操作で文字を作成することができ、時間の短縮が可能である。またキーの数が少ないため、相対的にキーの大きさが大きくなり押すのが容易でポータブル電子機器の小型化も可能である。
【０５０３】
また本発明は韓国語だけでなく、英語、ドイツ語、フランス語、日本語、ヒンズー語、ベトナム語、ロシア語、アラビア語など、多様な言語の文字入力装置及びその文字入力方法にも適用可能である。
【図１】
2009545024.tif 000831
2009545024.tif 000832
【図２】
2009545024.tif 000833
2009545024.tif 000834
【図３】
2009545024.tif 000835
2009545024.tif 000836
【図４】
2009545024.tif 000837
2009545024.tif 000838
【図５】
2009545024.tif 000839
2009545024.tif 000840
【図６】
2009545024.tif 000841
2009545024.tif 000842
【図７】
2009545024.tif 000843
【図８】
2009545024.tif 000844
【図９−１】
2009545024.tif 000845
【図９−２】
2009545024.tif 000846
【図１０−１】
2009545024.tif 000847
【図１０−２】
2009545024.tif 000848
【図１１】
2009545024.tif 000849
【図１２】
2009545024.tif 000850
【図１３】
2009545024.tif 000851
【図１４】
2009545024.tif 000852
【図１５】
2009545024.tif 000853
【図１６】
2009545024.tif 000854
【図１７】
2009545024.tif 000855
【図１８】
2009545024.tif 000856
【図１９】
2009545024.tif 000857
【図２０】
2009545024.tif 000858
【図２１】
2009545024.tif 000859
【図２２】
2009545024.tif 000860
【図２３】
2009545024.tif 000861
【図２４】
2009545024.tif 000862
【図２５】
2009545024.tif 000863
【図２６】
2009545024.tif 000864
【図２７】
2009545024.tif 000865
【図２８】
2009545024.tif 000866
【図２９】
2009545024.tif 000867
【図３０】
2009545024.tif 000868
【図３１】
2009545024.tif 000869
【図３２】
2009545024.tif 000870
【図３３】
2009545024.tif 000871
【図３４】
2009545024.tif 000872
【図３５】
2009545024.tif 000873
【図３６】
2009545024.tif 000874
【図３７】
2009545024.tif 000875
【図３８】
2009545024.tif 000876
【図３９】
2009545024.tif 000877
【図４０】
2009545024.tif 000878
【図４１】
2009545024.tif 000879
【手続補正書】
【提出日】平成21年3月25日(2009.3.25)
【手続補正１】
【補正対象書類名】特許請求の範囲
【補正対象項目名】全文
【補正方法】変更
【補正の内容】
【特許請求の範囲】
【請求項１】
中央に配置された中央キーと上記中央キーの周辺に配置された複数の周辺キーを備えた文字入力装置の文字入力方法において、
周辺キーが一度押されることによって作成される基本キーの基本値;
周辺キーが二度押されることによって作成される基本キーの重複値;
周辺キーが押された後中央キーが一度押されることによって作成される中央キーの基本値;
周辺キーが押された後中央キーが二度押されることによって作成される中央キーの重複値;
を備えていることを特徴とする文字入力方法。
【請求項２】
請求項１において、
周辺キーが押された後、中央キーが三度押されることによって作成される中央キーの三重値をも備えていることを特徴とする文字入力方法。
【請求項３】
請求項１において、
周辺キーが三度押されることによって作成される基本キーの三重複値をも備えていることを特徴とする文字入力方法。
【請求項４】
請求項１において、
中央の上記中央キー周りに配置され上記中央キーとともに周辺キーに取り囲まれた遠い中央キーをも備えていることを特徴とする文字入力方法。
【請求項５】
請求項４において、
周辺キー、中央キー、遠い中央キーが順に押されることによって作成される中央キーの連続値;
周辺キー、中央キーが順に押された後、遠い中央キーが2回押されることによって作成される中央キー連続重複値;
周辺キー、中央キーが順に押された後、遠い中央キーが3回押されることによって作成される中央キー連続三重値;
をも備えていることを特徴とする文字入力方法。
【請求項６】
請求項４において、
周辺キーが押された後、遠い中央キーが一度押されることによって作成される遠い中央キー基本値;
周辺キーが押された後、遠い中央キーが二度押されることによって作成される遠い中央キー重複値;
周辺キー、遠い中央キー、中央キーが順に押されることによって作成される遠い中央キーの連続値;
をも備えていることを特徴とする文字入力方法。
【請求項７】
請求項１において、
上記中央キーは少なくとも第1中央キー、第2中央キー、第3中央キー、第4中央キーを含んで成り立つことを特徴とする文字入力方法。
【請求項８】
請求項７において、
周辺キー、第1中央キーが順に押されることによって作成される中央キー1値;
周辺キー、第2中央キーが順に押されることによって作成される中央キー2値;
周辺キー、第3中央キーが順に押されることによって作成される中央キー3値;
周辺キー、第4中央キーが順に押されることによって作成される中央キー4値;
を備えていることを特徴とする文字入力方法。
【請求項９】
請求項８において、
周辺キーが押された後、第1中央キーが2回押されることによって作成される中央キー11値;
周辺キー、第1中央キー、第2中央キーが順に押されることによって作成される中央キー12値;
周辺キー、第1中央キー、第2中央キー、第3中央キーが順に押されることによって作成される中央キー123値;
周辺キー、第1中央キー、第2中央キー、第3中央キー、第4中央キーが順に押されることによって作成される中央キー1234値;
周辺キー、第1中央キー、第3中央キーが順に押されることによって作成される中央キー13値;
周辺キー、第1中央キーが順に押された後、第3中央キーが2回押されることによって作成される中央キー133値;
周辺キーが押された後、第2中央キーが2回押されることによって作成される中央キー22値;
周辺キー、第2中央キー、第4中央キーが順に押されることによって作成される中央キー24値;
周辺キー、第2中央キーが順に押された後、第4中央キーが2回押されることによって作成される中央キー244値;
周辺キーが押された後、第4中央キーが2回押されることによって作成される中央キー44値;
をも備えていることを特徴とする文字入力方法。
【請求項１０】
請求項９において、
上記中央キーは第5中央キーをも含んで成り立つことを特徴とする文字入力方法。
【請求項１１】
請求項１０において、
周辺キー、第5中央キーが順に押されることによって作成される中央キー5値;
周辺キー、第1中央キー、第2中央キー、第3中央キー、第4中央キー、第5中央キーが順に押されることによって作成される中央キー12345値;
周辺キー、第2中央キー、第3中央キーが順に押されることによって作成される中央キー23値;
周辺キー、第3中央キー、第2中央キーが順に押されることによって作成される中央キー32値;
周辺キーが押された後、第3中央キーが2回押されることによって作成される中央キー33値;
周辺キー、第4中央キー、第5中央キーが順に押されることによって作成される中央キー45値;
周辺キーが押されて第4中央キーが2回押された後、第5中央キーが一度押されることによって作成される中央キー445値;
周辺キー、第4中央キーが順に押された後、第5中央キーが2回押されることによって作成される中央キー455値;
周辺キーが押されて第4中央キーが2回押された後、第5中央キーが2回押されることによって作成される中央キー4455値;
周辺キー、第5中央キー、第4中央キーが順に押されることによって作成される中央キー54値;
をも備えていることを特徴とする文字入力方法。
【請求項１２】
請求項１において
上記文字入力装置は3×3配列で成り立ち、
上記3×3配列の中で1行1列に位置する第1キー;
上記3×3配列の中で1行2列に位置する第2キー;
上記3×3配列の中で1行3列に位置する第3キー;
上記3×3配列の中で2行1列に位置する第4キー;
中央キーであり、上記3×3配列の中で2行2列に配置される第5キー;
上記3×3配列の中で2行3列に位置する第6キー;
上記3×3配列の中で3行1列に位置する第7キー;
上記3×3配列の中で3行2列に位置する第8キー;
上記3×3配列の中で3行3列に位置する第9キー;
を備えていることを特徴とする文字入力方法。
【請求項１３】
請求項１２において、
上記第2キーでの基本キーの基本値は、カーソルを下方へ移動させる"↓"で、中央キー基本値はページの一番下端へカーソルを移動させる"PgDn"であり、
上記第4キーでの基本キーの基本値は、カーソルを右側に移動させる"→"で、中央キー基本値は、カーソルを現在ある列の右端に移動させる"End"であり、
上記第6キーでの基本キーの基本値は、カーソルを左側に移動させる"←"で、中央キー基本値はカーソルを現在ある列の左端に移動させる"Home"であり、
上記第8キーでの基本キーの基本値は、カーソルを上方へ移動させる"↑"で、中央キー基本値は、ページの一番上端へカーソルを移動させる"PgUp"であるのを特徴とする文字入力方法。
【請求項１４】
請求項１２において、
上記第4キーは第4aキーと第4bキーより成り立ち、
上記第4aキーは上記第4キーで上部に位置するキーで、
上記第4bキーは上記第4aキーの下部に位置するキーあり、
上記第6キーは第6aキーと第6bキーより成り立ち、
上記第6aキーは上記第6キーで上部に位置するキーで、
上記第6bキーは上記第6aキーの下部に位置するキーであり、これらのキーを備えていることを特徴とする文字入力方法。
【請求項１５】
請求項１乃至６の何れか１項において、
上記文字入力装置は3×4配列で成り立ち、
上記3×4配列の中で1行1列に位置する第11キー;
上記3×4配列の中で2行1列に位置する第12キー;
上記3×4配列の中で3行1列に位置する第13キー;
上記3×4配列の中で4行1列に位置する第14キー;
上記3×4配列の中で4行2列に位置する第15キー;
上記3×4配列の中で4行3列に位置する第16キー;
上記3×4配列の中で3行3列に位置する第17キー;
上記3×4配列の中で2行3列に位置する第18キー;
上記3×4配列の中で1行3列に位置する第19キー;
上記3×4配列の中で1行2列に位置する第20キー;
上記3×4配列の中で2行2列に位置する第1中央キー;
上記3×4配列の中で3行2列に位置する第2中央キー;
を備えていることを特徴とする文字入力方法。
【請求項１６】
請求項１５において、
上記第11キーでの基本キーの基本値は"G"で、中央キー基本値は"K"で、中央キー重複値は"X"で遠い中央キー基本値は"_"であり、
上記第12キーでの基本キーの基本値は"N"で、中央キー基本値は"a"で、中央キー重複値は"ya"で、中央キー連続値は"wa"で、中央キー三重値は"ay"で、中央キー連続重複値は"aw"で、遠い中央キー基本値は"M"で、遠い中央キー重複値は"
2009545024.tif 000880
"であり、
上記第13キーでの基本キーの基本値は"R"で、中央キー基本値は"o"で、中央キー重複値は"yo"で、中央キー連続値は"wo"で、中央キー三重値は"oy"で、中央キー連続重複値"ow"で、遠い中央キー基本値は"L"で、遠い中央キー重複値は"Q"であり、
上記第14キーでの基本キーの基本値は"SPACE"で、中央キー基本値は"W/N"で、遠い中央キー基本値は"、"で、遠い中央キー重複値は";"で、遠い中央キー連続値は"'"で遠い中央キー連続重複値は"""であり、
上記第15キーでの基本キーの基本値は"CAP"で、中央キー基本値は"I"で、中央キー重複値は"yi"で、中央キー連続値は"wi"で、中央キー三重値は"iy"で、中央キー連続重複値は"iw"で、遠い中央キー基本値は"@"で、遠い中央キー重複値は"/"で、遠い中央キー連続値は"・"で、遠い中央キー連続重複値は"~"であり、
上記第16キーでの基本キーの基本値は"ENTER"で、中央キー基本値は"K/E"で、遠い中央キー基本値は"."で、遠い中央キー重複値は":"で、遠い中央キー連続値は"?"で、遠い中央キー連続重複値は"!"で、遠い中央キー重複連続値は"
2009545024.tif 000881
"で、遠い中央キー重複連続重複値は"
2009545024.tif 000882
"であり、
上記第17キーでの基本キーの基本値は"H"で、中央キー基本値は"u"で、中央キー重複値は"yu"で、中央キー連続値は"wu"で、中央キー三重値は"uy"で、中央キー連続重複値は"uw"で、遠い中央キー基本値は"J"で、遠い中央キー重複値は"Z"で、遠い中央キー連続値は"
2009545024.tif 000883
"であり、
上記第18キーでの基本キーの基本値は"S"で、中央キー基本値は"e"で、中央キー重複値は"ye"で、中央キー連続値は"we"で、中央キー三重値は"ey"で、中央キー連続重複値は"ew"で、遠い中央キー基本値は"C"で、遠い中央キー重複値は"Y"で、遠い中央キー連続値は"β"であり、
上記第19キーでの基本キーの基本値は"B"で、中央キー基本値は"P"で、中央キー重複値は"V"で、遠い中央キー基本値は"F"であり、
上記第20キーでの基本キーの基本値は"D"で、中央キー基本値は"T"で、中央キー重複値は"W"で、中央キー連続値は"WH"で、遠い中央キー基本値は"-"であるのを特徴とするローマ字文字入力装置での文字入力方法。
【請求項１７】
請求項１５において、
第12キー(120)での基本キー基本値は、ダイアリー機能である"Dia"で、中央キー基本値は、メモ作成機能である"M"で、中央キー重複値は、文書編集機能であるワードの略字"W"で、中央キー連続値は、文書検索機能である"F"で、遠い中央キー基本値は、月間スケジュール機能である"M"で、遠い中央キー重複値は、週間スケジュール機能である"W"で、遠い中央キー連続値は、日程スケジュール機能である"D"であり;、
第13キー(130)での基本キー基本値は、電話帳機能である"Tel"で、中央キー基本値は、受信番号機能である"R"で、中央キー重複値は、発信番号機能である"S"で、中央キー連続値は、番号検索機能である"F"で、中央キー連続重複値は、電話番号登録機能である"
2009545024.tif 000884
"で、遠い中央キー基本値は、受信されたメッセージ記録である"R"で、遠い中央キー重複値は、発信したメッセージ記録である"S"で、遠い中央キー連続値は、メッセージ検索機能である"F"で、遠い中央キー連続重複値は、メッセージ作成機能である"
2009545024.tif 000885
"であり;
第14キー(140)での基本キー基本値は、カーソルを左側に移動させる"←"で、中央キー基本値は、カーソルの左側枠を削除する"back"で、遠い中央キー基本値は、カーソルを左端に移動させる"Home"であり;
第15キー(150)での基本キー基本値は、カーソルを下方に移動させる"↓"で、中央キー基本値は、挿入機能である"Ins"で、遠い中央キー基本値は、下のページに移動させる"PgDn"であり;
第16キー(160)での基本キー基本値は、カーソルを右側に移動させる"→"で、中央キー基本値は、カーソルの右側枠を削除する"del"で、中央キー重複値は、カーソルを右端に移動させる"End"であり;
第17キー(170)での基本キー基本値は、インターネット機能である"Net"で、中央キー基本値は、基本設定されているメインページである"M"で、中央キー重複値は、コントロールパネル機能である"C"で、中央キー連続値は、ファイルとフォルダ検索機能である"F"で、中央キー連続重複値は、インターネットアドレス作成機能である"
2009545024.tif 000886
"で、遠い中央キー基本値は、電子メール受信機能である"R"で、遠い中央キー重複値は、電子メール発信機能である"S"で、遠い中央キー連続値は、電子メール住所検索機能である"F"で、遠い中央キー連続重複値は、電子メールメッセージ作成機能である"
2009545024.tif 000887
"であり;
第18キー(180)での基本キー基本値は、映像撮影機能である"Pic"で、中央キー基本値は写真撮影機能である"P"で、中央キー重複値は、写真を撮影するシャッターボタン機能である"Q"で、中央キー連続値は、写真アルバム機能である"F"で、中央キー連続重複値は写真編集機能である"e"で、遠い中央キー基本値は、動画撮影機能である"M"で、遠い中央キー重複値は、動画撮影作動ボタン機能である"Q"で、遠い中央キー連続値は、動画アルバム検索機能である"F"で、遠い中央キー連続重複値は、動画編集機能である"e"であり;
第19キー(190)での基本キー基本値は、全体メニュー表示機能である"Menu"で、中央キー基本値は、映像物機能である"V"で、中央キー重複値は、音量調節機能である"Vol"で、中央キー連続値は、チャンネル選択機能である"Ch"で、中央キー連続重複値は、個人コンピューター環境調節機能である"My"で、遠い中央キー基本値は、聴覚物機能である"A"で、遠い中央キー重複値は、音量調節機能である"Vol"で、遠い中央キー連続値は、チャンネル選択機能である"Ch"で、遠い中央キー連続重複値は、録音機能である"Rec"であり;
第20キー(200)での基本キー基本値は、カーソルを上方に移動させる"↑"で、中央キー基本値は、以前の画面に戻す"Esc"で、遠い中央キー基本値は、上のページに移動させる"PgUp"であるのを特徴とする固有機能文字入力装置での文字入力方法。
【国際調査報告】
2009545024.tif 000888
2009545024.tif 000889